(57)【特許請求の範囲】
【請求項１】
広告キャンペーンにおいて広告スロットを選択する方法であって、前記方法は、デバイスにおいて実行され、前記デバイスは、プロセッサと、コンピュータ読み取り可能な媒体とを含み、前記方法は、
前記プロセッサが、グリッド配列で複数のセルを表示のために生成することであって、前記複数のセルの各々は、広告スロットに関連付けられており、各セルの列および行のうちの一方は、コンテンツソースを表し、各セルの列および行のうちの他方は、期間を表し、前記コンテンツソースは、複数のコンテンツソースのうちの１つであり、前記複数のコンテンツソースのうちの第１のコンテンツソースは、前記グリッド配列内の第１のセルに対応し、前記複数のコンテンツソースのうちの第２のコンテンツソースは、前記グリッド配列内の第２のセルに対応し、前記複数のセルの各々は、前記関連広告スロットの聴衆の表現を含む、ことと、
前記プロセッサが、前記複数のセルのうちの第１のセルに関連付けられているコンテンツソースまたは期間のユーザ選択を受信し、これにより、前記第１のセルに関連付けられている第１の広告スロットを選択することと、
前記プロセッサが、前記選択されたコンテンツソースまたは期間に対応する前記複数のセルのサブセットを識別することであって、前記サブセットは、前記第１のセルおよび第３のセルを含む、ことと、
前記プロセッサが、機能のユーザ選択に応答して、前記第１のセルに関連付けられている前記第１の広告スロットおよび前記第３のセルに関連付けられている第２の広告スロットに対して前記ユーザ選択された機能を実行することと
を含む、方法。
【請求項２】
前記ユーザ選択された機能は、前記プロセッサが、前記サブセット内の前記セルの各々の関連広告スロットに関連する重み値をユーザ選択された重みに変更することを含む、請求項１に記載の方法。
【請求項３】
前記ユーザ選択された機能は、前記プロセッサが、前記第１のセルに関連付けられている前記第１の広告スロットおよび前記第３のセルに関連付けられている前記第２の広告スロットを広告キャンペーン計画に追加することを含む、請求項１に記載の方法。
【請求項４】
前記プロセッサが、数学的プロセスを用いて、各広告スロットに関連付けられている聴衆関連基準に基づいて、複数の広告スロットをランク付けすることであって、各広告スロットは、前記複数のセルのうちの１つに関連付けられている、ことと、
前記プロセッサが、広告スロットを選択するための予算を超えない間に、前記複数の広告スロットのうちの最高ランクの広告スロットを反復的に選択することにより、前記複数の広告スロットのサブセットを識別することと、
前記プロセッサが、前記サブセットの各広告スロットを広告キャンペーン計画に追加することと
をさらに含む、請求項１に記載の方法。
【請求項５】
前記プロセッサが、固定価格値のユーザ選択を受信することをさらに含み、前記ユーザ選択された機能は、
前記プロセッサが、前記固定価格値を前記第１のセルに関連付けられている前記第１の広告スロットに割り当てることと、
前記プロセッサが、前記第１の広告スロットに割り当てられた前記固定価格値を変更することなく、前記複数のセルの各々に関連付けられている広告スロットの価格値を更新することと
を含む、請求項１に記載の方法。
【請求項６】
広告キャンペーンにおいて広告スロットを選択するためのシステムであって、前記システムは、
グリッド配列で複数のセルを表示のために生成する手段であって、前記複数のセルの各々は、広告スロットに関連付けられており、各セルの列および行のうちの一方は、コンテンツソースを表し、各セルの列および行のうちの他方は、期間を表し、前記コンテンツソースは、複数のコンテンツソースのうちの１つであり、前記複数のコンテンツソースのうちの第１のコンテンツソースは、前記グリッド配列内の第１のセルに対応し、前記複数のコンテンツソースのうちの第２のコンテンツソースは、前記グリッド配列内の第２のセルに対応し、前記複数のセルの各々は、前記関連広告スロットの聴衆の表現を含む、手段と、
前記複数のセルのうちの第１のセルに関連付けられているコンテンツソースまたは期間のユーザ選択を受信し、これにより、前記第１のセルに関連付けられている第１の広告スロットを選択する手段と、
前記選択されたコンテンツソースまたは期間に対応する前記複数のセルのサブセットを識別する手段であって、前記サブセットは、前記第１のセルおよび第３のセルを含む、手段と、
機能のユーザ選択に応答して、前記第１のセルに関連付けられている前記第１の広告スロットおよび前記第３のセルに関連付けられている第２の広告スロットに対して前記ユーザ選択された機能を実行する手段と
を備えている、システム。
【請求項７】
前記ユーザ選択された機能を実行する前記手段は、前記サブセット内の前記セルの各々の関連広告スロットに関連する重み値をユーザ選択された重みに変更する手段を備えている、請求項６に記載のシステム。
【請求項８】
前記ユーザ選択された機能を実行する前記手段は、前記第１のセルに関連付けられている前記第１の広告スロットおよび前記第３のセルに関連付けられている前記第２の広告スロットを広告キャンペーン計画に追加する手段を備えている、請求項６に記載のシステム。
【請求項９】
数学的プロセスを用いて、各広告スロットに関連付けられている聴衆関連基準に基づいて、複数の広告スロットをランク付けする手段であって、各広告スロットは、前記複数のセルのうちの１つに関連付けられている、手段と、
広告スロットを選択するための予算を超えない間に、前記複数の広告スロットのうちの最高ランクの広告スロットを反復的に選択することにより、前記複数の広告スロットのサブセットを識別する手段と、
前記サブセットの各広告スロットを広告キャンペーン計画に追加する手段と
をさらに備えている、請求項６に記載のシステム。
【請求項１０】
固定価格値のユーザ選択を受信する手段をさらに備え、前記ユーザ選択された機能を実行する前記手段は、
前記固定価格値を前記第１のセルに関連付けられている前記第１の広告スロットに割り当てる手段と、
前記第１の広告スロットに割り当てられた前記固定価格値を変更することなく、前記複数のセルの各々に関連付けられている広告スロットの価格値を更新する手段と
を備えている、請求項６に記載のシステム。
【発明の詳細な説明】
【技術分野】
【０００１】
（関連出願の引用）
本願は、米国特許出願第１４／１４２，１２０号（２０１３年１２月２７日出願）、米国特許出願第１４／１４２，２２３号（２０１３年１２月２７日出願）、米国特許出願第１４／１４２，２２６号（２０１３年１２月２７日出願）、米国仮特許出願第６１／７５０，８０９号（２０１３年１月１０日出願）の優先権の利益を主張し、これらのすべては、それらの全体が参照により本明細書に引用される。
【背景技術】
【０００２】
広告および販売促進の配置は、従来、これらの配置を知らせるために、Ｎｉｅｌｓｅｎ  Ｃｏｍｐａｎｙ等の調査会社からの視聴挙動および他の人口統計情報の小型データパネルの推定に依拠してきた。これらのパネルは、「２５〜５４歳の女性」等の極めて広く大部分は人口統計に基づく聴衆標的の露出を堅調に測定することに限定され、報告は、概して、放送される各番組に対する総測定基準または番組内で放送されるコマーシャルの分数に限定される。
【０００３】
しかしながら、これらの測定基準のみを使用してテレビ広告を計画して配置することは、有意な非効率を配置プロセスに導入する。一般に、広告主は、データパネルによって生成される広い人口統計尺度より狭くて特定の標的を有する。例えば、健康シリアル製造業者は、「２５〜５４歳の女性」の代わりに「健康志向である買い物客」に到達することにより関心を持ち得るが、現在のシステムは、これらの２つのグループを区別すること、またはより広い人口統計の範囲を少なくとも狭くすることができない。加えて、広告主は、広告キャンペーンのための到達範囲および頻度標的を確立するが、現在の測定基準およびシステムは、各広告配置において、広告がどの視聴者に配信されているかを区別することができず、したがって、標的の一部である他の視聴者に露出されないままである間に、広告をすでに何度も見た視聴者に露出することによって、多くのスポット配置が単純に無駄になる。そのような方法はさらに、広告主が標的聴衆により効果的に到達するように利用可能な広告スロットを選択することに役立つ、包括的配置および最適化アルゴリズムが欠けている。
【発明の概要】
【課題を解決するための手段】
【０００４】
これらおよび他の目的は、広告キャンペーンのためのメディア配置計画を開発して最適化するためのインターフェースを提供することによって、本発明の原理に従って達成される。
【０００５】
いくつかの実施形態では、聴衆管理システムは、ユーザが広告キャンペーンにおいて広告スロットを選択することを可能にする。聴衆管理システムは、少なくとも２次元のグリッド配列で複数のセルを表示のために生成する。いくつかの実施形態では、複数のセルは、３次元配列で表示のために生成され得る。複数のセルの各々は、コンテンツソース、期間、特定の番組、および／または番組のタイプに対応する広告スロットに関連付けられる。例えば、コンテンツソースは、テレビチャネルであり得、期間は、広告が放送される時間であり得る。複数のセルの各々はまた、関連広告スロットの聴衆の表現も含む。例えば、聴衆の表現は、聴衆構成、聴衆サイズ、聴衆インプレッションの予想数、またはそれらの任意の組み合わせであり得る。
【０００６】
いくつかの実施形態では、聴衆管理システムは、例えば、セルを選択することによって、第１のセルを識別し得る。例えば、聴衆管理システムは、複数のセルのうちの第１のセルのユーザ選択を受信し得る。いくつかの実施形態では、聴衆管理システムは、例えば、最適化アルゴリズムを実行することに応答して、セルを自動的に選択し得る。セルは、どの広告スロットがメディア計画に推奨されるかをユーザに示すために、システムによって選択され得る。聴衆管理システムは、ユーザが種々の選択を入力し、果たすべき種々の機能を選択することができる、双方向インターフェースアプリケーションとして、ユーザデバイス上に実装され得る。機能は、セルをメディア計画に追加すること、メディア計画からセルを除去すること、関連広告スロットに関連するさらなる情報を取り出すこと、セルに含まれる聴衆関連情報を更新すること、重み値を第１のセルに割り当てること、またはそれらの任意の好適な組み合わせを含み得る。聴衆管理システムは、第１のセルに関連付けられている第１の広告スロットに対して機能を実行し得る。
【０００７】
いくつかの実施形態では、ユーザは、コンテンツソースまたは期間を選択し得る。それに応じて、聴衆管理システムは、選択されたコンテンツソースまたは期間に対応する、複数のセルのサブセットを識別し得、サブセットは、第１のセルを含み得る。次いで、機能がセルのサブセットに対して実行される。例えば、機能は、サブセット内の各セルの関連広告スロットに関連する重み値を更新し得る。重み値は、ユーザ特定され得、配置機能が実行される場合、配置機能がメディア計画を最適化するときに重み値を考慮するように、システムの広告主またはユーザにとっての広告スロットの相対的重要性に関し得る。
【０００８】
いくつかの実施形態では、聴衆管理システムは、広告キャンペーンのための広告スロットを推奨するための配置機能を実装し得る。例えば、本システムは、広告キャンペーンのための固定予算に対応し得る、予算値のユーザ選択を受信し得る。次いで、聴衆管理システムは、１つ以上の方法で予算値を割り付け得る。例えば、聴衆管理システムは、予算値を第１の分割値および第２の分割値に分割し得る。例えば、聴衆管理システムは、第１の分割値を総予算の７０％に対応させ、第２の分割値を総予算の３０％に対応させ得る。別の実施例では、聴衆管理システムは、種々の期間、コンテンツプロバイダ、番組タイプ、および／または選択された広告分野を基にした予算値を割り付け得る。
【０００９】
いくつかの実施形態では、聴衆管理システムは、各データ構造が特定の広告スロットに対応し得る、メモリに記憶するための複数のデータ構造を定義する。本システムはまた、複数のグループを定義し、複数のデータ構造の各々を複数のグループのうちの１つに関連付ける。例えば、グループは、広告キャンペーンにおける日に対応し得、複数のデータ構造の各々は、特定の日の広告スロットを表し得る。次いで、聴衆管理システムは、第１の分割値の一部分を複数のグループの各々に割り付ける。例えば、第１の分割値が総予算の７０％に対応する場合、聴衆管理システムは、各日が７０％の一部分を受け取ることを割り付け得る。いくつかの実施形態では、各日が、７０％の等しい割り付けを受け取るであろう（例えば、７日間の広告計画については、各日が総予算の１０％を受け取る）。
【００１０】
いくつかの実施形態では、聴衆管理システムは、複数のグループの各々に対して、グループに割り付けられた第１の分割値の一部分に基づいて、グループに関連付けられている少なくとも１つのデータ構造にフラグを付ける。例えば、聴衆管理システムは、広告スロットのリストが１週間の特定の日のための割り付けられた予算を超えない限り、メディア計画に追加されるべきである、その日のための広告スロットのリストを識別し得る。いくつかの実施形態では、特定のグループに関連付けられている各データ構造は、聴衆構成、聴衆サイズ、聴衆指標、インプレッション、ユーザ特定された重み、全インプレッション等のキャンペーン目標およびパラメータ、予算制約、インベントリ制限、到達範囲、頻度、またはそれらの任意の好適な組み合わせを含む、聴衆関連基準に基づいて、聴衆管理システムによってランク付けされる。複数のランク付けされたデータ構造は、聴衆管理システムによって識別され得、複数の各々は、特定のグループに関連付けられるデータ構造の最高ランキングを有する。次いで、聴衆管理システムは、識別されたデータ構造にフラグを付け得る。例えば、聴衆管理システムは、特定の日の各広告スロットをランク付けし、次いで、その日に割り付けられた予算に達するまで、最も高くランク付けされた広告スロットを購入する。聴衆管理システムは、広告キャンペーンにおける各日に対してこの選択を行う。
【００１１】
いくつかの実施形態では、聴衆管理システムは、データ構造が関連付けられるグループにかかわらず、フラグを付けられていない複数のデータ構造内の残りのデータ構造を識別する。例えば、聴衆管理システムは、購入されなかった広告スロットを識別するために、広告キャンペーンの各日を通して全ての利用可能な広告スロットを検索するであろう。次いで、聴衆管理システムは、聴衆関連基準に基づいて各広告スロットをランク付けし、第２の予算部分（例えば、総予算の３０％）を超えない限り、最高ランクの広告スロットを購入するであろう。
【００１２】
いくつかの実施形態では、聴衆管理システムは、ユーザが、個々の広告スロットに対する価格、または広告スロットのグループの価格決定層に対する価格を設定することを可能にする。聴衆管理システムは、複数のデータ構造を定義し、メモリにデータ構造を記憶する。各データ構造は、複数の広告スロットのうちの１つを表す。次いで、聴衆管理システムは、複数のデータ構造の各々に、それぞれの広告スロットに関連付けられている価格値を記憶する。例えば、聴衆管理システムは、種々の発行者、サービスプロバイダ、およびコンテンツソースから広告スロットの価格決定情報を受信し得る。
【００１３】
いくつかの実施形態では、聴衆管理システムは、固定価格値のユーザ選択を受信する。次いで、固定価格値は、複数のデータ構造のうちの第１のデータ構造の価格値として記憶される。例えば、ユーザは、固定価格を有するために、特定の広告スロットを指定し得る。次いで、聴衆管理システムは、第１のデータ構造の固定価格値を変更することなく、複数のデータ構造の各々の固定価格値を自動的に更新する。例えば、価格が第１の広告スロットに対して固定されると、聴衆管理システムは、残りの広告スロットの各々の予想需要に基づいて、残りの広告スロットに関連付けられる価格決定情報を更新し得る。いくつかの実施形態では、予想需要は、固定価格に基づき得る（例えば、高い固定価格を設定することは、同一のテレビチャネル上で「近くの」広告スロットの需要を増加させることが予測され得る）。聴衆管理システムは、履歴インベントリデータ、予想インベントリデータ、現在の需要、聴衆推定、またはそれらの任意の好適な組み合わせを分析することによって、予想需要を決定し得る。
【００１４】
いくつかの実施形態では、聴衆管理システムは、ユーザが価格決定層の固定価格を設定することを可能にし得る。価格決定層は、価格決定層に関連付けられる特定のグループに属する複数の広告スロットの価格を設定するために、使用され得る。ユーザが価格決定層の固定価格を設定すると、聴衆管理システムは、固定価格決定層の固定価格値を変更することなく、複数の価格決定層の各々の固定価格値を更新し得る。次いで、聴衆管理システムは、関連価格決定層の更新された価格値に基づいて、複数の広告スロットの各価格値を更新する。
本発明はさらに、例えば、以下を提供する。
（項目１）
広告キャンペーンにおいて広告スロットを選択する方法であって、前記方法は、
グリッド配列で複数のセルを表示のために生成することであって、前記複数のセルの各々は、コンテンツソースおよび期間に対応する広告スロットに関連付けられており、前記複数のセルの各々は、前記関連広告スロットの聴衆の表現を含む、ことと、
前記複数のセルのうちの第１のセルを識別することと、
前記第１のセルに関連付けられている第１の広告スロットに対して機能を実行することと
を含む、方法。
（項目２）
前記機能を実行することは、異なる広告キャンペーンに関連付けられている選択に基づいて、前記複数のセルの各々に対する更新された聴衆表現を表示のために生成することを含む、項目１に記載の方法。
（項目３）
前記複数のセルのうちの前記第１のセルを識別することは、
前記第１のセルに関連付けられているコンテンツソースまたは期間のユーザ選択を受信することと、
前記選択されたコンテンツソースまたは期間に対応する、前記複数のセルのサブセットを識別することであって、前記サブセットは、前記第１のセルを含む、ことと
を含み、
前記機能を実行することは、前記サブセット内の前記セルの各々の関連広告スロットに関連する重み値を更新することを含む、項目１に記載の方法。
（項目４）
前記機能を実行することは、前記第１のセルに関連付けられている前記第１の広告スロットに対する追加の聴衆関連情報を表示のために生成することを含む、項目１に記載の方法。
（項目５）
前記聴衆の前記表現は、聴衆構成、聴衆指標、および予想インプレッションのうちの少なくとも１つを備えている、項目１に記載の方法。
（項目６）
前記機能を実行することは、前記第１のセルに対応する前記第１の広告スロットを広告キャンペーン計画に追加することを含む、項目１に記載の方法。
（項目７）
前記複数のセルの各々に対して、そのセルに関連付けられている前記広告スロットが前記広告キャンペーン計画に追加されたかどうかを示すインジケータを表示のために生成することをさらに含む、項目６に記載の方法。
（項目８）
各広告スロットに関連付けられている聴衆情報に基づいて、複数の広告スロットをランク付けすることであって、各広告スロットは、前記複数のセルのうちの１つに関連付けられている、ことと、
前記複数の広告スロットのうちの最高ランクの広告スロットを含む、前記複数の広告スロットのサブセットを識別することと、
前記サブセットの各広告スロットを広告キャンペーン計画に追加することと
をさらに含む、項目１に記載の方法。
（項目９）
前記識別されたサブセットの各広告スロットに関連付けられている予算重みの合計は、事前選択された予算値以下である、項目８に記載の方法。
（項目１０）
固定価格値のユーザ選択を受信することをさらに含み、前記機能を実行することは、
前記固定価格値を前記第１のセルに関連付けられている前記第１の広告スロットに割り当てることと、
前記第１の広告スロットに割り当てられた前記固定価格値を変更することなく、前記複数のセルの各々に関連付けられている広告スロットの価格値を更新することと
を含む、項目１に記載の方法。
（項目１１）
広告キャンペーンにおいて広告スロットを選択する方法であって、前記方法は、
予算値のユーザ選択を受信することと、
前記予算値をメモリに記憶することと、
前記予算値を第１の分割値および第２の分割値に分割することであって、前記第１および第２の分割値の各々は、前記メモリに記憶される、ことと、
複数のデータ構造を前記メモリに記憶することと、
複数のグループを定義することであって、前記複数のデータ構造の各々は、前記複数のグループのうちの１つに関連付けられる、ことと、
前記第１の分割値の一部分を前記複数のグループの各々に割り付けることと、
前記複数のグループの各々に対して、前記グループに割り付けられた前記第１の分割値の前記一部分に基づいて、前記グループに関連付けられている少なくとも１つのデータ構造にフラグを付けることと、
前記複数のデータ構造内のフラグを付けられていないデータ構造のサブセットを識別することと、
前記第２の分割値に基づいて、前記サブセット内の少なくとも１つのデータ構造にフラグを付けることと
を含む、方法。
（項目１２）
前記複数のグループの各々に対して、前記グループに割り付けられた前記第１の分割値の前記一部分に基づいて、前記グループに関連付けられている少なくとも１つのデータ構造にフラグを付けることは、
聴衆関連基準に基づいて、前記グループに関連付けられている各データ構造をランク付けすることと、
前記グループに関連付けられている各データ構造の最高ランキングを有する複数のランク付けされたデータ構造を識別することと、
前記識別された複数のランク付けされたデータ構造の各々にフラグを付けることであって、前記識別された複数のランク付けされたデータ構造の各々に関連付けられている予算重みの合計は、前記グループに割り付けられた前記第１の分割値の前記一部分以下である、ことと
を含む、項目１１に記載の方法。
（項目１３）
前記第２の分割値に基づいて、前記サブセット内の少なくとも１つのデータ構造にフラグを付けることは、
聴衆関連基準に基づいて、前記複数のデータ構造のうちの各フラグを付けられていないデータ構造をランク付けすることと、
前記複数のデータ構造のうちの各データ構造の最高ランキングを有する複数のランク付けされたデータ構造を識別することと、
前記識別された複数のランク付けされたデータ構造の各々にフラグを付けることであって、前記識別された複数のランク付けされたデータ構造の各々に関連付けられている予算重みの合計は、前記第２の分割値以下である、ことと
を含む、項目１１に記載の方法。
（項目１４）
前記第１の分割値の一部分を前記複数のグループの各々に割り付けることは、前記第１の分割値の一部分を前記複数のグループの各々に等しく割り付けることを含む、項目１１に記載の方法。
（項目１５）
前記複数のグループの各々は、期間を表す、項目１１に記載の方法。
（項目１６）
前記複数のデータ構造の各々は、利用可能な広告スロットを表す、項目１１に記載の方法。
（項目１７）
データ構造にフラグを付けることは、利用可能な広告スロットを広告キャンペーン計画に追加することを示す、項目１１に記載の方法。
（項目１８）
前記第１の分割値および前記第２の分割値は、ユーザ指定される、項目１１に記載の方法。
（項目１９）
グリッド配列で複数のセルを表示のために生成することをさらに含み、
前記複数のセルの各々は、前記複数のデータ構造のうちの１つを表し、
前記複数のセルの各々は、そのセルによって表される前記データ構造のコンテンツソースおよび期間に従って配列される、項目１１に記載の方法。
（項目２０）
前記複数のデータ構造の各々は、予算重みに関連付けられ、各予算重みは、価格決定層に基づいて決定される、項目１１に記載の方法。
（項目２１）
広告キャンペーン計画において価格を設定する方法であって、前記方法は、
メモリに複数のデータ構造を記憶することであって、各データ構造は、複数の広告スロットのうちの１つを表す、ことと、
前記複数のデータ構造の各々に、それぞれの広告スロットに関連付けられている価格値を記憶することと、
固定価格値のユーザ選択を受信することと、
前記複数のデータ構造のうちの第１のデータ構造の前記価格値として、前記固定価格値を記憶することと、
前記第１のデータ構造の前記価格値を変更することなく、前記複数のデータ構造の各々の前記価格値を自動的に更新することと
を含む、方法。
（項目２２）
聴衆関連基準に基づいて、前記複数の広告スロットの各々に対する予想需要を決定することをさらに含み、前記自動的に更新される価格値は、関連広告スロットの予想需要に基づいて更新される、項目２１に記載の方法。
（項目２３）
各広告スロットのそれぞれのデータ構造に関連付けを記憶することによって、前記複数の広告スロットの各々を複数の価格決定層のうちの１つに関連付けることをさらに含む、項目２２に記載の方法。
（項目２４）
前記複数のデータ構造のうちの前記第１のデータ構造の前記価格値として、前記固定価格値を記憶することは、
前記複数の価格決定層のうちの第１の価格決定層の前記価格値として、前記固定価格値を記憶することであって、前記第１の価格決定層は、前記第１のデータ構造に関連付けられている、ことと、
前記複数の広告スロットの各々の予想需要に基づいて、前記複数の価格決定層のうちの第１のものの前記価格値を変更することなく、前記複数の価格決定層の各々の前記価格値を更新することと
をさらに含む、項目２３に記載の方法。
（項目２５）
前記第１のデータ構造の前記価格値を変更することなく、前記複数のデータ構造の各々の前記価格値を自動的に更新することは、前記第１のデータ構造の前記価格値を変更することなく、関連価格決定層に基づいて、前記複数のデータ構造の各々の前記価格値を更新することをさらに含む、項目２４に記載の方法。
（項目２６）
前記複数の広告スロットの各々に対する予想需要を決定することは、履歴インベントリデータ、予想インベントリデータ、現在の需要、および聴衆推定のうちの少なくとも１つに基づいて、予想需要を決定することを含む、項目２１に記載の方法。
（項目２７）
前記複数の広告スロットの各々に対する予想需要を決定することは、前記複数のデータ構造のうちの前記第１のデータ構造の前記価格値として前記固定価格を記憶することに応答して、前記予想需要の変動を推定することをさらに含む、項目２１に記載の方法。
（項目２８）
前記複数のデータ構造は、メディアプロバイダの利用可能なインベントリに対応している、項目２１に記載の方法。
（項目２９）
少なくとも１つの広告ソースから価格決定情報を受信することをさらに含み、前記複数のデータ構造の各々に記憶された各価格値は、前記価格決定情報に基づいている、項目２１に記載の方法。
（項目３０）
グリッド配列で複数のセルを表示のために生成することをさらに含み、
前記複数のセルの各々は、前記複数のデータ構造のうちの１つを表し、
前記複数のセルの各々は、そのセルによって表される前記データ構造のコンテンツソースおよび期間に従って配列され、
前記複数のセルの各々は、価格値を含む、項目２１に記載の方法。
（項目３１）
広告キャンペーンにおいて広告スロットを選択するためのシステムであって、前記システムは、処理回路を備え、前記処理回路は、
グリッド配列で複数のセルを表示のために生成することであって、前記複数のセルの各々は、コンテンツソースおよび期間に対応する広告スロットに関連付けられており、前記複数のセルの各々は、前記関連広告スロットの聴衆の表現を含む、ことと、
前記複数のセルのうちの第１のセルを識別することと、
前記第１のセルに関連付けられている第１の広告スロットに対して機能を実行することと
を行うように構成されている、システム。
（項目３２）
前記処理回路は、異なる広告キャンペーンに関連付けられている選択に基づいて、前記複数のセルの各々に対する更新された聴衆表現を表示のために生成するようにさらに構成されている、項目３１に記載のシステム。
（項目３３）
前記処理回路は、
前記第１のセルに関連付けられているコンテンツソースまたは期間のユーザ選択を受信することと、
前記選択されたコンテンツソースまたは期間に対応する、前記複数のセルのサブセットを識別することであって、前記サブセットは、前記第１のセルを含む、ことと、
前記サブセット内の前記セルの各々の関連広告スロットに関連する重み値を更新することと
を行うようにさらに構成されている、項目３１に記載のシステム。
（項目３４）
前記処理回路は、前記第１のセルに関連付けられている前記第１の広告スロットに対する追加の聴衆関連情報を表示のために生成するようにさらに構成されている、項目３１に記載のシステム。
（項目３５）
前記聴衆の前記表現は、聴衆構成、聴衆指標、および予想インプレッションのうちの少なくとも１つを備えている、項目３１に記載のシステム。
（項目３６）
前記処理回路は、前記第１のセルに対応する前記第１の広告スロットを広告キャンペーン計画に追加するようにさらに構成されている、項目３１に記載のシステム。
（項目３７）
前記処理回路は、前記複数のセルの各々に対して、そのセルに関連付けられている前記広告スロットが前記広告キャンペーン計画に追加されたかどうかを示すインジケータを表示のために生成するようにさらに構成されている、項目３６に記載のシステム。
（項目３８）
前記処理回路は、
各広告スロットに関連付けられている聴衆情報に基づいて、複数の広告スロットをランク付けすることであって、各広告スロットは、前記複数のセルのうちの１つに関連付けられている、ことと、
前記複数の広告スロットのうちの最高ランクの広告スロットを含む、前記複数の広告スロットのサブセットを識別することと、
前記サブセットの各広告スロットを広告キャンペーン計画に追加することと
を行うようにさらに構成されている、項目３１に記載のシステム。
（項目３９）
前記識別されたサブセットの各広告スロットに関連付けられている予算重みの合計は、事前選択された予算値以下である、項目３８に記載のシステム。
（項目４０）
前記処理回路は、
固定価格値のユーザ選択を受信することと、
前記固定価格値を前記第１のセルに関連付けられている前記第１の広告スロットに割り当てることと、
前記第１の広告スロットに割り当てられた前記固定価格値を変更することなく、前記複数のセルの各々に関連付けられている広告スロットの価格値を更新することと
を行うようにさらに構成されている、項目３１に記載のシステム。
（項目４１）
広告キャンペーンにおいて広告スロットを選択するためのシステムであって、前記システムは、処理回路を備え、前記処理回路は、
予算値のユーザ選択を受信することと、
前記予算値をメモリに記憶することと、
前記予算値を第１の分割値および第２の分割値に分割することであって、前記第１および第２の分割値の各々は、前記メモリに記憶される、ことと、
複数のデータ構造を前記メモリに記憶することと、
複数のグループを定義することであって、前記複数のデータ構造の各々は、前記複数のグループのうちの１つに関連付けられている、ことと、
前記第１の分割値の一部分を前記複数のグループの各々に割り付けることと、
前記複数のグループの各々に対して、前記グループに割り付けられた前記第１の分割値の前記一部分に基づいて、前記グループに関連付けられている少なくとも１つのデータ構造にフラグを付けることと、
前記複数のデータ構造内のフラグを付けられていないデータ構造のサブセットを識別することと、
前記第２の分割値に基づいて、前記サブセット内の少なくとも１つのデータ構造にフラグを付けることと
を行うように構成されている、システム。
（項目４２）
前記処理回路は、
聴衆関連基準に基づいて、前記グループに関連付けられている各データ構造をランク付けすることと、
前記グループに関連付けられている各データ構造の最高ランキングを有する複数のランク付けされたデータ構造を識別することと、
前記識別された複数のランク付けされたデータ構造の各々にフラグを付けることと
を行うようにさらに構成され、
前記識別された複数のランク付けされたデータ構造の各々に関連付けられている予算重みの合計は、前記グループに割り付けられた前記第１の分割値の前記一部分以下である、項目４１に記載のシステム。
（項目４３）
前記処理回路は、
聴衆関連基準に基づいて、前記複数のデータ構造のうちの各フラグを付けられていないデータ構造をランク付けすることと、
前記複数のデータ構造のうちの各データ構造の最高ランキングを有する複数のランク付けされたデータ構造を識別することと、
前記識別された複数のランク付けされたデータ構造の各々にフラグを付けることと
を行うようにさらに構成され、
前記識別された複数のランク付けされたデータ構造の各々に関連付けられている予算重みの合計は、前記第２の分割値以下である、項目４１に記載のシステム。
（項目４４）
前記処理回路は、前記第１の分割値の一部分を前記複数のグループの各々に等しく割り付けるようにさらに構成されている、項目４１に記載のシステム。
（項目４５）
前記複数のグループの各々は、期間を表す、項目４１に記載のシステム。
（項目４６）
前記複数のデータ構造の各々は、利用可能な広告スロットを表す、項目４１に記載のシステム。
（項目４７）
データ構造にフラグを付けることは、利用可能な広告スロットを広告キャンペーン計画に追加することを示す、項目４１に記載のシステム。
（項目４８）
前記第１の分割値および前記第２の分割値は、ユーザ指定される、項目４１に記載のシステム。
（項目４９）
前記処理回路は、グリッド配列で複数のセルを表示のために生成するようにさらに構成され、
前記複数のセルの各々は、前記複数のデータ構造のうちの１つを表し、
前記複数のセルの各々は、そのセルによって表される前記データ構造のコンテンツソースおよび期間に従って配列される、項目４１に記載のシステム。
（項目５０）
前記複数のデータ構造の各々は、予算重みに関連付けられ、各予算重みは、価格決定層に基づいて決定される、項目４１に記載のシステム。
（項目５１）
広告キャンペーン計画において価格を設定するためのシステムであって、前記システムは、処理回路を備え、前記処理回路は、
メモリに複数のデータ構造を記憶することであって、各データ構造は、複数の広告スロットのうちの１つを表す、ことと、
前記複数のデータ構造の各々に、それぞれの広告スロットに関連付けられている価格値を記憶することと、
固定価格値のユーザ選択を受信することと、
前記複数のデータ構造のうちの第１のデータ構造の前記価格値として、前記固定価格値を記憶することと、
前記第１のデータ構造の前記価格値を変更することなく、前記複数のデータ構造の各々の前記価格値を自動的に更新することと
を行うように構成されている、システム。
（項目５２）
前記処理回路は、聴衆関連基準に基づいて、前記複数の広告スロットの各々に対する予想需要を決定するようにさらに構成され、前記自動的に更新される価格値は、関連広告スロットの予想需要に基づいて更新される、項目５１に記載のシステム。
（項目５３）
前記処理回路は、各広告スロットのそれぞれのデータ構造に関連付けを記憶することによって、前記複数の広告スロットの各々を複数の価格決定層のうちの１つに関連付けるようにさらに構成されている、項目５２に記載のシステム。
（項目５４）
前記処理回路は、
前記複数の価格決定層のうちの第１の価格決定層の前記価格値として前記固定価格値を記憶することであって、前記第１の価格決定層は、前記第１のデータ構造に関連付けられている、ことと、
前記複数の広告スロットの各々の予想需要に基づいて、前記複数の価格決定層のうちの第１のものの前記価格値を変更することなく、前記複数の価格決定層の各々の前記価格値を更新することと
を行うようにさらに構成されている、項目５３に記載のシステム。
（項目５５）
前記処理回路は、前記第１のデータ構造の前記価格値を変更することなく、関連価格決定層に基づいて、前記複数のデータ構造の各々の前記価格値を更新するようにさらに構成されている、項目５４に記載のシステム。
（項目５６）
前記処理回路は、履歴インベントリデータ、予想インベントリデータ、現在の需要、および聴衆推定のうちの少なくとも１つに基づいて、予想需要を決定するようにさらに構成されている、項目５１に記載のシステム。
（項目５７）
前記処理回路は、前記複数のデータ構造のうちの前記第１のデータ構造の前記価格値として前記固定価格を記憶することに応答して、前記予想需要の変動を推定するようにさらに構成されている、項目５１に記載のシステム。
（項目５８）
前記複数のデータ構造は、メディアプロバイダの利用可能なインベントリに対応している、項目５１に記載のシステム。
（項目５９）
前記処理回路は、少なくとも１つの広告ソースから価格決定情報を受信するようにさらに構成され、前記複数のデータ構造の各々に記憶された各価格値は、前記価格決定情報に基づいている、項目５１に記載のシステム。
（項目６０）
前記処理回路は、グリッド配列で複数のセルを表示のために生成するようにさらに構成され、
前記複数のセルの各々は、前記複数のデータ構造のうちの１つを表し、
前記複数のセルの各々は、そのセルによって表される前記データ構造のコンテンツソースおよび期間に従って配列され、
前記複数のセルの各々は、価格値を含む、
項目５１に記載のシステム。
（項目６１）
広告キャンペーンにおいて広告スロットを選択するためのシステムであって、前記システムは、聴衆管理モジュールを備え、前記聴衆管理モジュールは、
グリッド配列で複数のセルを表示のために生成することであって、前記複数のセルの各々は、コンテンツソースおよび期間に対応する広告スロットに関連付けられており、前記複数のセルの各々は、前記関連広告スロットの聴衆の表現を含む、ことと、
前記複数のセルのうちの第１のセルを識別することと、
前記第１のセルに関連付けられている第１の広告スロットに対して機能を実行することと
を行う、システム。
（項目６２）
前記聴衆管理モジュールは、異なる広告キャンペーンに関連付けられている選択に基づいて、前記複数のセルの各々に対する更新された聴衆表現を表示のためにさらに生成する、項目６１に記載のシステム。
（項目６３）
前記聴衆管理モジュールは、
前記第１のセルに関連付けられているコンテンツソースまたは期間のユーザ選択を受信することと、
前記選択されたコンテンツソースまたは期間に対応する、前記複数のセルのサブセットを識別することであって、前記サブセットは、第１のセルを含む、ことと、
前記サブセット内の前記セルの各々の関連広告スロットに関連する重み値を更新することと
をさらに行う、項目６１に記載のシステム。
（項目６４）
前記聴衆管理モジュールは、前記第１のセルに関連付けられている前記第１の広告スロットの追加の聴衆関連情報を表示のためにさらに生成する、項目６１に記載のシステム。
（項目６５）
前記聴衆の前記表現は、聴衆構成、聴衆指標、および予想インプレッションのうちの少なくとも１つを含む、項目６１に記載のシステム。
（項目６６）
前記聴衆管理モジュールは、前記第１のセルに対応する前記第１の広告スロットを広告キャンペーン計画にさらに追加する、項目６１に記載のシステム。
（項目６７）
前記聴衆管理モジュールは、前記複数のセルの各々に対して、そのセルに関連付けられている前記広告スロットが前記広告キャンペーン計画に追加されたかどうかを示すインジケータを表示のためにさらに生成する、項目６６に記載のシステム。
（項目６８）
前記聴衆管理モジュールは、
各広告スロットに関連付けられている聴衆情報に基づいて、複数の広告スロットをランク付けすることであって、各広告スロットは、前記複数のセルのうちの１つに関連付けられている、ことと、
前記複数の広告スロットのうちの最高ランクの広告スロットを含む、前記複数の広告スロットのサブセットを識別することと、
前記サブセットの各広告スロットを広告キャンペーン計画に追加することと
をさらに行う、項目６１に記載のシステム。
（項目６９）
前記識別されたサブセットの各広告スロットに関連付けられている予算重みの合計は、事前選択された予算値以下である、項目６８に記載のシステム。
（項目７０）
前記聴衆管理モジュールは、
固定価格値のユーザ選択を受信することと、
前記固定価格値を前記第１のセルに関連付けられている前記第１の広告スロットに割り当てることと、
前記第１の広告スロットに割り当てられた前記固定価格値を変更することなく、前記複数のセルの各々に関連付けられている広告スロットの価格値を更新することと
をさらに行う、項目６１に記載のシステム。
（項目７１）
広告キャンペーンにおいて広告スロットを選択するためのシステムであって、前記システムは、聴衆管理モジュールを備え、前記聴衆管理モジュールは、
予算値のユーザ選択を受信することと、
前記予算値をメモリに記憶することと、
前記予算値を第１の分割値および第２の分割値に分割することであって、前記第１および第２の分割値の各々は、前記メモリに記憶される、ことと、
複数のデータ構造を前記メモリに記憶することと、
複数のグループを定義することであって、前記複数のデータ構造の各々は、前記複数のグループのうちの１つに関連付けられている、ことと、
前記第１の分割値の一部分を前記複数のグループの各々に割り付けることと、
前記複数のグループの各々に対して、前記グループに割り付けられた前記第１の分割値の前記一部分に基づいて、前記グループに関連付けられている少なくとも１つのデータ構造にフラグを付けることと、
前記複数のデータ構造内のフラグを付けられていないデータ構造のサブセットを識別することと、
前記第２の分割値に基づいて、前記サブセット内の少なくとも１つのデータ構造にフラグを付けることと
を行う、システム。
（項目７２）
前記聴衆管理モジュールは、
聴衆関連基準に基づいて、前記グループに関連付けられている各データ構造をランク付けすることと、
前記グループに関連付けられている各データ構造の最高ランキングを有する複数のランク付けされたデータ構造を識別することと、
前記識別された複数のランク付けされたデータ構造の各々にフラグを付けることと
をさらに行い、
前記識別された複数のランク付けされたデータ構造の各々に関連付けられている予算重みの合計は、前記グループに割り付けられた前記第１の分割値の前記一部分以下である、項目７１に記載のシステム。
（項目７３）
前記聴衆管理モジュールは、
聴衆関連基準に基づいて、前記複数のデータ構造のうちの各フラグを付けられていないデータ構造をランク付けすることと、
前記複数のデータ構造のうちの各データ構造の最高ランキングを有する複数のランク付けされたデータ構造を識別することと、
前記識別された複数のランク付けされたデータ構造の各々にフラグを付けることと
をさらに行い、
前記識別された複数のランク付けされたデータ構造の各々に関連付けられている予算重みの合計は、前記第２の分割値以下である、項目７１に記載のシステム。
（項目７４）
前記聴衆管理モジュールは、前記第１の分割値の一部分を前記複数のグループの各々に等しくさらに割り付ける、項目７１に記載のシステム。
（項目７５）
前記複数のグループの各々は、期間を表す、項目７１に記載のシステム。
（項目７６）
前記複数のデータ構造の各々は、利用可能な広告スロットを表す、項目７１に記載のシステム。
（項目７７）
データ構造にフラグを付けることは、利用可能な広告スロットを広告キャンペーン計画に追加することを示す、項目７１に記載のシステム。
（項目７８）
前記第１の分割値および前記第２の分割値は、ユーザ指定される、項目７１に記載のシステム。
（項目７９）
前記聴衆管理モジュールは、グリッド配列で複数のセルを表示のためにさらに生成し、前記複数のセルの各々は、前記複数のデータ構造のうちの１つを表し、前記複数のセルの各々は、そのセルによって表される前記データ構造のコンテンツソースおよび期間に従って配列される、項目７１に記載のシステム。
（項目８０）
前記複数のデータ構造の各々は、予算重みに関連付けられ、各予算重みは、価格決定層に基づいて決定される、項目７１に記載のシステム。
（項目８１）
広告キャンペーン計画において価格を設定するためのシステムであって、前記システムは、聴衆管理モジュールを備え、前記聴衆管理モジュールは、
メモリに複数のデータ構造を記憶することであって、各データ構造は、複数の広告スロットのうちの１つを表す、ことと、
前記複数のデータ構造の各々に、それぞれの広告スロットに関連付けられている価格値を記憶することと、
固定価格値のユーザ選択を受信することと、
前記複数のデータ構造のうちの第１のデータ構造の前記価格値として、前記固定価格値を記憶することと、
前記第１のデータ構造の前記価格値を変更することなく、前記複数のデータ構造の各々の前記価格値を自動的に更新することと
を行う、システム。
（項目８２）
前記聴衆管理モジュールは、聴衆関連基準に基づいて、前記複数の広告スロットの各々に対する予想需要をさらに生成し、前記自動的に更新される価格値は、関連広告スロットの予想需要に基づいて更新される、項目８１に記載のシステム。
（項目８３）
前記聴衆管理モジュールは、各広告スロットのそれぞれのデータ構造に関連付けを記憶することによって、前記複数の広告スロットの各々を複数の価格決定層のうちの１つにさらに関連付ける、項目８２に記載のシステム。
（項目８４）
前記聴衆管理モジュールは、
前記複数の価格決定層のうちの第１の価格決定層の前記価格値として前記固定価格値を記憶することであって、前記第１の価格決定層は、前記第１のデータ構造に関連付けられている、ことと、
前記複数の広告スロットの各々の予想需要に基づいて、前記複数の価格決定層のうちの第１のものの前記価格値を変更することなく、前記複数の価格決定層の各々の前記価格値を更新することと
をさらに行う、項目８３に記載のシステム。
（項目８５）
前記聴衆管理モジュールは、前記第１のデータ構造の前記価格値を変更することなく、関連価格決定層に基づいて、前記複数のデータ構造の各々の前記価格値をさらに更新する、項目８４に記載のシステム。
（項目８６）
前記聴衆管理モジュールは、履歴インベントリデータ、予想インベントリデータ、現在の需要、および聴衆推定のうちの少なくとも１つに基づいて、予想需要をさらに決定する、項目８１に記載のシステム。
（項目８７）
前記聴衆管理モジュールは、前記複数のデータ構造のうちの前記第１のデータ構造の前記価格値として前記固定価格を記憶することに応答して、前記予想需要の変動をさらに推定する、項目８１に記載のシステム。
（項目８８）
前記複数のデータ構造は、メディアプロバイダの利用可能なインベントリに対応している、項目８１に記載のシステム。
（項目８９）
前記聴衆管理モジュールは、少なくとも１つの広告ソースから価格決定情報をさらに受信し、前記複数のデータ構造の各々に記憶された各価格値は、前記価格決定情報に基づいている、項目８１に記載のシステム。
（項目９０）
前記聴衆管理モジュールは、グリッド配列で複数のセルを表示のためにさらに生成し、
前記複数のセルの各々は、前記複数のデータ構造のうちの１つを表し、
前記複数のセルの各々は、そのセルによって表される前記データ構造のコンテンツソースおよび期間に従って配列され、
前記複数のセルの各々は、価格値を含む、
項目８１に記載のシステム。
（項目９１）
広告キャンペーンにおいて広告スロットを選択するためのシステムであって、前記システムは、
グリッド配列で複数のセルを表示のために生成する手段であって、前記複数のセルの各々は、コンテンツソースおよび期間に対応する広告スロットに関連付けられており、前記複数のセルの各々は、前記関連広告スロットの聴衆の表現を含む、手段と、
前記複数のセルのうちの第１のセルを識別する手段と、
前記第１のセルに関連付けられている第１の広告スロットに対して機能を実行する手段と
を備えている、システム。
（項目９２）
前記機能を実行する前記手段は、異なる広告キャンペーンに関連付けられている選択に基づいて、前記複数のセルの各々に対する更新された聴衆表現を表示のために生成する手段を備えている、項目９１に記載のシステム。
（項目９３）
前記複数のセルのうちの前記第１のセルの前記ユーザ選択を受信する前記手段は、
コンテンツソースまたは期間のユーザ選択を受信する手段と、
前記選択されたコンテンツソースまたは期間に対応する、前記複数のセルのサブセットを識別する手段であって、前記サブセットは、前記第１のセルを含む、手段と
を備え、
前記機能を実行する前記手段は、前記サブセット内の前記セルの各々の関連広告スロットに関連する重み値を更新する手段を備えている、項目９１に記載のシステム。
（項目９４）
前記機能を実行する前記手段は、前記第１のセルに関連付けられている前記第１の広告スロットに対する追加の聴衆関連情報を表示のために生成する手段を備えている、項目９１に記載のシステム。
（項目９５）
前記聴衆の前記表現は、聴衆構成、聴衆指標、および予想インプレッションのうちの少なくとも１つを備えている、項目９１に記載のシステム。
（項目９６）
前記機能を実行する前記手段は、前記第１のセルに対応する前記第１の広告スロットを広告キャンペーン計画に追加する手段を備えている、項目９１に記載のシステム。
（項目９７）
前記複数のセルの各々に対して、そのセルに関連付けられている前記広告スロットが前記広告キャンペーン計画に追加されたかどうかを示すインジケータを表示のために生成する手段をさらに備えている、項目９６に記載のシステム。
（項目９８）
各広告スロットに関連付けられている聴衆情報に基づいて、複数の広告スロットをランク付けする手段であって、各広告スロットは、前記複数のセルのうちの１つに関連付けられている、手段と、
前記複数の広告スロットのうちの最高ランクの広告スロットを含む、前記複数の広告スロットのサブセットを識別する手段と、
前記サブセットの各広告スロットを広告キャンペーン計画に追加する手段と
をさらに備えている、項目９１に記載のシステム。
（項目９９）
前記識別されたサブセットの各広告スロットに関連付けられている予算重みの合計は、事前選択された予算値以下である、項目９８に記載のシステム。
（項目１００）
固定価格値のユーザ選択を受信する手段をさらに備え、前記機能を実行する前記手段は、
前記固定価格値を前記第１のセルに関連付けられている前記第１の広告スロットに割り当てる手段と、
前記第１の広告スロットに割り当てられた前記固定価格値を変更することなく、前記複数のセルの各々に関連付けられている広告スロットの価格値を更新する手段と
を備えている、項目９１に記載のシステム。
（項目１０１）
広告キャンペーンにおいて広告スロットを選択するためのシステムであって、前記システムは、
予算値のユーザ選択を受信する手段と、
前記予算値をメモリに記憶する手段と、
前記予算値を第１の分割値および第２の分割値に分割する手段であって、前記第１および第２の分割値の各々は、前記メモリに記憶される、手段と、
複数のデータ構造を前記メモリに記憶する手段と、
複数のグループを定義する手段であって、前記複数のデータ構造の各々は、前記複数のグループのうちの１つに関連付けられる、手段と、
前記第１の分割値の一部分を前記複数のグループの各々に割り付ける手段と、
前記複数のグループの各々に対して、前記グループに割り付けられた前記第１の分割値の前記一部分に基づいて、前記グループに関連付けられている少なくとも１つのデータ構造にフラグを付ける手段と、
前記複数のデータ構造内のフラグを付けられていないデータ構造のサブセットを識別する手段と、
前記第２の分割値に基づいて、前記サブセット内の少なくとも１つのデータ構造にフラグを付ける手段と
を備えている、システム。
（項目１０２）
前記複数のグループの各々に対して、前記グループに割り付けられた前記第１の分割値の前記一部分に基づいて、前記グループに関連付けられている少なくとも１つのデータ構造にフラグを付ける前記手段は、
聴衆関連基準に基づいて、前記グループに関連付けられている各データ構造をランク付けする手段と、
前記グループに関連付けられている各データ構造の最高ランキングを有する複数のランク付けされたデータ構造を識別する手段と、
前記識別された複数のランク付けされたデータ構造の各々にフラグを付ける手段と
を備え、
前記識別された複数のランク付けされたデータ構造の各々に関連付けられている予算重みの合計は、前記グループに割り付けられた前記第１の分割値の前記一部分以下である、項目１０１に記載のシステム。
（項目１０３）
前記第２の分割値に基づいて、前記サブセット内の少なくとも１つのデータ構造にフラグを付ける前記手段は、
聴衆関連基準に基づいて、前記複数のデータ構造のうちの各フラグを付けられていないデータ構造をランク付けする手段と、
前記複数のデータ構造のうちの各データ構造の最高ランキングを有する複数のランク付けされたデータ構造を識別する手段と、
前記識別された複数のランク付けされたデータ構造の各々にフラグを付ける手段と
を備え、
前記識別された複数のランク付けされたデータ構造の各々に関連付けられている予算重みの合計は、前記第２の分割値以下である、項目１０１に記載のシステム。
（項目１０４）
前記第１の分割値の一部分を前記複数のグループの各々に割り付ける前記手段は、前記第１の分割値の一部分を前記複数のグループの各々に等しく割り付ける手段を含む、項目１０１に記載のシステム。
（項目１０５）
前記複数のグループの各々は、期間を表す、項目１０１に記載のシステム。
（項目１０６）
前記複数のデータ構造の各々は、利用可能な広告スロットを表す、項目１０１に記載のシステム。
（項目１０７）
データ構造にフラグを付ける前記手段は、利用可能な広告スロットを広告キャンペーン計画に追加することを示す、項目１０１に記載のシステム。
（項目１０８）
前記第１の分割値および前記第２の分割値は、ユーザ指定される、項目１０１に記載のシステム。
（項目１０９）
グリッド配列で複数のセルを表示のために生成する手段をさらに備え、
前記複数のセルの各々は、前記複数のデータ構造のうちの１つを表し、
前記複数のセルの各々は、そのセルによって表される前記データ構造のコンテンツソースおよび期間に従って配列される、
項目１０１に記載のシステム。
（項目１１０）
前記複数のデータ構造の各々は、予算重みに関連付けられ、各予算重みは、価格決定層に基づいて決定される、項目１０１に記載のシステム。
（項目１１１）
広告キャンペーン計画における価格を設定するためのシステムであって、前記システムは、
メモリに複数のデータ構造を記憶する手段であって、各データ構造は、複数の広告スロットのうちの１つを表す、手段と、
前記複数のデータ構造の各々に、それぞれの広告スロットに関連付けられている価格値を記憶する手段と、
固定価格値のユーザ選択を受信する手段と、
前記複数のデータ構造のうちの第１のデータ構造の前記価格値として、前記固定価格値を記憶する手段と、
前記第１のデータ構造の前記価格値を変更することなく、前記複数のデータ構造の各々の前記価格値を自動的に更新する手段と
を備えている、システム。
（項目１１２）
聴衆関連基準に基づいて、前記複数の広告スロットの各々に対する予想需要を決定する手段をさらに備え、前記自動的に更新される価格値は、関連広告スロットの予想需要に基づいて更新される、項目１１１に記載のシステム。
（項目１１３）
各広告スロットのそれぞれのデータ構造に関連付けを記憶することによって、前記複数の広告スロットの各々を複数の価格決定層のうちの１つに関連付ける手段をさらに備えている、項目１１２に記載のシステム。
（項目１１４）
前記複数のデータ構造のうちの前記第１のデータ構造の前記価格値として、前記固定価格値を記憶する前記手段は、
前記複数の価格決定層のうちの第１の価格決定層の前記価格値として、前記固定価格値を記憶する手段であって、前記第１の価格決定層は、前記第１のデータ構造に関連付けられる、手段と、
前記複数の広告スロットの各々の予想需要に基づいて、前記複数の価格決定層のうちの第１のものの前記価格値を変更することなく、前記複数の価格決定層の各々の前記価格値を更新する手段と
をさらに備えている、項目１１３に記載のシステム。
（項目１１５）
前記第１のデータ構造の前記価格値を変更することなく、前記複数のデータ構造の各々の前記価格値を自動的に更新する前記手段は、前記第１のデータ構造の前記価格値を変更することなく、関連価格決定層に基づいて、前記複数のデータ構造の各々の前記価格値を更新する手段をさらに備えている、項目１１４に記載のシステム。
（項目１１６）
前記複数の広告スロットの各々に対する予想需要を決定する前記手段は、履歴インベントリデータ、予想インベントリデータ、現在の需要、および聴衆推定のうちの少なくとも１つに基づいて、予想需要を決定する手段を備えている、項目１１１に記載のシステム。
（項目１１７）
前記複数の広告スロットの各々に対する予想需要を決定する前記手段は、前記複数のデータ構造のうちの前記第１のデータ構造の前記価格値として前記固定価格を記憶することに応答して、前記予想需要の変動を推定する手段をさらに備えている、項目１１１に記載のシステム。
（項目１１８）
前記複数のデータ構造は、メディアプロバイダの利用可能なインベントリに対応している、項目１１１に記載のシステム。
（項目１１９）
少なくとも１つの広告ソースから価格決定情報を受信する手段をさらに備え、前記複数のデータ構造の各々に記憶された各価格値は、前記価格決定情報に基づいている、項目１１１に記載のシステム。
（項目１２０）
グリッド配列で複数のセルを表示のために生成する手段をさらに備え、
前記複数のセルの各々は、前記複数のデータ構造のうちの１つを表し、
前記複数のセルの各々は、そのセルによって表される前記データ構造のコンテンツソースおよび期間に従って配列され、
前記複数のセルの各々は、価格値を含む、
項目１１１に記載のシステム。
（項目１２１）
広告キャンペーンにおいて広告スロットを選択するための非一過性の機械読み取り可能な媒体であって、前記機械読み取り可能な媒体は、
グリッド配列で複数のセルを表示のために生成することであって、前記複数のセルの各々は、コンテンツソースおよび期間に対応する広告スロットに関連付けられており、前記複数のセルの各々は、前記関連広告スロットの聴衆の表現を含む、ことと
前記複数のセルのうちの第１のセルを識別することと、
前記第１のセルに関連付けられている第１の広告スロットに対して機能を実行することと
を行うための符号化された機械読み取り可能な命令を備えている、機械読み取り可能な媒体。
（項目１２２）
前記非一過性の機械読み取り可能な媒体は、異なる広告キャンペーンに関連付けられている選択に基づいて、前記複数のセルの各々に対する更新された聴衆表現を表示のために生成するための符号化された追加の機械読み取り可能な命令をさらに備えている、項目１２１に記載の非一過性の機械読み取り可能な媒体。
（項目１２３）
前記非一過性の機械読み取り可能な媒体は、
前記第１のセルに関連付けられているコンテンツソースまたは期間のユーザ選択を受信することと、
前記選択されたコンテンツソースまたは期間に対応する、前記複数のセルのサブセットを識別することであって、前記サブセットは、前記第１のセルを含む、ことと、
前記サブセット内の前記セルの各々の関連広告スロットに関連する重み値を更新することと
を行うための符号化された追加の機械読み取り可能な命令をさらに備えている、項目１２１に記載の非一過性の機械読み取り可能な媒体。
（項目１２４）
前記非一過性の機械読み取り可能な媒体は、前記第１のセルに関連付けられている前記第１の広告スロットに対する追加の聴衆関連情報を表示のために生成するための符号化された追加の機械読み取り可能な命令をさらに備えている、項目１２１に記載の非一過性の機械読み取り可能な媒体。
（項目１２５）
前記聴衆の前記表現は、聴衆構成、聴衆指標、および予想インプレッションのうちの少なくとも１つを備えている、項目１２１に記載の非一過性の機械読み取り可能な媒体。
（項目１２６）
前記非一過性の機械読み取り可能な媒体は、前記第１のセルに対応する前記第１の広告スロットを広告キャンペーン計画に追加するための符号化された追加の機械読み取り可能な命令をさらに備えている、項目１２１に記載の非一過性の機械読み取り可能な媒体。
（項目１２７）
前記非一過性の機械読み取り可能な媒体は、前記複数のセルの各々に対して、そのセルに関連付けられている前記広告スロットが前記広告キャンペーン計画に追加されたかどうかを示すインジケータを表示のために生成するための符号化された追加の機械読み取り可能な命令をさらに備えている、項目１２６に記載の非一過性の機械読み取り可能な媒体。
（項目１２８）
前記非一過性の機械読み取り可能な媒体は、
各広告スロットに関連付けられている聴衆情報に基づいて、複数の広告スロットをランク付けすることであって、各広告スロットは、前記複数のセルのうちの１つに関連付けられている、ことと、
前記複数の広告スロットのうちの最高ランクの広告スロットを含む、前記複数の広告スロットのサブセットを識別することと、
前記サブセットの各広告スロットを広告キャンペーン計画に追加することと
を行うための符号化された追加の機械読み取り可能な命令をさらに備えている、項目１２１に記載の非一過性の機械読み取り可能な媒体。
（項目１２９）
前記識別されたサブセットの各広告スロットに関連付けられている予算重みの合計は、事前選択された予算値以下である、項目１２８に記載の非一過性の機械読み取り可能な媒体。
（項目１３０）
前記非一過性の機械読み取り可能な媒体は、
固定価格値のユーザ選択を受信することと、
前記固定価格値を前記第１のセルに関連付けられている前記第１の広告スロットに割り当てることと、
前記第１の広告スロットに割り当てられた前記固定価格値を変更することなく、前記複数のセルの各々に関連付けられている広告スロットの価格値を更新することと
を行うための符号化された追加の機械読み取り可能な命令をさらに備えている、項目１２１に記載の非一過性の機械読み取り可能な媒体。
（項目１３１）
広告キャンペーンにおいて広告スロットを選択するための非一過性の機械読み取り可能な媒体であって、前記機械読み取り可能な媒体は、
予算値のユーザ選択を受信することと、
前記予算値をメモリに記憶することと、
前記予算値を第１の分割値および第２の分割値に分割することであって、前記第１および第２の分割値の各々は、前記メモリに記憶される、ことと、
複数のデータ構造を前記メモリに記憶することと、
複数のグループを定義することであって、前記複数のデータ構造の各々は、前記複数のグループのうちの１つに関連付けられる、ことと、
前記第１の分割値の一部分を前記複数のグループの各々に割り付けることと、
前記複数のグループの各々に対して、前記グループに割り付けられた前記第１の分割値の前記一部分に基づいて、前記グループに関連付けられている少なくとも１つのデータ構造にフラグを付けることと、
前記複数のデータ構造内のフラグを付けられていないデータ構造のサブセットを識別することと、
前記第２の分割値に基づいて、前記サブセット内の少なくとも１つのデータ構造にフラグを付けることと
を行うための符号化された機械読み取り可能な命令を備えている、機械読み取り可能な媒体。
（項目１３２）
前記非一過性の機械読み取り可能な媒体は、
聴衆関連基準に基づいて、前記グループに関連付けられている各データ構造をランク付けすることと、
前記グループに関連付けられている各データ構造の最高ランキングを有する複数のランク付けされたデータ構造を識別することと、
前記識別された複数のランク付けされたデータ構造の各々にフラグを付けることと
を行うための符号化された追加の機械読み取り可能な命令をさらに備え、
前記識別された複数のランク付けされたデータ構造の各々に関連付けられている予算重みの合計は、前記グループに割り付けられた前記第１の分割値の前記一部分以下である、項目１３１に記載の非一過性の機械読み取り可能な媒体。
（項目１３３）
前記非一過性の機械読み取り可能な媒体は、
聴衆関連基準に基づいて、前記複数のデータ構造のうちの各フラグを付けられていないデータ構造をランク付けすることと、
前記複数のデータ構造のうちの各データ構造の最高ランキングを有する複数のランク付けされたデータ構造を識別することと、
前記識別された複数のランク付けされたデータ構造の各々にフラグを付けることと
を行うための符号化された追加の機械読み取り可能な命令をさらに備え、
前記識別された複数のランク付けされたデータ構造の各々に関連付けられている予算重みの合計は、前記第２の分割値以下である、項目１３１に記載の非一過性の機械読み取り可能な媒体。
（項目１３４）
前記非一過性の機械読み取り可能な媒体は、前記第１の分割値の一部分を前記複数のグループの各々に等しく割り付けるための符号化された追加の機械読み取り可能な命令をさらに備えている、項目１３１に記載の非一過性の機械読み取り可能な媒体。
（項目１３５）
前記複数のグループの各々は、期間を表す、項目１３１に記載の非一過性の機械読み取り可能な媒体。
（項目１３６）
前記複数のデータ構造の各々は、利用可能な広告スロットを表す、項目１３１に記載の非一過性の機械読み取り可能な媒体。
（項目１３７）
データ構造にフラグを付けることは、利用可能な広告スロットを広告キャンペーン計画に追加することを示す、項目１３１に記載の非一過性の機械読み取り可能な媒体。
（項目１３８）
前記第１の分割値および前記第２の分割値は、ユーザ指定される、項目１３１に記載の非一過性の機械読み取り可能な媒体。
（項目１３９）
前記非一過性の機械読み取り可能な媒体は、グリッド配列で複数のセルを表示のために生成するための符号化された追加の機械読み取り可能な命令をさらに備え、
前記複数のセルの各々は、前記複数のデータ構造のうちの１つを表し、
前記複数のセルの各々は、そのセルによって表される前記データ構造のコンテンツソースおよび期間に従って配列される、
項目１３１に記載の非一過性の機械読み取り可能な媒体。
（項目１４０）
前記複数のデータ構造の各々は、予算重みに関連付けられ、各予算重みは、価格決定層に基づいて決定される、項目１３１に記載の非一過性の機械読み取り可能な媒体。
（項目１４１）
広告キャンペーン計画において価格を設定するための非一過性の機械読み取り可能な媒体であって、前記機械読み取り可能な媒体は、
メモリに複数のデータ構造を記憶することであって、各データ構造は、複数の広告スロットのうちの１つを表す、ことと、
前記複数のデータ構造の各々に、それぞれの広告スロットに関連付けられている価格値を記憶することと、
固定価格値のユーザ選択を受信することと、
前記複数のデータ構造のうちの第１のデータ構造の前記価格値として、前記固定価格値を記憶することと、
前記第１のデータ構造の前記価格値を変更することなく、前記複数のデータ構造の各々の前記価格値を自動的に更新することと
を行うための符号化された機械読み取り可能な命令を備えている、機械読み取り可能な媒体。
（項目１４２）
前記非一過性の機械読み取り可能な媒体は、聴衆関連基準に基づいて、前記複数の広告スロットの各々に対する予想需要を決定するための符号化された追加の機械読み取り可能な命令をさらに備え、前記自動的に更新される価格値は、関連広告スロットの予想需要に基づいて更新される、項目１４１に記載の非一過性の機械読み取り可能な媒体。
（項目１４３）
前記非一過性の機械読み取り可能な媒体は、各広告スロットのそれぞれのデータ構造に関連付けを記憶することによって、前記複数の広告スロットの各々を複数の価格決定層のうちの１つに関連付けるための符号化された追加の機械読み取り可能な命令をさらに備えている、項目１４２に記載の非一過性の機械読み取り可能な媒体。
（項目１４４）
前記非一過性の機械読み取り可能な媒体は、
前記複数の価格決定層のうちの第１の価格決定層の前記価格値として前記固定価格値を記憶することであって、前記第１の価格決定層は、前記第１のデータ構造に関連付けられる、ことと、
前記複数の広告スロットの各々の予想需要に基づいて、前記複数の価格決定層のうちの第１のものの前記価格値を変更することなく、前記複数の価格決定層の各々の前記価格値を更新することと
を行うための符号化された追加の機械読み取り可能な命令をさらに備えている、項目１４３に記載の非一過性の機械読み取り可能な媒体。
（項目１４５）
前記非一過性の機械読み取り可能な媒体は、前記第１のデータ構造の前記価格値を変更することなく、関連価格決定層に基づいて、前記複数のデータ構造の各々の前記価格値を更新するための符号化された追加の機械読み取り可能な命令をさらに備えている、項目１４４に記載の非一過性の機械読み取り可能な媒体。
（項目１４６）
前記非一過性の機械読み取り可能な媒体は、履歴インベントリデータ、予想インベントリデータ、現在の需要、および聴衆推定のうちの少なくとも１つに基づいて、予想需要を決定するための符号化された追加の機械読み取り可能な命令をさらに備えている、項目１４１に記載の非一過性の機械読み取り可能な媒体。
（項目１４７）
前記非一過性の機械読み取り可能な媒体は、前記複数のデータ構造のうちの前記第１のデータ構造の前記価格値として前記固定価格を記憶することに応答して、前記予想需要の変動を推定するための符号化された追加の機械読み取り可能な命令をさらに備えている、項目１４１に記載の非一過性の機械読み取り可能な媒体。
（項目１４８）
前記複数のデータ構造は、メディアプロバイダの利用可能なインベントリに対応している、項目１４１に記載の非一過性の機械読み取り可能な媒体。
（項目１４９）
前記非一過性の機械読み取り可能な媒体は、少なくとも１つの広告ソースから価格決定情報を受信するための符号化された追加の機械読み取り可能な命令をさらに備え、前記複数のデータ構造の各々に記憶された各価格値は、前記価格決定情報に基づいている、項目１４１に記載の非一過性の機械読み取り可能な媒体。
（項目１５０）
前記非一過性の機械読み取り可能な媒体は、グリッド配列で複数のセルを表示のために生成するための符号化された追加の機械読み取り可能な命令をさらに備え、
前記複数のセルの各々は、前記複数のデータ構造のうちの１つを表し、
前記複数のセルの各々は、そのセルによって表される前記データ構造のコンテンツソースおよび期間に従って配列され、
前記複数のセルの各々は、価格値を含む、
項目１４１に記載の非一過性の機械読み取り可能な媒体。
（項目１５１）
広告キャンペーンにおいて広告スロットを選択する方法であって、前記方法は、
グリッド配列で複数のセルを表示のために生成することであって、前記複数のセルの各々は、コンテンツソースおよび期間に対応する広告スロットに関連付けられており、前記複数のセルの各々は、前記関連広告スロットの対応するコンテンツソースおよび期間に従って、前記グリッド配列で配列され、前記複数のセルの各々は、前記関連広告スロットの聴衆の表現を含む、ことと、
前記複数のセルのうちの第１のセルを識別することと、
前記第１のセルに関連付けられている第１の広告スロットに対して機能を実行することと
を含む、方法。
（項目１５２）
前記機能を実行することは、異なる広告キャンペーンに関連付けられている選択に基づいて、前記複数のセルの各々に対する更新された聴衆表現を表示のために生成することを含む、項目１５１に記載の方法。
（項目１５３）
前記複数のセルのうちの前記第１のセルの前記ユーザ選択を受信することは、
前記第１のセルに関連付けられているコンテンツソースまたは期間のユーザ選択を受信することと、
前記選択されたコンテンツソースまたは期間に対応する、前記複数のセルのサブセットを識別することであって、前記サブセットは、前記第１のセルを含む、ことと
を含み、
前記機能を実行することは、前記サブセット内の前記セルの各々の関連広告スロットに関連する重み値を更新することを含む、項目１５１または項目１５２に記載の方法。
（項目１５４）
前記機能を実行することは、前記第１のセルに関連付けられている前記第１の広告スロットに対する追加の聴衆関連情報を表示のために生成することを含む、項目１５１〜１５３のいずれか１項に記載の方法。
（項目１５５）
前記聴衆の前記表現は、聴衆構成、聴衆指標、および予想インプレッションのうちの少なくとも１つを備えている、項目１５１〜１５４のいずれか１項に記載の方法。
（項目１５６）
前記機能を実行することは、前記第１のセルに対応する前記第１の広告スロットを広告キャンペーン計画に追加することを含む、項目１５１〜１５５のいずれか１項に記載の方法。
（項目１５７）
前記複数のセルの各々に対して、そのセルに関連付けられている前記広告スロットが前記広告キャンペーン計画に追加されたかどうかを示すインジケータを表示のために生成することをさらに含む、項目１５６に記載の方法。
（項目１５８）
各広告スロットに関連付けられている聴衆情報に基づいて、複数の広告スロットをランク付けすることであって、各広告スロットは、前記複数のセルのうちの１つに関連付けられている、ことと、
前記複数の広告スロットのうちの最高ランクの広告スロットを含む、前記複数の広告スロットのサブセットを識別することと、
前記サブセットの各広告スロットを広告キャンペーン計画に追加することと
をさらに含む、項目１５１〜１５７のいずれか１項に記載の方法。
（項目１５９）
前記識別されたサブセットの各広告スロットに関連付けられている予算重みの合計は、事前選択された予算値以下である、項目１５８に記載の方法。
（項目１６０）
固定価格値のユーザ選択を受信することをさらに含み、前記機能を実行することは、
前記固定価格値を前記第１のセルに関連付けられている前記第１の広告スロットに割り当てることと、
前記第１の広告スロットに割り当てられた前記固定価格値を変更することなく、前記複数のセルの各々に関連付けられている広告スロットの価格値を更新することと
を含む、項目１５１〜１５９のいずれか１項に記載の方法。
（項目１６１）
広告キャンペーンにおいて広告スロットを選択する方法であって、前記方法は、
予算値のユーザ選択を受信することと、
前記予算値をメモリに記憶することと、
前記予算値を第１の分割値および第２の分割値に分割することと、
前記第１および第２の分割値の各々を前記メモリに記憶することと、
複数のデータ構造を前記メモリに記憶することと、
複数のグループを定義することであって、前記複数のデータ構造の各々は、前記複数のグループのうちの１つに関連付けられる、ことと、
前記第１の分割値の一部分を前記複数のグループの各々に割り付けることと、
前記複数のグループの各々に対して、前記グループに割り付けられた前記第１の分割値の前記一部分に基づいて、前記グループに関連付けられている少なくとも１つのデータ構造にフラグを付けることと、
前記複数のデータ構造内のフラグを付けられていないデータ構造のサブセットを識別することと、
前記第２の分割値に基づいて、前記サブセット内の少なくとも１つのデータ構造にフラグを付けることと
を含む、方法。
（項目１６２）
前記複数のグループの各々に対して、前記グループに割り付けられた前記第１の分割値の前記一部分に基づいて、前記グループに関連付けられている少なくとも１つのデータ構造にフラグを付けることは、
聴衆関連基準に基づいて、前記グループに関連付けられている各データ構造をランク付けすることと、
前記グループに関連付けられている各データ構造の最高ランキングを有する複数のランク付けされたデータ構造を識別することと、
前記識別された複数のランク付けされたデータ構造の各々にフラグを付けることであって、前記識別された複数のランク付けされたデータ構造の各々に関連付けられている予算重みの合計は、前記グループに割り付けられた前記第１の分割値の前記一部分以下である、ことと
を含む、項目１６１に記載の方法。
（項目１６３）
前記第２の分割値に基づいて、前記サブセット内の少なくとも１つのデータ構造にフラグを付けることは、
聴衆関連基準に基づいて、前記複数のデータ構造のうちの各フラグを付けられていないデータ構造をランク付けすることと、
前記複数のデータ構造のうちの各データ構造の最高ランキングを有する複数のランク付けされたデータ構造を識別することと、
前記識別された複数のランク付けされたデータ構造の各々にフラグを付けることであって、前記識別された複数のランク付けされたデータ構造の各々に関連付けられている予算重みの合計は、前記第２の分割値以下である、ことと
含む、項目１６１または項目１６２に記載の方法。
（項目１６４）
前記第１の分割値の一部分を前記複数のグループの各々に割り付けることは、前記第１の分割値の一部分を前記複数のグループの各々に等しく割り付けることを含む、項目１６１〜１６３のいずれか１項に記載の方法。
（項目１６５）
前記複数のグループの各々は、期間を表す、項目１６１〜１６４のいずれか１項に記載の方法。
（項目１６６）
前記複数のデータ構造の各々は、利用可能な広告スロットを表す、項目１６１〜１６５のいずれか１項に記載の方法。
（項目１６７）
データ構造にフラグを付けることは、利用可能な広告スロットを広告キャンペーン計画に追加することを示す、項目１６１〜１６６のいずれか１項に記載の方法。
（項目１６８）
前記第１の分割値および前記第２の分割値は、ユーザ指定される、項目１６１〜１６７のいずれか１項に記載の方法。
（項目１６９）
グリッド配列で複数のセルを表示のために生成することをさらに含み、
前記複数のセルの各々は、前記複数のデータ構造のうちの１つを表し、
前記複数のセルの各々は、そのセルによって表される前記データ構造のコンテンツソースおよび期間に従って配列される、
項目１６１〜１６８のいずれか１項に記載の方法。
（項目１７０）
前記複数のデータ構造の各々は、予算重みに関連付けられ、各予算重みは、価格決定層に基づいて決定される、項目１６１〜１６９のいずれか１項に記載の方法。
（項目１７１）
広告キャンペーン計画のための価格を設定する方法であって、前記方法は、
メモリに複数のデータ構造を記憶することであって、各データ構造は、複数の広告スロットのうちの１つを表す、ことと、
前記複数のデータ構造の各々に、それぞれの広告スロットに関連付けられている価格値を記憶することと、
前記複数のデータ構造のうちの第１のデータ構造の前記価格値として記憶するように、固定価格値のユーザ選択を受信することと、
前記第１のデータ構造の前記価格値を変更することなく、前記複数のデータ構造の各々の前記価格値を自動的に更新することと
を含む、方法。
（項目１７２）
聴衆関連基準に基づいて、前記複数の広告スロットの各々に対する予想需要を決定することをさらに含み、前記自動的に更新される価格値は、関連広告スロットの予想需要に基づいて更新される、項目１７１に記載の方法。
（項目１７３）
各広告スロットのそれぞれのデータ構造に関連付けを記憶することによって、前記複数の広告スロットの各々を複数の価格決定層のうちの１つに関連付けることをさらに含む、項目１７１または項目１７２に記載の方法。
（項目１７４）
前記複数のデータ構造のうちの前記第１のデータ構造の前記価格値として、前記固定価格値を記憶することは、
前記複数の価格決定層のうちの第１の価格決定層の前記価格値として、前記固定価格値を記憶することであって、前記第１の価格決定層は、前記第１のデータ構造に関連付けられている、ことと、
前記複数の広告スロットの各々の予想需要に基づいて、前記複数の価格決定層のうちの第１のものの前記価格値を変更することなく、前記複数の価格決定層の各々の前記価格値を更新することと
をさらに含む、項目１７１〜１７３のいずれか１項に記載の方法。
（項目１７５）
前記第１のデータ構造の前記価格値を変更することなく、前記複数のデータ構造の各々の前記価格値を自動的に更新することは、前記第１のデータ構造の前記価格値を変更することなく、関連価格決定層に基づいて、前記複数のデータ構造の各々の前記価格値を更新することをさらに含む、項目１７４に記載の方法。
（項目１７６）
前記複数の広告スロットの各々に対する予想需要を決定することは、履歴インベントリデータ、予想インベントリデータ、現在の需要、および聴衆推定のうちの少なくとも１つに基づいて、予想需要を決定することを含む、項目１７１〜１７５のいずれか１項に記載の方法。
（項目１７７）
前記複数の広告スロットの各々に対する予想需要を決定することは、前記複数のデータ構造のうちの前記第１のデータ構造の前記価格値として前記固定価格を記憶することに応答して、前記予想需要の変動を推定することをさらに含む、項目１７１〜１７６のいずれか１項に記載の方法。
（項目１７８）
前記複数のデータ構造は、メディアプロバイダの利用可能なインベントリに対応している、項目１７１〜１７７のいずれか１項に記載の方法。
（項目１７９）
少なくとも１つの広告ソースから価格決定情報を受信することをさらに含み、前記複数のデータ構造の各々に記憶された各価格値は、前記価格決定情報に基づいている、項目１７１〜１７８のいずれか１項に記載の方法。
（項目１８０）
グリッド配列で複数のセルを表示のために生成することをさらに含み、
前記複数のセルの各々は、前記複数のデータ構造のうちの１つを表し、
前記複数のセルの各々は、そのセルによって表される前記データ構造のコンテンツソースおよび期間に従って配列され、
前記複数のセルの各々は、価格値を含む、
項目１７１〜１７９のいずれか１項に記載の方法。
【図面の簡単な説明】
【００１５】
本発明の上記および他の特徴、その性質および種々の利点は、添付図面と併せて解釈される、以下の詳細な説明を考慮すると、より明白となるであろう。
【図１】図１は、本開示のいくつかの実施形態による、聴衆管理システムの高レベルブロック図を示す。
【図２】図２は、本開示のいくつかの実施形態による、使用される例証的なユーザ機器デバイスのブロック図である。
【図３】図３は、本開示のいくつかの実施形態による、聴衆管理システムのための例証的なデバイスネットワークのブロック図である。
【図４】図４は、本開示のいくつかの実施形態による、データ駆動型メディア計画を構築する際のワークフロープロセスを図示する、ブロック図である。
【図５】図５は、本開示のいくつかの実施形態による、どのようにして利用可能なインベントリが予想されるかを図示する略図である。
【図６】図６Ａおよび６Ｂは、本開示のいくつかの実施形態による、どのようにして測定基準がメディア計画のためのインベントリブロックに対して決定されるかを図示する略図である。
【図７】図７は、本開示のいくつかの実施形態による、例証的なメディア計画インターフェースを示す。
【図８】図８は、本開示のいくつかの実施形態による、例証的なメディア計画インターフェースのための広告スロットの詳細図を示す。
【図９】図９は、本開示のいくつかの実施形態による、詳細情報表示を伴う例証的なメディア計画インターフェースを示す。
【図１０】図１０は、本開示のいくつかの実施形態による、例証的なメディア計画インターフェースのためのコンテンツソースおよび期間の重み付けオプションを示す。
【図１１】図１１は、本開示のいくつかの実施形態による、例証的なメディア計画インターフェースのための価格決定表示を示す。
【図１２】図１２は、本開示のいくつかの実施形態による、メディア計画インターフェースを表示のために生成することに関与する、例証的なステップのフローチャートである。
【図１３】図１３は、本開示のいくつかの実施形態による、システム視点からのメディア計画割り付けに関与する、例証的なステップのフローチャートである。
【図１４−１】図１４は、本開示のいくつかの実施形態による、メディア計画のための広告スロットの最適化および割り付けに関与する、例証的なステップのフローチャートである。
【図１４−２】図１４は、本開示のいくつかの実施形態による、メディア計画のための広告スロットの最適化および割り付けに関与する、例証的なステップのフローチャートである。
【図１５】図１５は、本開示のいくつかの実施形態による、メディア計画のための広告スロットの静的および動的価格決定に関与する、例証的なステップのフローチャートである。
【図１６】図１６は、本開示のいくつかの実施形態による、メディア計画のための価格決定層の静的および動的価格決定に関与する、例証的なステップのフローチャートである。
【発明を実施するための形態】
【００１６】
過去２０年間にわたって、大型データセットの量および多様性が指数関数的に増大しており、増大し続けるのみであろう。さらなるデータが利用可能になっているため、このデータは、手動で広告を配置するように、調査レポートの使用を通して、大部分は臨時にメディア配置を知らせるために使用されてきた。本明細書で説明されるシステムおよび方法は、大規模データセットおよび拡張コンピューティングリソースを用いて現在可能である、聴衆ベースの分析および標的化とのメディア活性化の結合を通して、メディア配置（「広告配置」、「宣伝配置」、または「スポット広告配置」とも称され得る）の最適化を可能にする、プラットフォームに関する。
【００１７】
テレビは、単一の広告スポットが数百から最大で数百万の人々によって見られる、媒体のままであるが、人口の異なるサブセットは、各スポット広告配置によって露出される。本明細書で説明されるシステムおよび方法は、このサブセットのメンバーおよび互との各サブセットの重複を理解するために、粒度の細かいデータを使用し、広告主の目標を最も効率的に満たす広告および販売促進配置の選択を可能にする。また、本明細書で説明されるシステムおよび方法は、テレビ以外の他の実施形態（例えば、オンライン実施形態）に適用可能である。本明細書で「聴衆管理システム」と称されるシステムは、複数のソース（例えば、パネル、セットトップ、スマートＴＶ等）からデータを取り込み、これらのデータソースを使用して広告インベントリのための配信の将来の推定を生成し、これらのデータソースのうちの１つ以上によって測定されるようなメディア重みの配信を可能にすることができる、共通プラットフォームを提供する。本システムは、メディア計画を構築する際のユーザの入力および選択に応じて、これらの測定基準のうちの１つ以上の配信を最適化する働きをする、最適化アルゴリズムを利用する。
【００１８】
本システムは、広告主のための特定の標的に基づいて、最適化されたメディア計画を構築する能力をインベントリ所有者に提供する。視聴者、家庭、または他の視聴グループレベルでセットトップまたは他の視聴率データに合致した標的化セグメントを使用して、本システムは、現在、広告配置を計画して駆動するために主に使用されている、従来の年齢／性別人口統計を超えて、所望の頻度で広告主の標的に到達するように、最適化されたメディア計画を組み立てるであろう。
【００１９】
聴衆メディア計画が本システムによって生成され、広告主によって承認されると、本システムは、メディア計画を実行するように、線形トラフィック命令を生成するであろう。これらのトラフィック命令が実行されると、本システムは、メディア計画が受託契約を広告主に配信することを確実にするように、配置を更新するであろう。
【００２０】
本システムはさらに、インベントリ所有者が、既存の線形ビジネスのためのインベントリ使用、価格決定、および販売率を評価し、システムを通して販売のためのインベントリ可用性および価格決定方針を定義する規則を確立することを可能にする。本明細書で参照される場合、「インベントリ」という用語は、それを通して、広告主がある期間にわたって聴衆に利用可能にされる広告を有することができる、任意の利用可能な媒体を指す（例えば、テレビ広告スロット、看板、雑誌、または任意の他の好適な媒体）。本システムは、アクティブなメディア計画の全てにわたるインベントリの使用を最適化し、発行者または他のインベントリ所有者が、最適化された基準で、聴衆標的化契約を多くの広告主に販売することを可能にする。例えば、本明細書で開示される実施形態はまた、複数のメディア計画および広告主基準に適用され得る。そのような場合において、聴衆管理システムは、推奨されたメディア計画に関連するユーザフィードバックを提供するために、応答様式で全ての広告主の間で割り付け得る。各実施形態では、聴衆管理システムは、別の広告キャンペーンより１つの広告キャンペーンのためにより好適であるかどうかに基づいて、利用可能なインベントリをランク付けし得、広告主の間でインベントリの不均衡な分配を回避するよう、割り付けを最適化し得る。
【００２１】
前述の内容は、類似参照記号が異なる図の全体を通して同一の部品を指す、添付図面で図示されるような例示的実施形態および実装の以下の説明から明白となるであろう。図面は、本明細書で説明されるシステムおよび方法を例証し、限定的として解釈されるものではない。
【００２２】
図１は、本開示のいくつかの実施形態による、聴衆管理システムの高レベルブロック図を示す。システム１００は、図３および４に関してさらに議論されるように、ユーザ機器デバイスまたはサーバ上で実装される聴衆管理プラットフォーム１０２を含む。聴衆管理プラットフォーム１０２は、利用可能な聴衆インプレッションおよび挙動のモデルを構築するために、全ての利用可能な視聴者からの秒毎または同様に粒度が細かい視聴率データ、そのような視聴率に対して合致したセグメンテーション標的化データ、および／またはＮｉｅｌｓｅｎあるいはＲｅｎｔｒａｋ等のプロバイダからの追加の処理された視聴率パネル測定基準を含む、視聴率データソース１０４から受信される視聴率および第三者セグメンテーションデータを取り込む。販売履歴ソース１０６は、聴衆管理プラットフォーム１０２に転送されるインベントリ所有者のトラフィックシステムから、販売履歴のフィードまたはバッチ転送を提供し、販売される各単位、単位価格、広告主および関連カテゴリまたはレートコード、および現在のインベントリ可用性レベルについてのデータを含み得る。これらの入力は、現在および将来のインベントリブロックのための販売率および１０００回のインプレッションあたりの費用（ＣＰＭ）を予想するために使用される。視聴率データソース１０２から受信されるセットトップインプレッションおよび標的化データと組み合わせられた、販売履歴ソース１０６から受信されるこのデータを使用して、聴衆管理プラットフォーム１０２は、ユーザが、どのインベントリのブロックが聴衆販売に利用可能であるかを管理して最適化し、価格を設定することを可能にする。これらの機能は、従来の線形販売モデルと本発明のデータ駆動型メディア配置モデルとの間で収率を最大限化することによって、インベントリが収入を増加させることに役立つことができる。
【００２３】
聴衆管理プラットフォーム１０２へのアクセスを可能にするウェブベースのコンソールまたは他のインターフェースであり得る、コンソール１１４を使用して、ユーザは、広告主の所望の標的（典型的には、第三者データソースおよび／または視聴率あるいは他の挙動からの１つ以上の属性によって定義される）、インプレッション配信目標、標的聴衆への到達、予算制約、および本システム外部のメディア計画を含むことができる、入力に基づいて、最適化されたメディア計画を作成することができる。提案がインベントリ所有者、広告主、またはシステムのユーザによって承認されると、聴衆管理プラットフォーム１０２は、データパス１１０を介してメディアトラフィックシステム１０８を通して処理するように、トラフィック命令モジュール１１２を使用してトラフィック命令を生成する。例えば、トラフィックシステム１０８は、インベントリ所有者のメディアトラフィックシステム（例えば、ＮＯＶＡＲシステム）であり得る。本システムにおいて複数の広告主がいる場合、トラフィック命令モジュール１１２は、広告主にわたって最適化し、収入、またはシステムユーザによって決定付けられるそのような他のパラメータ（例えば、販売率、複数のネットワークにわたるメディア計画の幅等）を最大限化する、トラフィック命令を生成するであろう。広告主の命令が実行され、メディアが配置されると、販売履歴ソース１０６に関して議論されるデータ転送を通して、検証された結果がシステムによって取り上げられる。次いで、本システムは、広告主のための契約聴衆配信を完了するように、将来の命令出力を調整するであろう。
【００２４】
システム１００は、コンソール１１４のユーザに提供されるオプションに応じて種々の形態を成し得る、好適な双方向インターフェースアプリケーションを使用して、コンソール１１４を通してユーザから入力を受信し得る。双方向インターフェースアプリケーションは、ユーザが、データ駆動型メディア配置と併せて使用される、インベントリ選択、値を重み付けること、価格設定、および最適化設定等の種々のオプションの間をナビゲートし、それらを特定し、選択することを可能にする、グラフィカルユーザインターフェース画面を生成し得る。本明細書で参照される場合、「メディアコンテンツ」または「メディア」という用語は、テレビ番組、ならびに有料番組、（ビデオオンデマンド（ＶＯＤ）システムの場合のような）オンデマンド番組、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、プレイリスト、ウェブサイト、記事、書籍、電子書籍、ブログ、広告、チャットセッション、ソーシャルメディア、アプリケーション、ゲーム、および／または任意の他のメディアあるいはマルチメディア、および／またはそれらの組み合わせ等の電子的に消費可能なユーザアセットを意味すると理解されるべきである。
【００２５】
双方向インターフェースアプリケーションおよび／または本明細書で説明される実施形態のうちのいずれかを行うための任意の命令は、コンピュータ読み取り可能な媒体上で符号化され得る。コンピュータ読み取り可能な媒体は、データを記憶することが可能な任意の媒体を含む。コンピュータ読み取り可能な媒体は、電気または電磁信号を伝搬することを含むが、それらに限定されない、一過性であり得るか、またはハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリあるいは記憶デバイスを含むが、それらに限定されない、非一過性であり得る。
【００２６】
本明細書で参照される場合、「ユーザ機器デバイス」、「ユーザ機器」、「ユーザデバイス」、「電子デバイス」、「電子機器」、「メディア機器デバイス」、または「メディアデバイス」という語句は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、携帯用ビデオプレーヤ、携帯用音楽プレーヤ、携帯用ゲーム機、スマートフォン、または任意の他のテレビ機器、コンピューティング機器、あるいは無線デバイス、および／またはそれらの組み合わせを含むが、それらに限定されない、オプションにアクセスし、それらを視聴し、選択するための任意のデバイス、またはそれらの任意の組み合わせを意味すると理解されるべきである。前述のデバイスのうちのいずれかは、本方法を行うか、または本明細書で説明されるシステムを操作するために、広告主、インベントリ所有者、発行者、または聴衆管理システムの任意のユーザによって使用され得ることを理解されたい。
【００２７】
いくつかの実施形態では、ユーザ機器デバイスは、正面画面および背面画面、複数の正面画面、または複数の角度付き画面を有し得る。いくつかの実施形態では、ユーザ機器デバイスは、正面カメラおよび／または背面カメラを有し得る。ユーザ機器デバイスは、双方向インターフェースアプリケーションを実装するように構成され得る。双方向インターフェースアプリケーションは、オンラインアプリケーション（すなわち、ウェブサイト上で提供される）として、またはユーザ機器デバイス上の独立型アプリケーションあるいはクライアントとして提供され得る。双方向インターフェースアプリケーションを実装し得る、種々のデバイスおよびプラットフォームは、以下でより詳細に説明される。
【００２８】
図２は、本開示のいくつかの実施形態による、使用される例証的なユーザ機器デバイスのブロック図である。ユーザは、ユーザ機器デバイスのうちの１つ以上から、コンテンツおよび双方向インターフェースアプリケーション（ならびに上記および下記で説明されるその表示画面）にアクセスし得る。例証的なユーザ機器デバイス２００の一般化実施形態が図２に示されている。聴衆管理システムとの関連でのユーザ機器デバイスのより具体的な実装が、図３に関連して以下で議論される。ユーザ機器デバイス２００は、入出力（以下「Ｉ／Ｏ」）パス２０２を介して、コンテンツおよびデータを受信し得る。Ｉ／Ｏパス２０２は、処理回路２０６および記憶装置２０８を含む制御回路２０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供し得る。制御回路２０４は、Ｉ／Ｏパス２０２を使用して、コマンド、要求、および他の好適なデータを送受信するために使用され得る。Ｉ／Ｏパス３０２は、制御回路２０４（具体的には、処理回路２０６）を１つ以上の通信パス（以下で説明される）に接続し得る。Ｉ／Ｏ機能は、これらの通信パスのうちの１つ以上によって提供され得るが、図面が複雑になり過ぎることを回避するため、図３では単一パスとして示されている。
【００２９】
制御回路２０４は、処理回路２０６等の任意の好適な処理回路に基づき得る。本明細書で参照される場合、処理回路とは、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解されるべきであり、マルチコアプロセッサ（例えば、デュアルコア、クアドコア、ヘクサコア、または任意の好適な数のコア）またはスーパーコンピュータを含み得る。聴衆管理システムで使用される、本明細書で説明される任意の構成要素（例えば、ユーザテレビ機器、ＰＣ、ラップトップ、無線携帯用デバイス、メディアコンテンツサーバ、メディアガイダンスサーバ、ユーザプロファイルサーバ、聴衆管理モジュール等）は、各自の制御回路２０４および処理回路２０６を有し得る。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散され得る。いくつかの実施形態では、制御回路２０４は、メモリ（すなわち、記憶装置２０８）に記憶された双方向インターフェースアプリケーションに対する命令を実行する。具体的には、制御回路２０４は、双方向インターフェースアプリケーションによって、上記および下記で議論される機能を果たすように命令され得る。例えば、双方向インターフェースアプリケーションは、メディアガイダンス表示を生成するための命令を制御回路２０４に提供し得る。いくつかの実装では、制御回路２０４によって行われるいかなるアクションも、双方向インターフェースアプリケーションから受信される命令に基づき得る。
【００３０】
クライアントサーバに基づく実施形態では、制御回路２０４は、ガイダンスアプリケーションサーバあるいは他のネットワークまたはサーバと通信するために好適な通信回路を含み得る。上記の機能性を実行するための命令は、ガイダンスアプリケーションサーバ上に記憶され得る。通信回路は、ケーブルモデム、総合デジタル通信網（ＩＳＤＮ）モデム、デジタル加入者回線（ＤＳＬ）モデム、電話モデム、イーサネット（登録商標）カード、または他の機器と通信するための無線モデム、または任意の他の好適な通信回路を含み得る。そのような通信は、インターネットあるいは任意の他の好適な通信ネットワークまたはパスを伴い得る（図３に関連してさらに詳細に説明される）。加えて、通信回路は、ユーザ機器デバイスのピアツーピア通信、または互から遠隔の場所にあるユーザ機器デバイスの通信を可能にする回路を含み得る（以下でさらに詳細に説明される）。
【００３１】
メモリは、制御回路２０４の一部である、記憶装置２０８として提供される、電子記憶デバイスであり得る。本明細書で参照される場合、「電子記憶デバイス」または「記憶デバイス」という語句は、ランダムアクセスメモリ、読み取り専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（パーソナルビデオレコーダとも呼ばれるＤＶＲ、またはＰＶＲ）、固体デバイス、量子記憶デバイス、ゲームコンソール、ゲームメディア、あるいは任意の他の好適な固定またはリムーバブル記憶デバイス、および／または同デバイスの任意の組み合わせ等の電子データ、コンピュータソフトウェア、またはファームウェアを記憶するための任意のデバイスを意味すると理解されるべきである。記憶装置２０８は、本明細書で説明される種々のタイプのコンテンツ、ならびに上記で説明されるメディアガイダンス情報、および上記で説明されるガイダンスアプリケーションデータを記憶するために使用され得る。非揮発性メモリもまた、（例えば、ブートアップルーチンおよび他の命令を起動するために）使用され得る。図３に関連して説明される、クラウドベースの記憶装置が、記憶装置２０８を補完するために、または記憶装置２０８の代わりに使用され得る。
【００３２】
制御回路２０４は、１つ以上のアナログチューナ、１つ以上のＭＰＥＧ−２デコーダ、または他のデジタル復号回路、高解像度チューナ、または任意の他の好適な同調あるいはビデオ回路、もしくはそのような回路の組み合わせ等のビデオ生成回路および同調回路を含み得る。符号化回路（例えば、記憶のために、無線、アナログ、またはデジタル信号をＭＰＥＧ信号に変換するためのもの）もまた、提供され得る。制御回路２０４はまた、コンテンツをユーザ機器２００の好ましい出力形式に上方変換および下方変換するためのスケーラ回路を含み得る。回路２０４はまた、デジタルおよびアナログ信号間で変換するためのデジタル・アナログ変換回路およびアナログ・デジタル変換回路を含み得る。同調および符号化回路は、コンテンツを受信して表示する、再生する、または記録するために、ユーザ機器デバイスによって使用され得る。同調および符号化回路はまた、ガイダンスデータを受信するために使用され得る。例えば、同調、ビデオ生成、符号化、復号、暗号化、解読、スケーラ、およびアナログ／デジタル回路を含む、本明細書で説明される回路は、１つ以上の汎用または特殊プロセッサ上で作動するソフトウェアを使用して実装され得る。複数のチューナが、同時同調機能に対処するように提供され得る（例えば、視聴および記録機能、ピクチャインピクチャ（ＰＩＰ）機能、多重チューナ記録機能等）。記憶装置２０８が、ユーザ機器２００とは別のデバイスとして提供される場合、同調および符号化回路（複数のチューナを含む）は、記憶装置２０８に関連付けられ得る。
【００３３】
ユーザは、ユーザ入力インターフェース２１０を使用して、命令を制御回路２０４に送信し得る。ユーザ入力インターフェース２１０は、リモートコントロール、マウス、トラックボール、キーパッド、キーボード、タッチ画面、タッチパッド、スタイラス入力、ジョイスティック、音声認識インターフェース、または他のユーザ入力インターフェース等の任意の好適なユーザインターフェースであり得る。ディスプレイ２１２は、独立型デバイスとして提供されるか、またはユーザ機器デバイス２００の他の要素と統合され得る。ディスプレイ２１２は、モニタ、テレビ、モバイルデバイス用液晶画面（ＬＣＤ）、または視覚画像を表示するための任意の他の好適な機器のうちの１つ以上であり得る。いくつかの実施形態では、ディスプレイ２１２は、ＨＤＴＶ対応型であり得る。いくつかの実施形態では、ディスプレイ２１２は、３Ｄディスプレイであり得、双方向インターフェースアプリケーションおよび任意の好適なコンテンツは、３Ｄで表示され得る。ビデオカードまたはグラフィックスカードが、出力をディスプレイ３１２に生成し得る。ビデオカードは、３Ｄシーンおよび２Ｄグラフィックの加速したレンダリング、ＭＰＥＧ−２／ＭＰＥＧ−４復号、ＴＶ出力、または複数のモニタを接続する能力等の種々の機能を提供し得る。ビデオカードは、制御回路２０４に関連する上記で説明される任意の処理回路であり得る。ビデオカードは、制御回路２０４と統合され得る。スピーカ２１４は、ユーザ機器デバイス２００の他の要素との統合として提供され得るか、または独立型ユニットであり得る。ディスプレイ２１２上に表示されるビデオおよび他のコンテンツの音声成分は、スピーカ２１４を通して再生され得る。いくつかの実施形態では、音声は、スピーカ２１４を介して音声を処理して出力する、受信機（図示せず）に配信され得る。
【００３４】
ガイダンスアプリケーションは、任意の好適なアーキテクチャを使用して実装され得る。例えば、これは、ユーザ機器デバイス２００上で完全に実装される、独立型アプリケーションであり得る。そのようなアプローチでは、アプリケーションの命令は、ローカルに記憶され、アプリケーションによって使用するためのデータは、（例えば、帯域外フィードから、インターネットリソースから、または別の好適なアプローチを使用して）周期的にダウンロードされる。いくつかの実施形態では、双方向インターフェースアプリケーションは、クライアントサーバベースのアプリケーションである。ユーザ機器デバイス２００上に実装される、シックまたはシンクライアントによって使用するためのデータは、ユーザ機器デバイス２００の遠隔にあるサーバに要求を発行することによって、オンデマンドで取り出される。クライアントサーバベースのガイダンスアプリケーションの一実施例では、制御回路２０４は、遠隔サーバによって提供されるウェブページを解釈する、ウェブブラウザを実行する。
【００３５】
いくつかの実施形態では、双方向インターフェースアプリケーションは、インタープリタまたは仮想マシン（制御回路２０４によって実行される）によって、ダウンロードされて解釈実行され、または別様に実行される。いくつかの実施形態では、ガイダンスアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）で符号化され、好適なフィードの一部として制御回路２０４によって受信され、制御回路２０４上で作動するユーザエージェントによって解釈され得る。例えば、ガイダンスアプリケーションは、ＥＢＩＦアプリケーションであり得る。いくつかの実施形態では、ガイダンスアプリケーションは、制御回路２０４によって実行されるローカル仮想マシンまたは他の好適なミドルウェアによって受信されて実行される、一連のＪＡＶＡ（登録商標）ベースのファイルによって定義され得る。そのような実施形態のうちのいくつか（例えば、ＭＰＥＧ−２または他のデジタルメディア符号化方式を採用するもの）では、ガイダンスアプリケーションは、例えば、番組のＭＰＥＧオーディオおよびビデオパケットを用いたＭＰＥＧ−２オブジェクトカルーセルにおいて符号化および伝送され得る。
【００３６】
図３は、本開示のいくつかの実施形態による、聴衆管理システムのための例証的なデバイスネットワークのブロック図である。図２のユーザ機器デバイス２００は、ユーザテレビ機器３０２、ユーザコンピュータ機器３０４、無線ユーザ通信デバイス３０６、または非携帯型ゲーム機等のコンテンツにアクセスするために好適な任意の他のタイプのユーザ機器として、図３のシステム３００に実装されることができる。簡単にするために、これらのデバイスは、本明細書では総称して、ユーザ機器またはユーザ機器デバイスと称され得、上記で説明されるユーザ機器デバイスに実質的に類似し得る。双方向インターフェースアプリケーションが実装され得る、ユーザ機器デバイスは、独立型デバイスとして機能し得るか、またはデバイスのネットワークの一部であり得る。デバイスの種々のネットワーク構成が実装され得、以下でさらに詳細に議論される。
【００３７】
図２に関連して上記で説明されるシステム特徴のうちの少なくともいくつかを利用する、ユーザ機器デバイスは、単に、ユーザテレビ機器３０２、ユーザコンピュータ機器３０４、または無線ユーザ通信デバイス３０６として分類されないこともある。例えば、ユーザテレビ機器３０２が、いくつかのユーザコンピュータ機器３０４のように、インターネットコンテンツへのアクセスを可能にするインターネット対応型であり得る一方で、ユーザコンピュータ機器３０４が、いくつかのテレビ機器３０２のように、テレビ番組へのアクセスを可能にするチューナを含み得る。双方向インターフェースアプリケーションは、種々の異なるタイプのユーザ機器上で同一レイアウトを有し得るか、またはユーザ機器の表示能力に合わせられ得る。例えば、ユーザコンピュータ機器３０４上では、ガイダンスアプリケーションは、ウェブブラウザによってアクセスされるウェブサイトとして提供され得る。別の実施例では、ガイダンスアプリケーションは、無線ユーザ通信デバイス３０６用に縮小され得る。
【００３８】
聴衆管理システム３００では、典型的には、各タイプのユーザ機器デバイスが２つ以上存在するが、図面が複雑になり過ぎることを回避するように、各々の１つだけが図３に示されている。加えて、各ユーザは、２つ以上のタイプのユーザ機器デバイスを利用し、さらに、各タイプのユーザ機器デバイスのうちの２つ以上を利用し得る。
【００３９】
いくつかの実施形態では、ユーザ機器デバイス（例えば、ユーザテレビ機器３０２、ユーザコンピュータ機器３０４、無線ユーザ通信デバイス３０６）は、「第２の画面デバイス」と称され得る。例えば、第２の画面デバイスは、第１のユーザ機器デバイス上に提示されるコンテンツを補完し得る。第２の画面デバイス上に提示されるコンテンツは、第１のデバイス上に提示されるコンテンツを補完する、任意の好適なコンテンツであり得る。いくつかの実施形態では、第２の画面デバイスは、第１のデバイスの設定および表示選好を調整するためのインターフェースを提供する。いくつかの実施形態では、第２の画面デバイスは、他の第２の画面デバイスと相互作用するため、またはソーシャルネットワークと相互作用するために構成される。第２の画面デバイスは、第１のデバイスと同一の部屋の中、第１のデバイスとは異なる部屋であるが同一の家または建物の中、または第１のデバイスとは異なる建物の中に位置することができる。
【００４０】
ユーザはまた、家庭内デバイスおよび遠隔デバイスにわたって一貫した双方向インターフェースアプリケーション設定を維持するように、種々の設定を設定し得る。設定は、本明細書で説明される設定、ならびにお気に入りのチャンネルおよび番組、番組を推奨するためにガイダンスアプリケーションが利用する番組選好、表示選好、および他の望ましいガイダンス設定を含む。例えば、ユーザが、オフィスにあるパーソナルコンピュータ上で、例えば、ウェブサイトｗｗｗ．ａｌｌｒｏｖｉ．ｃｏｍ上のチャンネルをお気に入りとして設定した場合、同一のチャンネルが、所望であれば、ユーザの家庭内デバイス（例えば、ユーザテレビ機器およびユーザコンピュータ機器）、ならびにユーザのモバイルデバイス上でお気に入りとして表示されるであろう。したがって、同一タイプのユーザ機器デバイスであるか、異なるタイプのユーザ機器デバイスであるかにかかわらず、１つのユーザ機器デバイス上で行われる変更は、別のユーザ機器デバイス上のガイダンス体験を変更することができる。加えて、行われる変更は、ユーザによって入力される設定、ならびにガイダンスアプリケーションによって監視されるユーザ活動に基づき得る。
【００４１】
ユーザ機器デバイスは、通信ネットワーク３１４に連結され得る。すなわち、ユーザテレビ機器３０２、ユーザコンピュータ機器３０４、および無線ユーザ通信デバイス３０６は、それぞれ、通信パス３０８、３１０、および３１２を介して、通信ネットワーク３１４に連結される。通信ネットワーク３１４は、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、あるいは通信ネットワークの組み合わせを含む、１つ以上のネットワークであり得る。パス３０８、３１０、および３１２は、別個または一緒に、衛星パス、光ファイバパス、ケーブルパス、インターネット通信をサポートするパス（例えば、ＩＰＴＶ）、フリースペース接続（例えば、放送または他の無線信号用）、あるいは任意の他の好適な有線または無線通信パス、もしくはそのようなパスの組み合わせ等の１つ以上の通信パスを含み得る。パス３１２は、図３に示された例示的実施形態において、無線パスであることを示すように破線で描かれ、パス３０８および３１０は、有線パスであることを示すように実線で描かれている（但し、これらのパスは所望であれば無線パスであり得る）。ユーザ機器デバイスとの通信は、これらの通信パスのうちの１つ以上によって提供され得るが、図３では、図面が複雑になり過ぎることを回避するように、単一パスとして示されている。
【００４２】
通信パスは、ユーザ機器デバイスの間には描かれていないが、これらのデバイスは、パス３０８、３１０、および３１２に関連して上記で説明されるもの等の通信パス、ならびにＵＳＢケーブル、ＩＥＥＥ１３９４ケーブル、無線パス（例えば、Ｂｌｕｅｔｏｏｔｈ（登録商標）、赤外線、ＩＥＥＥ８０２−１１ｘ等）等の他の短距離ポイントツーポイント通信パス、あるいは有線または無線パスを介した他の短距離通信を介して、互に直接通信し得る。ＢＬＵＥＴＯＯＴＨ（登録商標）は、Ｂｌｕｅｔｏｏｔｈ（登録商標）  ＳＩＧ，ＩＮＣ．によって所有される認証マークである。ユーザ機器デバイスはまた、通信ネットワーク３１４を介した間接的パスを通して、互に直接通信し得る。
【００４３】
聴衆管理システム３００は、それぞれ、通信パス３２０および３２２を介して、通信ネットワーク３１４に連結される、コンテンツソース３１６およびメディアガイダンスデータソース３１８を含む。パス３２０および３２２は、パス３０８、３１０、および３１２に関して上記で説明される通信パスのうちのいずれかを含み得る。コンテンツソース３１６およびメディアガイダンスデータソース３１８との通信は、１つ以上の通信パスを経由して交信され得るが、図３では、図面が複雑になり過ぎることを回避するように、単一パスとして示されている。コンテンツソース３１６は、任意のタイプのメディアコンテンツプロバイダまたはサービスプロバイダであり得、通信ネットワーク３１４を経由してメディア推奨を任意のユーザ機器デバイスに提供することが可能であり得る。加えて、コンテンツソース３１６およびメディアガイダンスデータソース３１８の各々が２つ以上あり得るが、図３では、図面が複雑になり過ぎることを回避するように、各々の１つだけが示されている。（これらのソースの各々の異なるタイプを以下で議論する。）
所望であれば、コンテンツソース３１６およびメディアガイダンスデータソース３１８は、１つのソースデバイスとして統合され得る。ユーザ機器デバイス３０２、３０４、および３０６とソース３１６および３１８との間の通信は、通信ネットワーク３１４を通したものとして示されているが、いくつかの実施形態では、ソース３１６および３１８は、パス３０８、３１０、および３１２に関連して上記で説明されるもの等の通信パス（図示せず）を介して、ユーザ機器デバイス３０２、３０４、および３０６と直接通信し得る。
【００４４】
コンテンツソース３１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つ以上のタイプのメディア配信機器を含み得る。ＮＢＣは、Ｎａｔｉｏｎａｌ  Ｂｒｏａｄｃａｓｔｉｎｇ  Ｃｏｍｐａｎｙ，Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，ＩＮＣ．によって所有される商標であり、ＨＢＯは、Ｈｏｍｅ  Ｂｏｘ  Ｏｆｆｉｃｅ，Ｉｎｃ．によって所有される商標である。コンテンツソース３１６は、コンテンツの発信元であり得るか（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース３１６は、ケーブルソース、衛星プロバイダ、オンデマンドプロバイダ、インターネットプロバイダ、オーバーザトップコンテンツプロバイダ、または他のコンテンツのプロバイダを含み得る。コンテンツソース３１６はまた、ユーザ機器デバイスのうちの任意のものから遠隔の場所にある、異なるタイプのコンテンツ（ユーザによって選択されるビデオコンテンツを含む）を記憶するために使用される、遠隔メディアサーバを含み得る。コンテンツの遠隔記憶のため、および遠隔に記憶されたコンテンツをユーザ機器に提供するためのシステムおよび方法は、その全体を参照することにより本明細書に組み込まれる、２０１０年７月２０日出願のＥｌｌｉｓらの米国特許出願第７，７６１，８９２号に関連して、さらに詳細に論じられている。
【００４５】
メディアガイダンスデータソース４１８は、上記で説明されるメディアガイダンスデータ等のメディアガイダンスデータを提供し得る。双方向インターフェースアプリケーションデータは、任意の好適なアプローチを使用して、ユーザ機器デバイスに提供され得る。いくつかの実施形態では、ガイダンスアプリケーションは、データフィード（例えば、継続フィードまたはトリクルフィード）を介して、番組ガイドデータを受信する、独立型双方向テレビ番組ガイドであり得る。番組スケジュールデータおよび他のガイダンスデータは、テレビチャンネルのサイドバンド上で、帯域内デジタル信号を使用して、帯域外デジタル信号を使用して、または任意の他の好適なデータ伝送技術によって、ユーザ機器に提供され得る。番組スケジュールデータおよび他のガイダンスデータは、複数のアナログまたはデジタルテレビチャンネル上でユーザ機器に提供され得る。
【００４６】
いくつかの実施形態では、メディアガイダンスデータソース３１８からのガイダンスデータは、クライアントサーバアプローチを使用して、ユーザの機器に提供され得る。例えば、ユーザ機器デバイスは、メディアガイダンスデータをサーバからプルし得るか、またはサーバは、メディアガイダンスデータをユーザ機器デバイスにプッシュし得る。いくつかの実施形態では、ユーザの機器上に常駐するガイダンスアプリケーションクライアントは、必要とされるとき、例えば、ガイダンスデータが古くなっているとき、またはユーザ機器デバイスがデータを受信するための要求をユーザから受信するとき、ソース３１８とセッションを開始し、ガイダンスデータを取得し得る。メディアガイダンスは、任意の好適な頻度で（例えば、継続的に、各日、ユーザ指定期間で、システム指定期間で、ユーザ機器からの要求に応じて等）ユーザ機器に提供され得る。メディアガイダンスデータソース３１８は、ユーザ機器デバイス３０２、３０４、および３０６に、双方向インターフェースアプリケーション自体、または双方向インターフェースアプリケーションのソフトウェア更新を提供し得る。
【００４７】
ユーザ設定、ユーザ個人化、ユーザ選好、およびユーザメディアコンテンツ情報を含む、ユーザプロファイル情報は、ユーザ機器デバイス上および／またはユーザプロファイルサーバ３２４上に記憶され得る。ユーザプロファイルサーバ３２４は、通信パス３２６および通信ネットワーク３１４を通して、ユーザ機器デバイス３０２、３０４、および３０６と通信し得る。ユーザプロファイルサーバ３２４は、ユーザメディアネットワークに関連付けられるユーザプロファイル情報を記憶するための記憶デバイスを含み得る。ユーザプロファイルサーバ３２４はまた、メディアコンテンツの記録および／または選択されたメディアコンテンツのリストを含む、ユーザメディアネットワークに関連付けられるメディアコンテンツ情報を記憶するための記憶デバイスを含み得る。ユーザプロファイルサーバ３２４は、ユーザプロファイル情報を管理し、ユーザ機器デバイスを遠隔制御してそれと通信し、ユーザ機器デバイスとユーザプロファイル情報を交信するためのプロセッサおよび通信回路を含み得る。メディアコンテンツソース３１６は、メディア推奨が送信され得る、またはユーザプロファイル情報を維持するための自らのユーザプロファイルサーバを有し得る、特定のユーザについての情報を取得するように、ユーザプロファイルサービス３２４と通信し得る。
【００４８】
双方向インターフェースアプリケーションは、例えば、ユーザ機器デバイス上に実装される独立型アプリケーションであり得る。例えば、双方向インターフェースアプリケーションは、記憶装置２０８内に記憶され、ユーザ機器デバイス２００の制御回路２０４によって実行され得る、ソフトウェアまたは一式の実行可能命令として実装され得る。いくつかの実施形態では、双方向インターフェースアプリケーションは、クライアントアプリケーションのみが、ユーザ機器デバイス上に常駐し、サーバアプリケーションが、遠隔サーバ上に常駐する、クライアントサーバアプリケーションであり得る。例えば、双方向インターフェースアプリケーションは、部分的にユーザ機器デバイス２００の制御回路２０４上のクライアントアプリケーションとして、かつ部分的に遠隔サーバの制御回路上で作動するサーバアプリケーション（例えば、メディアガイダンスデータソース３１８）として遠隔サーバ上で、実装され得る。遠隔サーバ（メディアガイダンスデータソース３１８等）の制御回路によって実行されるとき、双方向インターフェースアプリケーションは、制御回路に、ガイダンスアプリケーション表示を生成し、生成された表示をユーザ機器デバイスに伝送するように命令し得る。サーバアプリケーションは、メディアガイダンスデータソース３１８の制御回路に、ユーザ機器上に記憶するためのデータを伝送するように命令し得る。クライアントアプリケーションは、受信ユーザ機器の制御回路に、ガイドアプリケーション表示を生成するように命令し得る。
【００４９】
ユーザ機器デバイス３０２、３０４、および３０６に配信されるコンテンツおよび／またはメディアガイダンスデータは、オーバーザトップ（ＯＴＴ）コンテンツであり得る。ＯＴＴコンテンツ配信は、上記で説明される任意のユーザ機器デバイスを含む、インターネット対応型ユーザデバイスが、ケーブルまたは衛星接続を経由して受信されるコンテンツに加えて、上記で説明される任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者が、コンテンツを配信する。ＩＳＰは、視聴能力、著作権、またはコンテンツの再配信に関与していない場合もあり、ＯＴＴコンテンツプロバイダによって提供されるＩＰパケットを転送のみし得る。ＯＴＴコンテンツプロバイダの実施例は、ＩＰパケットを介して、オーディオおよびビデオを提供する、ＹＯＵＴＵＢＥ（登録商標）、ＮＥＴＦＬＩＸ、およびＨＵＬＵを含む。Ｙｏｕｔｕｂｅは、Ｇｏｏｇｌｅ  Ｉｎｃ．によって所有される商標であり、Ｎｔｆｌｉｘは、Ｎｔｆｌｉｘ，Ｉｎｃ．によって所有される商標であり、Ｈｕｌｕは、Ｈｕｌｕ，ＬＬＣ．によって所有される商標である。ＯＴＴコンテンツプロバイダは、加えて、または代替として、上記で説明されるメディアガイダンスデータを提供し得る。コンテンツおよび／またはメディアガイダンスデータに加えて、ＯＴＴコンテンツのプロバイダが、双方向インターフェースアプリケーション（例えば、ウェブベースのアプリケーションまたはクラウドベースのアプリケーション）を配信することができるか、またはコンテンツは、ユーザ機器デバイス上に記憶された双方向インターフェースアプリケーションによって表示されることができる。
【００５０】
聴衆管理システム３００は、ユーザ機器デバイスならびにコンテンツおよびガイドデータのソースが、コンテンツにアクセスし、メディアガイダンスを提供する目的で、互に通信し得る、いくつかのアプローチ、またはネットワーク構成を例証することを目的としている。本明細書で説明される実施形態は、これらのアプローチのうちのいずれか１つまたはサブセットにおいて、またはコンテンツを配信し、メディアガイダンスを提供するための他のアプローチを採用するシステムにおいて、適用され得る。以下の４つのアプローチは、図３の一般化実施例の具体的例証を提供する。
【００５１】
あるアプローチでは、ユーザ機器デバイスは、ホームネットワーク内で互に通信し得る。ユーザ機器デバイスは、上記で説明される短距離ポイントツーポイント通信方式を介して、ホームネットワーク上に提供されるハブまたは他の類似デバイスを通した間接パスを介して、あるいは通信ネットワーク３１４を介して、互に直接通信することができる。１つの家庭内の複数の個人の各々が、ホームネットワーク上の異なるユーザ機器デバイスを動作させ得る。結果として、種々のメディアガイダンス情報または設定が、異なるユーザ機器デバイス間で伝達されることが望ましくあり得る。例えば、２００５年７月１１日出願のＥｌｌｉｓらの米国特許出願第１１／１７９，４１０号でさらに詳細に説明されているように、ホームネットワーク内の異なるユーザ機器デバイス上で、ユーザが一貫した双方向インターフェースアプリケーション設定を維持することが望ましくあり得る。ホームネットワーク内の異なるタイプのユーザ機器デバイスはまた、コンテンツを伝送するように互に通信し得る。例えば、ユーザは、ユーザコンピュータ機器から携帯用ビデオプレーヤまたは携帯用音楽プレーヤにコンテンツを伝送し得る。
【００５２】
第２のアプローチでは、ユーザは、コンテンツにアクセスしてメディアガイダンスを取得する、複数のタイプのユーザ機器を有し得る。例えば、一部のユーザは、家庭内およびモバイルデバイスによってアクセスされる、ホームネットワークを有し得る。ユーザは、遠隔デバイス上に実装される双方向インターフェースアプリケーションを介して、家庭内デバイスを制御し得る。例えば、ユーザは、オフィスにあるパーソナルコンピュータ、あるいはＰＤＡまたはウェブ対応携帯電話等のモバイルデバイスを介して、ウェブサイト上のオンライン双方向インターフェースアプリケーションにアクセスし得る。ユーザは、ユーザの家庭内機器を制御するように、オンラインガイダンスアプリケーション上で種々の設定（例えば、記録、リマインダ、または他の設定）を設定し得る。オンラインガイドは、直接、またはユーザの家庭内機器上の双方向インターフェースアプリケーションと通信することによって、ユーザの機器を制御し得る。ユーザ機器デバイスが互から遠隔の場所にある、ユーザ機器デバイス通信のための種々のシステムおよび方法は、例えば、その全体を参照することにより本明細書に組み込まれる、Ｅｌｌｉｓらの２０１１年１０月２５日発行の米国特許第８，０４６，８０１号で議論されている。
【００５３】
第３のアプローチでは、家庭内外のユーザ機器デバイスのユーザは、コンテンツソース３１６と直接通信し、コンテンツにアクセスするために、双方向インターフェースアプリケーションを使用することができる。具体的には、家庭内では、ユーザテレビ機器３０２およびユーザコンピュータ機器３０４のユーザは、所望のコンテンツ間をナビゲートし、それを特定するように、メディアガイドアプリケーションにアクセスし得る。ユーザはまた、所望のコンテンツ間をナビゲートし、それを見つけるために、無線ユーザ通信デバイス３０６を使用して、家庭外の双方向インターフェースアプリケーションにアクセスし得る。
【００５４】
第４のアプローチでは、ユーザ機器デバイスは、クラウドサービスにアクセスするように、クラウドコンピューティング環境内で動作し得る。クラウドコンピューティング環境では、コンテンツ共有、記憶、または配信のための種々のタイプのコンピューティングサービス（例えば、ビデオ共有サイトまたはソーシャルネットワーキングサイト）が、「クラウド」と称される、ネットワークアクセス可能コンピューティングおよび記憶リソースの集合によって提供される。例えば、クラウドは、通信ネットワーク３１４を介したインターネット等のネットワークを介して接続される、種々のタイプのユーザおよびデバイスにクラウドベースのサービスを提供する、中央または分散場所に位置し得る、サーバコンピューティングデバイスの集合を含むことができる。これらのクラウドリソースは、１つ以上のコンテンツソース３１６および１つ以上のメディアガイダンスデータソース３１８を含み得る。加えて、または代替案では、遠隔コンピューティングサイトは、ユーザテレビ機器３０２、ユーザコンピュータ機器３０４、および無線ユーザ通信デバイス３０６等の他のユーザ機器デバイスを含み得る。例えば、他のユーザ機器デバイスは、ビデオの記憶されたコピーまたはストリーミング配信されるビデオへのアクセスを提供し得る。そのような実施形態では、ユーザ機器デバイスは、中央サーバと通信せずに、ピアツーピア様式で動作し得る。
【００５５】
クラウドは、ユーザ機器デバイスのために、上記で説明されるの任意のコンテンツへのアクセスのみならず、他の例の中でもとりわけ、コンテンツ記憶、コンテンツ共有、またはソーシャルネットワーキングサービス等のサービスへのアクセス、を提供する。サービスは、クラウドコンピューティングサービスプロバイダを通して、またはオンラインサービスの他のプロバイダを通して、クラウド内で提供することができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツが、接続されたデバイス上の他者による視聴のために配信される。これらのクラウドベースのサービスは、ユーザ機器デバイスが、コンテンツをローカルに記憶し、ローカルに記憶されたコンテンツにアクセスするよりもむしろ、コンテンツをクラウドに記憶すること、およびコンテンツをクラウドから受信することを可能にし得る。
【００５６】
ユーザは、コンテンツを記録するために、カムコーダ、ビデオモード付きデジタルカメラ、オーディオレコーダ、携帯電話、およびハンドヘルドコンピュータデバイス等の種々のコンテンツ捕捉デバイスを使用し得る。ユーザは、直接、例えば、ユーザコンピュータ機器３０４、またはコンテンツ捕捉特徴を有する無線ユーザ通信デバイス３０６のいずれかから、クラウド上のコンテンツ記憶サービスにコンテンツをアップロードすることができる。代替として、ユーザは、最初に、コンテンツをユーザ機器デバイス、例えば、ユーザコンピュータ機器３０４に転送することができる。コンテンツを記憶するユーザ機器デバイスは、通信ネットワーク３１４上のデータ伝送サービスを使用して、コンテンツをクラウドにアップロードする。いくつかの実施形態では、ユーザ機器デバイス自体は、クラウドリソースであり、他のユーザ機器デバイスは、ユーザがコンテンツを記憶したユーザ機器デバイスから直接、コンテンツにアクセスすることができる。
【００５７】
クラウドリソースは、例えば、ウェブブラウザ、双方向インターフェースアプリケーション、デスクトップアプリケーション、モバイルアプリケーション、および／またはそれらのアクセスアプリケーションの任意の組み合わせを使用して、ユーザ機器デバイスによってアクセスされ得る。ユーザ機器デバイスは、アプリケーション配信のためにクラウドコンピューティングに依拠する、クラウドクライアントであり得るか、またはユーザ機器デバイスは、クラウドリソースにアクセスすることなく、ある機能性を有し得る。例えば、ユーザ機器デバイス上で作動するいくつかのアプリケーションが、クラウドアプリケーション、すなわち、インターネットを経由してサービスとして配信されるアプリケーションであり得る一方で、他のアプリケーションは、ユーザ機器デバイス上に記憶されて実行され得る。いくつかの実施形態では、ユーザデバイスは、コンテンツを複数のクラウドリソースから同時に受信し得る。例えば、ユーザデバイスは、オーディオを１つのクラウドリソースからストリーミング配信する一方で、コンテンツを第２のクラウドリソースからダウンロードすることができる。または、ユーザデバイスは、より効率的なダウンロードのために、コンテンツを複数のクラウドリソースからダウンロードすることができる。いくつかの実施形態では、ユーザ機器デバイスは、図２に関連して説明される処理回路によって行われる処理動作等の処理動作にクラウドリソースを使用することができる。
【００５８】
図４は、本開示のいくつかの実施形態による、データ駆動型メディア計画を構築する際のワークフロープロセスを図示する略図である。ワークフロープロセス４００は、データ駆動型メディア配置計画を構築する際の聴衆管理システム３００のユーザの視点を図示する。新しい広告主またはキャンペーンのためのメディア計画を作成するときに、ユーザは、最初に、ステップ４０２でその広告主のための新しいアカウントおよび／またはキャンペーンを作成することができる。いくつかの実施形態では、ユーザは、ユーザ入力インターフェース３１０を介して入力を受信する、ユーザ機器デバイス２００上の双方向インターフェースアプリケーションを使用して、聴衆管理モジュール３２８を動作させ得る。いくつかの実施形態では、聴衆管理モジュール３２８は、通信ネットワーク３１４を通して聴衆管理モジュール３２８と通信する、遠隔に位置する任意の他の好適なユーザ機器デバイス、例えば、ウェブインターフェースを使用するデバイスから動作させられ得る。ユーザは、例えば、広告主、インベントリ所有者、または、広告主の代わりに行動する第三者であり得る。
【００５９】
アカウントが作成されると、本プロセスは、ステップ４０４に進む。ステップ４０４では、ユーザは、本システムを通して標的化されるべき、ある特性を伴う視聴者または家庭のグループを識別する、メディア計画に使用されるべき標的セグメントを識別する。これらは、聴衆管理システム３００に利用可能であり、視聴率データと合致した、第三者によって作成される特定の標的セグメント、または聴衆管理システム３００を通してアクセス可能であるか、あるいはユーザによって作成される挙動セグメントを含み得る。例えば、ＮＢＣ等のメディアコンテンツソースは、「Ｓａｔｕｒｄａｙ  Ｎｉｇｈｔ  Ｌｉｖｅを過去６ヶ月に３回視聴した」等の所定の標的セグメントをユーザに提供することが可能であり得る。いくつかの実施形態では、聴衆管理モジュール３２８は、視聴率データに基づいて所定の標的セグメントのリストを取り出すように、メディアコンテンツソース３１６に問い合わせを行い得る。いくつかの実施形態では、聴衆管理モジュール３２８は、視聴率データを取り出して、ユーザが各自の標的セグメントを生成することを可能にするように、ユーザプロファイルサーバ３２４に問い合わせを行い得る。加えて、既存の標的の和集合または共通集合が、聴衆管理モジュール３２８の標的作成機能を使用して、新しい標的として定義され得る。
【００６０】
ユーザが広告キャンペーンにおいて到達したい１つ以上の標的セグメントを確立すると、次いで、本プロセスは、ステップ４０６に進み得る。ステップ４０６では、ユーザは、以前に確立された標的セグメントに到達するように、ユーザが最適化されたメディア計画を構築することを可能にする、聴衆管理モジュール３２８の配置機能を利用し得る。「配置」という用語は、広告キャンペーンの実行時に、広告メディアが予定された期間内に聴衆に利用可能にされるように、広告主の広告キャンペーンへの利用可能な広告スロットの形態等のインベントリの追加または割り付けを意味すると理解されるべきである。いくつかの実施形態では、配置機能は、図１３および１４に関してさらに詳細に説明されるように、全インプレッション、予算制約、インベントリ制限、到達範囲、頻度、またはそれらの任意の好適な組み合わせ等のキャンペーン目標およびパラメータを設定することに関し得る。いくつかの実施形態では、ステップ３２８は、広告管理モジュール３２８の処理回路２０６によって行われる反復プロセスであり得る。例えば、聴衆管理モジュール３２８によって果たされるような配置機能は、図１３および１４に関してさらに詳細に議論されるように、キャンペーン目標およびパラメータに対してユーザによって行われた修正、または設定された重み付けられたパラメータに基づいて、所与の計画のためのメディア配置を変更または最適化し得る。ユーザは、メディア計画配置を再検討し、特定のコンテンツソース（例えば、ウェブサイトまたはテレビチャネル）上の、またはそれを用いた広告が、他のものより効果的であることを決定し、次いで、比較的高い重み値をそのチャネルに割り当て得るか、または再び割り当て得る。ユーザの変更が入力されると、配置プロセスは、ユーザが配置結果に満足したことを示すまで、これらの変更に基づいて繰り返し得る。
【００６１】
メディア計画が配置機能によって作成され、ユーザによって承認されると、次いで、本プロセスはステップ４０８に進む。ステップ４０８は、随意に、ユーザが広告主ではないが、広告主の代わりに行動しているシナリオで行われ得る。ステップ４０８では、ユーザは、広告主と共有する提案を生成することができるであろう。提案は、キャンペーンのために配信されている目標およびメディアの要約を提供する、フォーマットされたレポートであり、通信ネットワーク３１４を経由して広告主のデバイスに転送され得る。広告主が提案／キャンペーンへの変更を要求する場合、配置機能は、ユーザが、キャンペーンパラメータに更新を行い、新しいバージョンを保存し、新しい提案を生成することを可能にするであろう。いくつかの実施形態では、ユーザは、例えば、ウェブインターフェースを通して、直接的にメディア計画のパラメータを編集するように、広告主へのアクセスを許可し得る。いくつかの実施形態では、提案は、広告主のユーザ機器デバイス上で実装される双方向インターフェースアプリケーションの形態であり得る。例えば、広告主は、双方向インターフェースアプリケーションにおいてパラメータおよび提案されたメディア計画を視認することが可能であり得る。いくつかの実施形態では、広告主は、提案されたメディア計画のパラメータへの変更を提案し、広告主の提案された変更がどのようにしてメディア計画に影響を及ぼすかを確認するために、配置機能をシミュレートし得る。
【００６２】
広告主および／またはユーザが、配置機能を使用して作られたメディア計画予想に満足した場合、次いで、ユーザは、例えば、聴衆管理モジュール３２８の記憶装置２０８にメディア計画および提案を記憶することによって、メディア計画および提案の現在の状態を保存し得る。本プロセスは、ステップ４１０に進む。ステップ４１０では、聴衆管理モジュール３２８は、特定のコンテンツプロバイダに対して、利用可能な広告スロットまたはスポットに従って、特定の組の広告配置を生成する。これらの配置は、本明細書で議論される種々の実施形態に関連して議論される、最適化パラメータに基づく。いくつかの実施形態では、配置は、広告を実行するために特定の時間を要求し得る。いくつかの実施形態では、配置は、広告を実行するための期間を指定し得、期間内であるが、広告を実行するコンテンツソースによって指定される特定の時間に、広告が出現するように要求される、「ファジー」スケジュールが生成され得る。ステップ４１０と同時に、または代替として、命令が、ステップ４１２で、トラフィック／販売促進スケジューリングシステムに転送され、それによって取り込まれ得る。
【００６３】
本プロセスは、ステップ４１４に進む。ステップ４１４では、広告主のためのメディア配置は、広告が配置されると、トラフィックシステムおよび広告インサータを介して実行される。次いで、本プロセスは、ステップ４１６に進み、そこで、検証された配置は、検証または実行時ログを介してシステムにフィードバックされる。このデータおよび収集された視聴率データを使用して、聴衆管理モジュール３２８は、実際の検証されたインプレッション配信を用いて、配置に対する聴衆の推定を更新することができ、今までの業績に基づいて将来の配置を更新するであろう。次いで、聴衆管理モジュール３２８は、通信ネットワーク３１４を通してアクセス可能であるようなセットトップインプレッションから計算されるインプレッションに対する、検証されたスポット配置に基づいて、実際の配信測定基準についてのレポートを生成する能力をユーザに提供する。
【００６４】
図５は、本開示のいくつかの実施形態による、どのようにして利用可能なインベントリが予想されるかを図示する略図である。システム５００は、通信ネットワーク３１４内で実装されるサブシステムであり得る。インベントリ所有者のトラフィックシステムからの過去の販売についてのデータが、トラフィック／販売システム５０２から受信され、分析のために過去の販売データの倉庫を作成するために、取り込まれてデータベース５０４に記憶される。データベース５０６からの単位販売、過去および予想聴衆推定についての履歴データ、ならびにデータベース５０８からの番組スケジュールデータが、モジュール５１０に転送され、将来の販売の予測モデルを生成するために、機械学習技法とともに使用される。いくつかの実施形態では、モデルは、将来の期間に対して各レートまたはレートコードで販売されるインベントリの単位（例えば、個々の広告スロット）の数を推定するように設計される。販売推定は、特定の番組、期間（例えば、１時間または放送時間区分）、および所与の期間に対するコンテンツソースについて、種々のグループ化レベルでモデル化されることができ、単位販売は、本システムによって網羅される各コンテンツソースおよびゾーンについて分析される。モデルが訓練されると、モデルは、データベース５１４に記憶される、販売され、かつ利用可能なインベントリを予想するように、将来の番組スケジュールおよび将来の聴衆推定からの入力とともにモジュール５１２によって利用される。いくつかの実施形態では、将来のための現在のインベントリレベルは、トラフィック／販売システム５０２から受信されるデータから抽出され、随意に、データベース５１６に記憶され、より正確な予想を行うためにモジュール５１２によって使用され得る。モデルは、周期的に再訓練され、インベントリ可用性の新しい推定が必要に応じて生成される。モデルから作成される予想は、聴衆管理システム４００による層分析およびメディア計画を可能にする。
【００６５】
いくつかの実施形態では、テレビがオフである事象または他の境界パラメータに起因する視聴を除去するように編集されている、視聴データは、聴衆管理モジュール３２８によって、放送されている番組の開始および終了時間によって境界されるブロックに集約される。モデルを訓練するための一組のデータは、全ての編集された視聴データの上位集合から抽出される。この抽出されたデータは、モデルによって実行可能に処理することができるほど多くのデータを含むであろう。いくつかの実施形態では、この抽出されたデータは、視聴率に及ぼす季節的影響を含むために、少なくとも１年の量のデータであるが、本システムは、より少ないデータを用いて効果的に動作することができる。抽出されたデータを使用して、各番組ブロックに対する平均聴衆（視聴者の平均数）および全到達範囲（ある期間に対するその番組の全固有視聴者）を予測するために、関連番組に関連付けられる種々の属性（例えば、開始時間、曜日、ジャンル、キーワード、地元の関心、番組の導入部状態等）を使用する、予測モデルを生成するように、機械学習アルゴリズムが適用される。例えば、いくつかの実施形態では、聴衆管理システムは、メディア計画のための将来の聴衆インベントリに関連付けられるデータを推定する際に使用するための１つ以上の入力を受信し得る。いくつかの実施形態では、受信した入力は、図６Ａおよび６Ｂに関して以下で説明されるように、データベース６０４、６０６、６５２、および６５４等の他の種々のソースから取り出されるデータと併せて使用され得る。
【００６６】
図６Ａおよび６Ｂは、本開示のいくつかの実施形態による、どのようにして測定基準がメディア計画のためのインベントリブロックについて決定されるかを図示する略図である。インベントリ分析は、インベントリをブロックの中に集約することによって行われ、各ブロックは、特定のコンテンツソースの特定の将来の番組、１日の時間、または放送時間区分を表す。プロセス６００および６５０は、それぞれ、各ブロックの利用可能および予想インベントリについて測定基準を計算し、下流のユーザによって作成される規則に対して評価することができるように、属性としての測定基準をこれらのインベントリのブロックに追加する。
【００６７】
いくつかの実施形態では、モジュール６１０への視聴率データベース６０２（母集団予想を生成するようにモジュール６０８を通してフィルタにかけられる）、第三者測定基準データベース６０４、および販売データベース６０６のフィードデータを含む、種々のデータベースからデータを引き出すことによって、現在利用可能なインベントリブロックが評価される。いくつかの実施形態では、予想インベントリブロックは、モジュール６５６への第三者データベース６５２（母集団推定が第三者によって生成され得る）およびインベントリデータベース６５４（インベントリ可用性の予想推定が維持される）のフィードデータから、データを引き出すことによって評価される。インベントリの範囲に応じて、測定基準計算に使用される聴衆推定は異なり得る。例えば、個々のゾーンからのスポット（単位）インベントリは、母集団予想、およびそのゾーンの人口に基づく将来の推定を必要とするであろう。相互接続からのスポット（単位）インベントリが、相互接続全体のための母集団予想を必要とするであろう一方で、全国インベントリは、チャネルの全搬送のための母集団予想を必要とするであろう。いくつかの実施形態では、インベントリ分析は、聴衆管理モジュール３２８によって行われる。いくつかの実施形態では、測定基準は、第三者を介して計算され、通信ネットワーク３１４を経由して聴衆管理モジュール３２８に伝送される。
【００６８】
測定基準が決定され、聴衆情報が好適に処理されると、聴衆管理システム３００は、メディア計画を容易に設計して編集することを可能にするように、視覚インターフェース（例えば、メディア計画インターフェース）を提供し得る。
【００６９】
図７は、本開示のいくつかの実施形態による、例証的なメディア計画インターフェースを示す。メディア計画インターフェースは、処理回路２０６を使用してユーザ機器デバイス２００上で実装される双方向インターフェースアプリケーションに対応する、表示７００の形態でユーザに提示され得る。メディア計画インターフェースは、ユーザが、ユーザ入力インターフェース２１０を使用して、次いで、通信ネットワーク３１４を経由して聴衆管理モジュール３２８に伝送されるパラメータを遠隔で入力することを可能にする。いくつかの実施形態では、聴衆管理モジュール３２８は、ユーザ機器デバイス２００上でローカルに実装され得、例えば、メディア計画は、広告主の代わりに広告サービスプロバイダにおいてユーザによって生成されている。コンテンツソース、期間、インベントリ、予想インベントリ、価格決定、履歴視聴率データ、聴衆測定基準、および聴衆管理モジュール３２８に提供される分析に関するデータは、処理回路２０６によって表示のために生成され、表示７００に出現し得る。
【００７０】
グリッド配列７０２は、広告の配置のために、提案されたメディア計画を表す複数のセルを含む。表示７００では、各セルは、代表的な聴衆データを含み、各セルは、図７に示されるようなコンテンツソースおよび期間のための広告スロット等の特定のインベントリ単位に対応し得る。セルはまた、セルに関連付けられる広告スロットが提案されたメディア計画の一部である（すなわち、広告配置が所望／推奨される）かどうかを示す、背景色の存在または非存在等のバイナリインジケータを有し得る。いくつかの実施形態では、セルは、期間軸７０４およびコンテンツソース軸７０６に従ってグリッド構成で配列される。いくつかの実施形態では、セルは、予想聴衆サイズ、予想インプレッション、聴衆人口統計、またはそれらの任意の好適な組み合わせ等の聴衆関連パラメータに従って配列され得る。いくつかの実施形態では、単一のセルが、表示のために生成され得るか、または特定のコンテンツソースあるいは期間に対応するセルの単一のグループが、表示され得る。期間軸４０４の各要素は、１週間、１日、放送時間区分（表示７００で描写されるような早朝、朝、昼等）、または広告スケジュールに関連する任意の他の好適な期間等の広告キャンペーンに関連する期間に対応し得る。コンテンツソース軸４０６の各要素は、放送テレビチャネル（表示７００で描写されるようなＡ＆Ｅ、ＡＭＣ、ＢＥＴ等）、オンデマンドチャネル、インターネットウェブウェブサイト、または任意の他の好適なコンテンツソース等の特定のコンテンツソースに対応し得る。
【００７１】
テレビ広告は例証的にすぎず、メディア計画は、テレビまたは他の電子コンテンツソースに限定される必要がない。例えば、聴衆管理モジュール３２８は、新聞、雑誌、看板、ポスター、または他の好適な形態の広告等の広告全般との関連で実装され得る。そのような実施形態では、表示７００は、特定の広告場所、および広告が実行される特定の曜日に従って配列される、複数のセルを表示し得る。例えば、コンテンツソース軸４０６は、刊行物を示す軸によって置換可能であり得、期間軸４０４は、特定の発行月を示し得る。
【００７２】
いくつかの実施形態では、各コンテンツソースまたは期間は、関連重み値を有し得る。例えば、重みオプション７０８および７１４は、それぞれ、コンテンツソースおよび期間のそばに出現する。処理回路２０６は、コンテンツソースまたは期間に関連付けられる重みを調整するためのユーザ入力を受信し得る。いくつかの実施形態では、「１００」の値が、デフォルト重みを示し得る。ユーザは、図１３および１４に関してさらに詳細に議論されるように、採点アルゴリズムに影響を及ぼし得る、異なる重みを選択するオプションを有する。重み値を変更することは、重み値が変更されるコンテンツソースまたは期間に関連付けられるセルのグループに影響を及ぼすことができる。例えば、処理回路２０６が、重みオプション７０８を介して重み値を変更するためのユーザ入力を受信する場合、チャネル「Ａ＆Ｅ」に関連付けられる全ての広告スロットは、それらの関連重みを変更され得る。いくつかの実施形態では、ユーザは、特定のセル（広告スロット）の重み値を手動で固定し得、その特定のセルは、重みオプション７０８等のグループ関連重みオプションのユーザ選択に応答して、影響されないままとなるであろう。オプション７１２および７１８のユーザ選択は、それぞれ、重みオプション７０８および７１４が表示７００から消滅することを引き起こし、それぞれの重み値がそれらのデフォルト値に戻ることをもたらし得る。
【００７３】
いくつかの実施形態では、処理回路２０６は、各々が表すコンテンツソースまたは期間に対して増加した粒度を提供する、オプション７１０および７１６のユーザ選択を受信し得る。いくつかの実施形態では、オプション７１０および７１６は、それぞれ、コンテンツソース軸７０６のコンテンツソースおよび期間軸７０４の期間に対するユーザ選択に応答して出現し得る。例えば、オプション７１０の選択は、処理回路２０６に、オプション７１０に対応する行の中のセル内で、放送されるであろう番組または広告スロットの可用性等のコンテンツソース関連情報を表示のために生成させ得る。例えば、オプション７１６のユーザ選択に応答して、処理回路２０６は、オプション７１６に対応する列の中のセル内で追加の期間関連情報を表示のために生成させ得る。追加の期間関連情報は、「早朝」を表す単一の列の代わりに、「午前５時」、「午前６時」、および「午前７時」の各々を表す列等の特定の放送時間区分内の時間に対応する、追加の列を含み得る。
【００７４】
処理回路２０６がソートオプション７２６のユーザ選択を受信する場合、グリッド配列７０２の行は、コンテンツソース軸７０６内のコンテンツソースの性質に従ってソートされ得る。例えば、コンテンツソースは、順または逆アルファベット順序で、人気別に、平均宣伝費用別に、割り当てられた重み値別に、または任意の他の好適な数量別にソートされ得る。
【００７５】
処理回路２０６が期間オプション７２４のユーザ選択を受信する場合、処理回路２０６は、期間軸７０４の好適な期間表現を表示のために生成し得る。例えば、図７で描写されるような表示７００は、放送時間区分として期間を示す。期間オプション７２４のユーザ選択は、ユーザが複数の形式から所望の期間形式を選択することを可能にする。例えば、ユーザは、ユーザ入力インターフェース２１０を使用して、時間、日、週を選択し、またはカスタム範囲を定義し得る。
【００７６】
密度インジケータ７２０は、聴衆関連パラメータの視覚インジケータの規模または相対値の指示をユーザに提供する。例えば、図７で描写されるような密度インジケータ７２０は、グリッド配列７０２内の複数のセルの各々の内側の陰影に対応する。陰影は、聴衆構成、聴衆指標、および予想または実際のインプレッション等の任意の数の聴衆関連パラメータに対応し得る。例えば、ディスプレイ７００では、複数のセルの各々の中の陰影は、聴衆管理モジュール３２８に提供されるか、またはそれによって取り出される視聴率データによって決定され得る、聴衆構成に対応する。聴衆構成は、特定の広告キャンペーンのために広告主によって特定されるような標的聴衆に基づき得、陰影は、特定の標的セグメント内に、どれだけの聴衆数が入るか、または入ると予想されるかという相対比または指標を広告主に提示し得る。いくつかの実施形態では、ユーザは、密度インジケータ７２０のスケールを調整し得るか、またはオプション７２２を選択することによって、スケールをデフォルトスケールにリセットし得る。オプション７２２のユーザ選択を受信することに応答して、処理回路２０６は、聴衆管理モジュール３２８から受信される聴衆関連データに基づいて、データを拡大縮小する好適な範囲を決定し得る。
【００７７】
ズームオプション７２８のユーザ選択は、表示７００に出現する要素のサイズの相対的増加または減少、あるいは表示７００に出現する情報の粒度の相対的増加または減少をもたらし得る。ズームオプション７２８は、スライダ、種々のサイズのボタン、割合インジケータ、またはそれらの任意の好適な組み合わせ等の任意の好適な様式で実装され得る。いくつかの実施形態では、ユーザがズームオプション７２８を右にスライドさせる場合、これは、例えば、既存の期間列を、より短い期間に対応する期間列と置換することによって、処理回路２０６に、表示される情報の粒度を増加させ得る。増加した粒度を伴う表示が、図１０に関してさらに詳細に議論されている。表示７００はまた、これらの期間内の利用可能な広告スロット、および関連する聴衆関連パラメータ等の、これらのより短い期間に関連付けられる情報を表示し得る。現在可視的ではない情報にナビゲートするために、処理回路２０６は、それぞれ、コンテンツソース軸７０６および期間軸７０４に沿って表示をスクロールするためのスクロールオプション７３０および７３２のユーザ選択を受信し得る。処理回路２０６がリフレッシュオプション７３４のユーザ選択を受信する場合、処理回路は、聴衆管理モジュール３２８から更新された情報を取り出し、必要に応じてこの情報を用いて表示７００を更新し得る。
【００７８】
いくつかの実施形態では、処理回路２０６は、グリッド配列７００内の複数のセルのうちのセルのユーザ選択を受信し得る。セルが選択されると、ユーザは、それぞれのセルで実行する特定の機能を示唆する措置を講じ得る。例えば、ユーザ入力インターフェース２１０を使用して、ユーザは、ユーザ機器デバイス２００上で実装される双方向インターフェースアプリケーションを通して、利用可能なオプションを選択し得る。機能は、ローカルまたは遠隔で実行され得る。例えば、ユーザ機器デバイス２００が聴衆管理モジュール３２８から遠隔に位置し、機能が配置機能を行うように聴衆管理モジュール３２８に要求する場合、任意の追加の必要情報とともに、ユーザ機器デバイス２００から聴衆管理モジュール３２８にメッセージが伝送され得る。機能を実行した後、次いで、聴衆管理モジュール３２８は、配置機能の結果を反映する更新された情報をユーザ機器デバイス３００に返信し得、次いで、この更新された情報は、処理回路２０６によって表示のために生成され得る。処理回路２０６によって実行される機能は、例えば、１つ以上の広告スロットをメディア計画に追加すること、メディア計画から１つ以上の広告スロットを除去すること、ポップアップオーバーレイの形態で各セルの追加の情報を表示すること、対応するコンテンツソースからメディアコンテンツを表示のために生成すること、選択されたセルの各々に対する関連広告スロットに関連する重み値を更新すること、複数のセルの各々の聴衆表現を更新すること、広告を配置する命令を伝送すること、表示をリフレッシュすること、固定価格値を広告スロットに割り当てること、または本明細書で説明される実施形態による任意の他の好適な機能であり得る。
【００７９】
いくつかの実施形態では、機能は、ユーザ機器デバイス３００上でローカルに果たされ得る。例えば、オプション７０８のユーザ選択等の重み調整機能が、ユーザ機器デバイス３００でローカルに記憶された重み値に影響を及ぼし得る。重み値は、いくつかあるパラメータの中でも、例えば、配置機能が果たされるときに、必要に応じて聴衆管理モジュール３２８に伝送され得る。
【００８０】
メディア計画に追加された、またはそこから除去された広告スロットは、視覚的に区別可能であり得る。
【００８１】
図８は、本開示のいくつかの実施形態による、例証的なメディア計画インターフェースのための広告スロットの詳細図を示す。図７の表示７００と同様に、図８は、グリッド配列８０２と、期間軸８０４とを含む、縮小表示８００を示す。グリッド配列８０２内の複数のセルの各々は、インベントリスロット（すなわち、利用可能な広告スロット）に対応し得る。
【００８２】
セル８０６は、広告主のメディア計画に追加されている広告スロットを表すか、または広告主のための提案されたメディア計画の一部であり得る。セル８０６は、表示７００の場合のような聴衆構成等の聴衆関連パラメータを表し得る、背景インジケータ８０８を含む。背景インジケータ８０８に加えて、バー８１２は、背景インジケータ８０８と同一の聴衆関連パラメータを示し得、それによって、２つのタイプの視覚指示をユーザに提供する。バー８１２は、聴衆関連パラメータの最小および最大値に対応する最小および最大バー長で、セル８０６の長さを拡大縮小し得る。例えば、バーの長さは、標的セグメント（例えば、「２５〜３５歳のＳｅｉｎｆｅｌｄファン」）内に入る実際または予想視聴者の割合を示し得る。いくつかの実施形態では、バー８１２は、背景インジケータ８０８とは異なる値を示し得る。例えば、バー８１２は、ゼロ幅が、利用可能な聴衆がゼロであることを表し、最大幅が、表される聴衆サイズの平均値より１．６５標準偏差上を表す、聴衆サイズを表し得る。特定の聴衆サイズを超えると、バー８１２は、この値の限界に達し得る。これは、セルによって表される広告スロットが、高く評価された番組が放送されたか、または放送されるであろう期間に対応するという指示をユーザに提供し得る。
【００８３】
セル８０６はまた、聴衆指標（平均聴衆サイズおよび分散に関する）、インプレッション、または延べ視聴率等の実際または予想聴衆関連パラメータを表し得る、指標インジケータ８１０も含む。一般に、指標インジケータ８１０は、範囲（割合等）に限定されない任意の聴衆関連パラメータを表し得る。
【００８４】
セル８１４は、広告主のメディア計画に追加されなかったか、またはそこから除去された広告スロットを表す。利用可能な広告スロットが、広告キャンペーンの一部であるように手動で選択されるか、または広告キャンペーンの一部であることを聴衆管理システム３００によって推奨される場合、広告スロットは、本明細書では「メディア計画の一部」であると称される。セル８０６と異なり、セル８１４は、背景インジケータおよび指標インジケータが欠落している。聴衆関連パラメータがセルから欠落していると考えられるように、セルを表示することは、セルに対応する広告スロットがメディア計画の一部ではないというユーザへの指示としての機能を果たし得る。セル８１４は、相対的聴衆サイズおよび／または組成の指示を提供する、少なくとも最小量の情報、すなわち、バー８１６を依然として含む。セルがメディア計画の一部であるか、または一部ではないというインジケータを表示するための任意の好適な方法が使用され得る。例えば、グリッド配列８０２内の複数のセルの各々は全て、同様に聴衆の表現を示し得るが、関連広告スロットが、セルの周囲の境界、セル内のチェックマーク、セルの特定の陰影、またはそれらの任意の好適な組み合わせ等のメディア計画の一部であるかどうかを示す、追加のフラグを各セル内に含み得る。
【００８５】
いくつかの実施形態では、ユーザは、その関連広告スロットをメディア計画に追加するか、または除去するように、特定のセルを手動で選択し得る。例えば、処理回路２０６は、セル８１４のユーザ選択を表示８００から受信し得、それは、処理回路２０６に、セル８１４が選択されているという好適なインジケータを表示のために生成させる。次いで、ユーザは、セル８１４に関連付けられる広告スロットをメディア計画に追加する、「追加」機能を選択し得る。それに応答して、次いで、セル８１４は、セル８０６に類似する外観を帯び、背景インジケータおよび指標インジケータを表示し得る。セル８１４に関連付けられる広告スロットがメディア計画に追加されると、処理回路は、広告スロットが計画に追加されるものであるという聴衆管理モジュール３２８に伝達されるメッセージを生成し得る。いくつかの実施形態では、広告スロットの手動追加は、聴衆管理モジュール３２８によって生成される推奨メディア計画を無効にし得る。
【００８６】
処理回路２０６が、例えば、表示８００からセル８０６のユーザ選択を受信する場合、処理回路２０６は、セル８０６が選択されているという好適なインジケータを表示のために生成し得る。処理回路２０６は、メディア計画へのセル８１４に関連付けられる広告スロットを除去する、「除去」機能のユーザ選択を受信し得る。それに応答して、次いで、セル８０６は、もはやメディア計画の一部ではないことを示すように情報がセルから除去されている、セル８１４に類似する外観を成し得る。セル８０６に関連付けられる広告スロットがメディア計画から除去されると、処理回路は、広告スロットが計画に除去されるものであるという聴衆管理モジュール３２８に伝達されるメッセージを生成し得る。いくつかの実施形態では、広告スロットの手動追加は、聴衆管理モジュール３２８によって生成される推奨メディア計画を無効にし得る。
【００８７】
いくつかの実施形態では、ユーザは、連続してセルを手動で選択することによって、複数のセルを選択し得る。いくつかの実施形態では、処理回路２０６は、コンテンツソースまたは期間のユーザ選択を受信し得、これは順に、処理回路２０６に、コンテンツソースまたは期間に関連付けられる各セルを選択させる。例えば、期間軸８０４からの「夕方」のユーザ選択は、処理回路２０６に、セル８０６および８１４を含む、その期間に対するその列内の全てのセルを選択させ得る。処理回路２０６はまた、各セルが選択されていることを示す、選択されたセルの各々に対する好適なインジケータを表示のために生成し得る。次いで、処理回路２０６は、選択されたセルの各々で果たす特定の機能のユーザ選択を受信し得る。処理回路２０６は、全てのセルをメディア計画に追加すること（すでに追加されていない限り）、メディア計画から全てのセルを除去すること（すでに除去されていない限り）、ポップアップオーバーレイの形態で各セルの追加の情報を表示すること、選択されたセルの各々の関連広告スロットに関連する重み値を更新すること、複数のセルの各々の聴衆表現を更新すること（しかし、例えば、聴衆管理モジュール３２８からより多くの現在の聴衆情報を受信すること）、固定価格値を割り当てること、または本明細書で説明される実施形態による任意の他の好適な機能等の機能を選択されたセルの各々で実行し得る。これらの機能の各々はまた、単一のセルのユーザ選択に応答して、単一のセルで実行され得ることを理解されたい。
【００８８】
いくつかの実施形態では、ユーザは、全てより少ない利用可能な広告スロットで配置機能を果たすことを所望し得る。例えば、処理回路２０６は、本明細書で説明される方法のうちのいずれかを使用して、セルのグループのユーザ選択を受信し、配置機能がセルのグループで果たされるべきであることを示し得る。配置機能は、聴衆管理モジュール３２８によって果たされ、図１３および１４に関してさらに詳細に説明されるであろう。セルのグループで配置機能を果たすことは、広告主が所望のキャンペーン目標を達成することに役立つために最適である、セルのサブセットをグループから聴衆管理モジュール３２８が選択することをもたらし得る。例えば、グループの各セルは、聴衆サイズ、予想インプレッション、聴衆構成、ユーザ指定された重み、総費用、または本明細書で説明される任意の他の好適なパラメータ等のセルの関連広告スロットの聴衆関連情報に基づいて、ランク付けされ得る。
【００８９】
いくつかの実施形態では、最高ランクの広告スロットのみがメディア計画に追加されるであろう。配置機能を果たす前に、ユーザは、重み値または予算限界を超えることを回避する方法で、セルがサブセットに追加されるように、重み値または予算限界を特定し得る。例えば、聴衆管理モジュール３２８は、ユーザ入力を伴わずに、予算限界が任意のさらなる追加によって超えられるまで、最高ランクの順序で自動的に広告スロットをサブセットに追加し得る。各広告スロットは、関連費用（例えば、ＣＰＭ）を有し得、それは、サブセットに追加される全ての関連セルの総予算を決定するために使用される。処理回路２０６は、任意の好適なインジケータを使用して、セルが配置機能によって自動的に選択されていることをユーザに示し得る。次いで、ユーザは、メディア計画に追加するためのこれらのセルの選択を確認し得、次いで、処理回路２０６は、この情報を聴衆管理モジュール３２８に伝送し戻し得る。
【００９０】
メディア計画インターフェースは、デフォルト表示に示されていない情報を見るための追加の視認オプションをユーザに提供する。
【００９１】
図９は、本開示のいくつかの実施形態による、詳細情報表示を伴う例証的なメディア計画インターフェースを示す。表示９００は、メディア計画に追加されている複数のセルを示す。セル９０２は、「昼」期間内のコンテンツソース「ＢＲＡＶＯ」に対する広告スロットに対応する。処理回路２０６は、本明細書で説明される任意の好適な方法を使用して、セル９０２のユーザ選択を受信し得る。いくつかの実施形態では、ユーザは、セル９０２の上にカーソルを重ね、これは順に、処理回路２０６に、セル９０２に関連付けられる追加の情報を表示のために生成させ得る。いくつかの実施形態では、セルの追加の情報は、特定の期間に対応するコンテンツソースを通して利用可能であるメディアコンテンツ（例えば、日中にＢＲＡＶＯチャネルで放送しているもの）のビデオクリップ（例えば、プレビュークリップ）の形態であり得る。
【００９２】
表示９００は、ポップアップオーバーレイ９０４の形態で表示されるセル９０２に関連する追加の情報を示す。ポップアップオーバーレイ９０４は、セル９０２が対応するコンテンツソースおよび期間をユーザに示す、ソース／時間インジケータ９０６を含む。ポップアップオーバーレイ９０４は、セル９０２に関連付けられる広告スロットに関するメディア計画および聴衆関連パラメータ、対応するソース、対応する期間、またはそれらの任意の好適な組み合わせに関する情報を提供し得る、情報インジケータ９０８を含む。ポップアップオーバーレイ９０４は、関連広告スロットに対する聴衆構成の指示、相対的聴衆サイズに関連する聴衆指標、およびコンテンツソース「ＢＲＡＶＯ」に対する計画重み割合（そのコンテンツソースの広告スロットに割り付けられた計画重みまたは予算の相対量の合計を示す）を表示する。一般に、ポップアップオーバーレイ９０４は、セル９０２で示されていない広告スロットについての情報をユーザに提供する。
【００９３】
メディア計画インターフェースは、パラメータを調整し、メディア計画に関連する詳細情報を視認するための追加のオプションを提供し得る。
【００９４】
図１０は、本開示のいくつかの実施形態による、例証的なメディア計画インターフェースのためのコンテンツソースおよび期間の重み付けオプションを示す。表示１０００は、コンテンツソース軸１００２および期間軸１０２２に従って配列されるセルを示す。表示１０００は、表示７００に対する代替的なレイアウトである。例えば、要素１００４は、デフォルトで各コンテンツソースの隣に出現する、代表的な要素である。要素１００４のユーザ選択に応答して、処理回路２０６は、要素１００４に対応するコンテンツソース（すなわち、「Ａ＆Ｅ」チャネル）に関する追加の情報を表示のために生成し得る。いくつかの実施形態では、追加の情報は、ポップアップオーバーレイ１０１６等の制御回路２０６によって表示のために生成されるポップアップオーバーレイの形態であり得る。ポップアップオーバーレイ１０１６は、聴衆構成（そのコンテンツソースに対する各セル／広告スロットの平均聴衆構成である）、平均聴衆指標（そのコンテンツソースに対する全ての聴衆指標の加重平均である）、および計画重みの割合（配信されるべき全インプレッションの中のこのコンテンツソースに対する広告キャンペーン中に配信されるべきインプレッションの割合に関係する）等の「ＢＲＡＶＯ」チャネルについての追加の情報を表示する。ユーザは、図７に関して以前に説明されたように、選択されたコンテンツソースの相対的重みを調整するために、重み付けオプション１０１８を選択し得る。オプション１０２０のユーザ選択は、ポップアップオーバーレイ１０１６を閉じるであろう。
【００９５】
処理回路２０６がデフォルト値以外のコンテンツソースの重み値のユーザ選択を受信する場合、要素１００４は、重み値を反映する値と置換され得る。例えば、重み値１００８および１０１４が、デフォルト要素の代わりに出現する。いくつかの実施形態では、表示１０００はまた、インジケータ１０１０等の特定のコンテンツソースに対する計画内重みを表示し得る。例えば、インジケータ１０１０は、聴衆管理モジュール３２８によって決定されるようなチャネル１００６に対する推奨計画重みを表し得、ユーザが手動で広告を追加または除去することに応答して表示され得る。
【００９６】
いくつかの実施形態では、異なる期間の組み合わせが使用され得る。例えば、放送時間区分インジケータ１０２２は、「早朝」に対するセル／広告スロットを示す。時間インジケータ１０２６は、放送時間区分インジケータ１０２４の１時間毎の内訳を示す。例えば、放送時間区分インジケータ１０２４のユーザ選択に応答して、処理回路２０６は、その期間に対する全てのセルを選択することの代替案として、「朝」の間の時間に対応する列を表示のために生成し得る。いくつかの実施形態では、ユーザは、計画に追加するか、またはそこから除去するために、個々の時間に対する広告スロットを選択し得る。表示の粒度に応じて、ユーザ選択は、全てを追加するか、または全ての広告スロットを除去し得る。換言すると、放送時間区分インジケータ、または放送時間区分／コンテンツソースの組み合わせに対応するセルの選択は、その放送時間区分内の全ての期間の選択として扱われ得る。期間（放送時間区分）に関して実行される任意の機能は、内側の全てのより短い期間（時間）に影響を及ぼすであろう。いくつかの実施形態では、ユーザは、グループ機能が広告スロットの状態に影響を及ぼすことを防止するように、特定の広告スロットをロックし得る。
【００９７】
メディア計画インターフェースはまた、ユーザが、メディア計画のための利用可能なインベントリに関する価格決定情報を視認することを可能にし得る。
【００９８】
図１１は、本開示のいくつかの実施形態による、例証的なメディア計画インターフェースのための価格決定表示を示す。表示７００に対する代替的な表示として、メディア計画インターフェースは、本明細書で説明される実施形態に従って、表示１１００の形態でユーザに提示され得る。表示１１１０は、ユーザが種々の広告スロットの価格決定情報を視認することを可能にする、メディア計画インターフェースを表す。例えば、セル１１０２は、費用インジケータ１１５２（ＣＰＭでの費用）と、背景インジケータ（販売率に関連する）と、バー１１５４（相対的聴衆サイズインジケータ）とを含む。密度インジケータ１１１０は、それぞれの背景インジケータによって描写されるように、複数のセルの各々に対する販売率の規模の視覚表現を提供し得る。
【００９９】
いくつかの実施形態では、ユーザは、各々が表すコンテンツソースまたは期間の増加した粒度を提供する、オプション１１０８および１１１２を選択し得る。いくつかの実施形態では、オプション１１０８および１１１２は、それぞれ、コンテンツソース軸１１０６のコンテンツソースおよび期間軸１１０４の期間に対するユーザ選択に応答して出現し得る。例えば、オプション１１１２の選択は、処理回路２０６に、図１０に関して上記で説明されるように、「早朝」に対応する時間表示を表示のために生成させ得る。１時間毎の表示は、各表示された時間に対する価格を表示し得る。オプション１１１０および１１１４のユーザ選択は、それぞれ、オプション１１０８および１１１２が表示１１０から消滅することを引き起こし、対応する行または列をデフォルト表示に戻ることをもたらし得る。
【０１００】
いくつかの実施形態では、ユーザは、特定のタイプの価格（例えば、特定の価格決定層内の基礎的単位の標準料金に基づくプレミアム料金カード、発行者によって許可される残りの単位を許可するために必要とされる料金に基づく許可ＣＰＭ、および層内の全てのインプレッションに対する固定ＣＰＭに基づく固定ＣＰＭ）を表示するように、表示オプション１１１８を選択し得る。
【０１０１】
ズームオプション１１２４のユーザ選択は、表示１１００に出現する要素のサイズの相対的増加または減少、あるいは表示１１００に出現する情報の粒度の相対的増加または減少をもたらし得る。ズームオプション１１２４は、スライダ、種々のサイズのボタン、割合インジケータ、またはそれらの任意の好適な組み合わせ等の任意の好適な様式で実装され得る。いくつかの実施形態では、ユーザが「ズームイン」オプションを選択する場合、これは、図７に関して議論されるように、例えば、既存の期間列を、より短い期間に対応する期間列と置換することによって、処理回路２０６に、表示される情報の粒度を増加させ得る。次いで、表示１１００はまた、これらの期間内の利用可能な広告スロット、および関連する聴衆関連パラメータ等の、これらのより短い期間に関連付けられる情報を表示し得る。ソートオプション１１２０のユーザ選択は、図７に関して説明されるように同様に、複数のセルをコンテンツソース別にソートさせ得る。
【０１０２】
現在は可視的ではない情報にナビゲートするために、ユーザは、それぞれ、コンテンツソース軸１１０６および期間軸１１０４に沿って表示をスクロールするように、スクロールオプション１１２８および１１３０を選択し得る。ユーザがリフレッシュオプション１１２６を選択する場合、処理回路は、聴衆管理モジュール３２８から更新された情報を取り出し得、必要に応じてこの情報を用いて表示１１００を更新し得る。いくつかの実施形態では、ユーザは、特定の時間範囲内の期間を示すように、表示範囲オプション１１２２を選択し得る。これは、表示１１００内の複数のセルの粒度を調整することによって、ズームオプション１１２４を選択することに類似する効果を有し得る。
【０１０３】
いくつかの実施形態では、ユーザは、表示１１００内の複数のセルのうちのセルを直接選択し得る。セルが選択されると、ユーザは、図７に関して上記で議論されるように、それぞれのセルで実行する特定の機能を示唆する措置を講じ得る。機能は、ユーザ機器デバイス３００上でローカルに果たされ得る。例えば、ユーザは、複数のセルのうちの１つに対して固定価格を設定するオプションを選択し得る。固定価格は、ユーザが一定に保つことを希望する現在の価格であり得るか、またはユーザ指定された価格に変更され得る。聴衆管理モジュール３２８は、ユーザが固定価格を設定することに応答して、複数のセルに関連付けられる各広告スロットに対する更新された価格決定を生成し得る。例えば、聴衆管理モジュール３２８は、本明細書で説明される任意の好適な方法を使用して、複数のセルの各々に対する予想需要を決定し、それに従うが、固定価格を有するいかなるセルにも影響を及ぼすことなく、セルを更新し得る。いくつかの実施形態では、固定価格は、競合する広告主による、そのスロットまたは隣接スロットに対する予測需要に基づいて、他の広告スロットに及ぼすその効果を決定するために、モデルパラメータとして利用され得る。
【０１０４】
図１２は、表示のためにメディア計画インターフェースを生成することに関与する、例証的なステップのフローチャートである。プロセス１２００またはその任意のステップは、図２および３に示されるデバイスのうちのいずれかの上で行うことができるか、またはそれによって提供できることに留意されたい。例えば、プロセス１２００は、表示のためにメディア計画インターフェースを生成するために、聴衆管理システムまたはそのモジュール（例えば、聴衆管理モジュール３２８（図３）上で実装される）によって命令されるように、制御回路２０４（図２）によって実行され得る。加えて、プロセス１２００の１つ以上のステップは、（例えば、図１３−１６に関して説明されるような）任意の他のプロセスまたは実施形態の１つ以上のステップに組み込まれ、またはそれらと組み合わせられ得る。
【０１０５】
ステップ１２０２では、聴衆管理システムがプロセス１２００を開始する。例えば、いくつかの実施形態では、聴衆管理システムは、メディア計画インターフェースの表示の生成を要求するユーザ要求（例えば、ユーザ入力インターフェース２１０（図２）を介して受信される）に応答して、プロセス１２００を開始し得る。ステップ１２０４では、聴衆管理システムは、グリッド配列で複数のセルを表示のために生成し、各セルは、広告スロットに関連付けられ、聴衆の表現を含む。例えば、聴衆管理システムは、（例えば、ディスプレイ２１２（図２）上で）表示するためにメディア計画インターフェース（例えば、メディア計画インターフェース７００（図７））を（制御回路２０４（図２）を介して）生成し得る。図７に関して議論されるように、メディア計画インターフェースは、多数のタイプのデータを提示し得る。例えば、メディア計画インターフェースは、コンテンツソース、期間、インベントリ、予想インベントリ、価格決定、履歴視聴率データ、聴衆測定基準および分析に関するデータを提示し得る。
【０１０６】
いくつかの実施形態では、聴衆管理システムは、メディア計画インターフェース（例えば、メディア計画インターフェース２００（図２））を提示している、ユーザ機器デバイス（例えば、ユーザ機器デバイス３０２、３０４、および／または３０６（図３））から遠隔に位置し得る。例えば、聴衆管理システム（例えば、聴衆管理モジュール３２８（図３）上で実装される）は、ローカルユーザ機器デバイス（例えば、ユーザ機器デバイス３０２、３０４、および／または３０６（図３））上のユーザ入力インターフェース（例えば、ユーザ入力インターフェース２１０（図２））に入力されるユーザ入力パラメータ（例えば、それぞれのセルに関連付けられる機能を実行するためにセルを選択する）を受信し得る。次いで、ローカルユーザ機器デバイスは、聴衆管理システム（例えば、聴衆管理モジュール３２８（図３）上で実装される）によって受信するために、受信したユーザ入力パラメータを（例えば、通信ネットワーク３１４（図３）を介して）伝送し得る。
【０１０７】
いくつかの実施形態では、聴衆管理システムは、ローカルに位置し得る。例えば、聴衆管理モジュールは、メディア計画インターフェース（例えば、メディア計画インターフェース２００（図２））を提示している、ユーザ機器デバイス（例えば、ユーザ機器デバイス２００（図２））上で実装され得る。聴衆管理システム（例えば、ユーザ機器デバイス２００（図２）上で実装される）は、ユーザ入力インターフェース（例えば、ユーザ入力インターフェース２１０（図２））に入力されるユーザ入力パラメータ（例えば、それぞれのセルに関連付けられる機能を実行するためにセルを選択する）を受信し得る。次いで、ローカルユーザ機器デバイスは、（例えば、処理回路２０６（図２）を介して）ユーザ入力パラメータを処理し、ディスプレイ（例えば、ディスプレイ２１２（図２））上に表示するために実行された機能の結果を生成し得る。
【０１０８】
いくつかの実施形態では、ローカル聴衆管理システムは、１つ以上の遠隔ソース（例えば、メディアコンテンツソース３１６、メディアガイダンスデータソース３１８、ユーザプロファイルサーバ３２４、聴衆管理モジュール３２８、および／または通信ネットワーク３１４（図３）を介してアクセス可能な任意の場所）から、（例えば、通信ネットワーク３１４を介して）データ（例えば、メディア計画インターフェースで特色とされる１つ以上のセルに関連付けられる値、聴衆関連パラメータの視覚インジケータのための図式要素、および／または本明細書で説明される実施形態を生成／実施するために必要な任意の他のデータ）を受信し得る。そのような場合において、聴衆管理システムは、聴衆管理システムによって（例えば、制御回路２０４（図２）によって）取り出すまで、ローカルメモリ（例えば、記憶装置２０８（図２）に受信したデータを（一時的でさえも）記憶し得る。
【０１０９】
ステップ１２０６では、聴衆管理システムは、複数のセルのうちの第１のセルを識別する。いくつかの実施形態では、第１のセルを識別することは、第１のセルのユーザ選択を受信することを含み得る。例えば、聴衆管理システムは、（例えば、ユーザ入力インターフェース２１０（図２）を介して）ユーザが複数のセル（例えば、グリッド配列８０２（図８）内の複数のセル）のうちのセル（例えば、セル８１４（図８））に関連付けられるユーザ入力パラメータを入力したことを検出し得る。代替として、聴衆管理システムは、第１のセルを自動的に選択し得る。例えば、聴衆管理システムは、所定の順序（例えば、第１のセルが、機能が実行される一連のセルの中で隣のセルである）、第１のセルの特性（例えば、第１のセルが機能の実行をまだ受けていない）等に基づいて、複数のセル（グリッド配列８０２（図８）内の複数のセル）のうちの第１のセル（例えば、セル８１４（図８））を（例えば、処理回路２０６（図２）を介して）選択し得る。
【０１１０】
いくつかの実施形態では、上記で議論されるように、聴衆管理システムは、ローカルに位置し得る。そのような場合において、（例えば、ユーザ入力インターフェース２１０（図２）を介して）受信されるユーザ入力パラメータは、受信したユーザ入力パラメータをユーザ機器デバイス（例えば、ユーザ機器デバイス２００（図２））に位置するデータおよび／または命令と比較することによって、ローカルで（例えば、処理回路２０６（図２）で）処理され得る。いくつかの実施形態では、上記で議論されるように、聴衆管理システムは、遠隔に位置し得る。そのような場合において、（例えば、受信したユーザ入力パラメータが、聴衆管理システムが実装される場所（例えば、聴衆管理モジュール３２８（図３））に（例えば、通信ネットワーク３１４（図３）を介して）転送された後に、（ユーザ入力インターフェース２１０（図２）を介して）受信されるユーザ入力パラメータは、遠隔で（例えば、聴衆管理モジュール３２８（図３））で処理され得る。
【０１１１】
ステップ１２０８では、聴衆管理システムは、セルに関連付けられている第１の広告スロットに対して機能を実行する。例えば、複数のセル（例えば、グリッド配列８０２（図８）内の複数のセル）のうちの第１のセル（例えば、セル８１４（図８））のユーザ選択を（例えば、ユーザ入力インターフェース２１０（図２）を介して）受信することに応答して、聴衆管理システムは、選択されたセルに対応する広告スロットに関連付けられる機能を（例えば、制御回路２０４（図２）を介して）実行し得る。
【０１１２】
例えば、いくつかの実施形態では、機能は、広告スロットを追加し、または広告主のメディア計画から除去し、および／または選択されたセルに関連付けられる広告スロットの特性を別様に修正し得る。上記で議論されるように、いくつかの実施形態では、ユーザは、その関連広告スロットを（例えば、メディア計画インターフェースで表示されるような）メディア計画に追加するか、または除去するために、（例えば、ユーザ入力インターフェース２１０（図２）を介して）特定のセルを手動で選択し得る。例えば、ユーザ選択に応答して、（例えば、制御回路２０４（図２）によって表示されるような）メディア計画インターフェースは、選択されたセル（例えば、セル８１４（図４））に関連付けられる広告スロットをメディア計画に追加する、「追加」機能を（例えば、ディスプレイ２１２（図２）上に）提示し得る。別の実施例では、メディア計画インターフェースは、選択されたセルに関連付けられる広告スロットを除去する、「除去する」機能を提示し得る。
【０１１３】
いくつかの実施形態では、選択セルに関して実行される機能に基づいて、聴衆管理システムは、図８に関して議論される背景インジケータおよび／または指標インジケータ等の視覚または図式性質を修正し得る。加えて、または代替として、選択されたセル（例えば、セル８１４（図４））に関連付けられる広告スロットが（例えば、ディスプレイ２１２（図２）上に表示される）メディア計画に追加される場合、聴衆管理システムは、（例えば、制御回路２０６（図２）を介して）広告スロットを（例えば、聴衆管理モジュール３２８に追加を伝達することを介して）メディア計画に追加し得る。
【０１１４】
いくつかの実施形態では、機能は、ローカルで（例えば、ユーザ機器デバイス３０２、３０４、および／または３０６（図４）で）、または遠隔で（例えば、聴衆管理モジュール３２８および／または通信ネットワーク３１４（図３）を介してアクセス可能な任意の場所で）実行され得る。例えば、ユーザが相互作用しているユーザ機器デバイス（例えば、ユーザ機器デバイス２００（図２））が、聴衆管理システムが実装されるデバイス（例えば、聴衆管理モジュール３２８（図３））から遠隔に位置し、機能が遠隔で（例えば、聴衆管理モジュール３２８で）１つ以上のプロセスが行われるように要求する場合、ローカルデバイス（例えば、ユーザ機器デバイス２００（図２））は、ローカルデバイスから遠隔場所へ、任意の追加のデータとともに、機能を果たす要求を伝送し得る。（例えば、遠隔場所に位置する処理回路を介して）機能を実行した後、聴衆管理システムは、（例えば、ディスプレイ２１２（図２）上に）表示のために、（例えば、通信ネットワーク３１４（図３）を介して）更新された情報をローカルデバイスに伝送し得る。
【０１１５】
ステップ１２１０では、聴衆管理システムがプロセス１２００を終了させる。いくつかの実施形態では、聴衆管理システムは、ステップ１２０４に戻り、各セルが、ステップ１２０８で実行された機能によって更新されるような広告スロットに関連付けられる、グリッド配列で複数のセルを表示のために生成し得る。
【０１１６】
いくつかの実施形態では、聴衆管理システムは、異なる広告キャンペーンに関連付けられている選択に基づいて、複数のセルの各々に対する聴衆表現を更新し得る。複数のメディア計画／広告キャンペーンが、ユーザによって作成され、または聴衆管理システムによって生成されて（例えば、聴衆管理モジュール３２８（図３）で）記憶され得る。記憶されたメディア計画／広告キャンペーンの各々の中の情報に基づいて、聴衆情報の表現は、特定の機能のユーザ選択を受信することに応答して、（例えば、処理回路２０４（図２）を介して）それに従って更新され得る。例えば、複数のセルは、関連広告スロットが別のメディア計画に割り付けられているかどうか、関連広告スロットに対する高い需要のインジケータ、標的聴衆が異なる広告主の標的聴衆に類似するかどうか、広告スロットを購入した（または購入することを意図する）広告主の数、またはそれらの任意の好適な組み合わせを示すように、（例えば、処理回路２０４（図２）を介して）更新され得る。いくつかの実施形態では、聴衆表現は、セル／広告スロットが別の広告キャンペーンのためにすでに選択されたことを示すために、聴衆表現情報を除去することによって更新され得る。
【０１１７】
図１２のステップまたは説明は、本開示の任意の他の実施形態とともに使用され得ることが考慮される。加えて、図１２に関して説明されるステップおよび説明は、代替的な順序で、またはさらに本開示の目的と並行して行われ得る。例えば、これらのステップの各々は、遅延を低減させるか、または本システムあるいは方法の速度を増加させるように、任意の順序で、または並行して、あるいは実質的に同時に行われ得る。さらに、図１２のステップのうちの１つ以上を行うために、図２−３に関して議論されるデバイスまたは機器のうちのいずれかを使用できることに留意されたい。
【０１１８】
図１３は、システム視点からのメディア計画割り付けに関与する、例証的なステップのフローチャートである。プロセス１３００またはその任意のステップは、図２−３に示されるデバイスのうちのいずれかの上で行うことができるか、またはそれによって提供できることに留意されたい。例えば、プロセス１３００は、メディア計画においてデータ構造を割り付けるために、聴衆管理システムまたはそのモジュール（例えば、聴衆管理モジュール３２８（図３）上で実装される）によって命令されるように、制御回路２０４（図２）によって実行され得る。加えて、プロセス１３００の１つ以上のステップは、（例えば、図１２および１４−１６に関して説明されるような）任意の他のプロセスまたは実施形態の１つ以上のステップに組み込まれ、またはそれらと組み合わせられ得る。
【０１１９】
プロセス１３００はまた、多数の方法で予算値を割り付けるように適合され得ることにも留意されたい。例えば、いくつかの実施形態では、聴衆管理システムは、予算値を、期間、コンテンツプロバイダ、番組タイプ、および／または選択された広告分野等の種々のグループに割り付け得る。また、いくつかの実施形態では、グループは、ブール式を使用して定義され得る（例えば、予算値の一部分を特定の期間および特定のコンテンツプロバイダのみに割り付ける）。
【０１２０】
ステップ１３０２では、聴衆管理システムは、プロセス１３００を開始する。例えば、いくつかの実施形態では、聴衆管理システムは、メディア計画インターフェースにおいて広告スロットに関連付けられる予算限界を要求する（例えば、ユーザ入力インターフェース２１０（図２）を介して受信される）ユーザ要求に応答して、プロセス１３００を開始し得る。
【０１２１】
ステップ１３０４では、聴衆管理システムは、予算値のユーザ選択を受信する。例えば、ユーザ選択は、メディア計画における広告スロットが対応しなければならない最大値を示す、（例えば、通貨単位および／または任意の他の好適な測定標準で）数値を示し得る。いくつかの実施形態では、値は、（例えば、ユーザ入力インターフェース２１０（図２）を介して）ユーザによって手動で入力され得る。例えば、ユーザは、（例えば、ユーザ入力パラメータを介して）所与の期間（例えば、丸１ヶ月）にわたってユーザが広告スロットに割り付け得る、最大値を特定し得る。
【０１２２】
いくつかの実施形態では、ユーザ選択は、自動的に受信され得る。例えば、広告管理システムは、例えば、広告スロットが典型的に充填されるサイクルに対応する所定の時（例えば、毎月１日）に、ユーザによって広告スロットに割り付けられる値を（例えば、ユーザプロファイルサーバ３２４（図３）から）取り出し得る。
【０１２３】
ステップ１３０６では、メディアガイダンスアプリケーションは、メモリに予算値を記憶する。例えば、広告管理システムは、（例えば、記憶装置２０８（図２）でローカルに位置する、あるいは聴衆管理モジュール３２８および／または通信ネットワーク３１４（図３）を介してアクセス可能な任意のデータベースで遠隔に位置する）メモリに予算値を記憶し得る。いくつかの実施形態では、予算値は、１人以上のユーザに関連付けられるデータ構造に入力され得る。例えば、データベースは、各々がユーザに関連付けられる複数の記録を含み得る。記憶された予算値に応答して、次いで、広告管理モジュールは、識別子（例えば、特定のユーザに対応するシリアル番号）を入力し得、データベースは、特定の広告主（またはユーザが広告主である場合はユーザ）に関連付けられる予算値を示す記録を出力し得る。
【０１２４】
ステップ１３０８では、メディアガイダンスアプリケーションは、予算値を、第１および第２の分割値の各々がメモリに記憶される、第１の分割値および第２の分割値に分割する。例えば、聴衆管理システムは、広告キャンペーンのための固定予算に対応する予算値のユーザ選択を（例えば、ユーザ入力インターフェース２１０（図２）を介して）受信し得る。次いで、聴衆管理システムは、（例えば、処理回路２０６（図２）を介して）予算値を第１の分割値および第２の分割値に分割し得る。
【０１２５】
分割の間の比、割合、および／または他の数値的関係は、多数の基準に基づき得る。例えば、聴衆管理システムは、分割の間の数値的関係を識別するユーザ選択を（例えば、ユーザ入力インターフェース２１０（図２）を介して）受信し得る。例えば、ユーザ選択は、第１の分割値が総予算の７０％に対応するべきであり、第２の分割値が総予算の第２の分割値に対応するべきであることを示し得る。また、いくつかの実施形態では、総予算が任意の数の分割に割り付けられ得ることにも留意されたい。例えば、ユーザ選択は、第１の分割値が総予算の５０％に対応するべきであり、第２の分割値が総予算の２５％に対応するべきであり、第３の分割値が総予算の２５％に対応するべきであることを示し得る。別の実施例では、ユーザ選択は、第１の分割値が総予算の６０％に対応するべきであり、別の分割システム、割り付けアルゴリズム、および／または総予算の残りの４０％を分割するための任意の他の好適な技法に従って、残りの分割値が総予算の残りの４０％を分割するべきであることを示し得る。
【０１２６】
いくつかの実施形態では、聴衆管理モジュールは、（例えば、制御回路２０４（図２）を介して）数値的関係を取り出し得る。例えば、ユーザの予算値を受信することに応答して、聴衆管理モジュールは、ユーザに対応する予算値の数値的関係に関連付けられる（例えば、記憶装置２０８（図２）、ユーザプロファイルサーバ３２４（図３）、および／または通信ネットワーク３１４（図３）を介してアクセス可能な任意の場所に位置する）データベースを相互参照し得る。聴衆管理モジュールは、特定のユーザをデータベースに入力し、予算値を分割するために使用される数値的関係の出力を受信し得る。いくつかの実施形態では、出力はまた、予算値に適用されるべきである分割の数（例えば、０、１等）、ならびに各分割に関連付けられる任意の他の基準（例えば、特定の分割のために標的化されるべきである特定の聴衆）を示し得る。
【０１２７】
ステップ１３１０では、聴衆管理システムは、メモリに複数のデータ構造を記憶する。いくつかの実施形態では、聴衆管理システムは、（例えば、処理回路２０４（図２）を介して）各データ構造が特定の広告スロットに対応し得る、複数のデータ構造を（例えば、記憶装置２０４（図２）および／または通信ネットワーク３１４（図３）を介してアクセス可能な任意のデータベースに）記憶し得る。例えば、図７および８に関して議論されるように、聴衆管理システムは、グリッド配列（例えば、グリッド配列８０２（図８））内のセル（例えば、セル８１４（図８））に関連付けられる広告スロットを管理し得る。各セルは、そのそれぞれのコンテンツソース、期間、インベントリ、予想インベントリ、価格決定、履歴視聴率データ、聴衆測定基準および分析、または本明細書で説明される任意の他の好適な情報に関するデータを含む、データ構造に関連付けられ得る。
【０１２８】
ステップ１３１２では、聴衆管理モジュールは、複数のデータ構造の各々が複数のグループのうち１つに関連付けられる、複数のグループを定義する。例えば、聴衆管理システムは、（例えば、処理回路３０６（図３）を介して）複数のグループを定義し、複数のデータ構造の各々を複数のグループのうちの１つに関連付ける。例えば、グループは、広告キャンペーンにおける日に対応し得、複数のデータ構造の各々は、特定の日の広告スロットを表し得る。いくつかの実施形態では、各広告スロットは、関連予算重み（例えば、価格）を有し得る。本システムは、例えば、予算重みを合計し、（例えば、処理回路２０４（図２）を介して）合計を割り付けられた予算と比較することによって、追加される広告スロットがその日に対して割り付けられた予算を超えないことを決定し得る。
【０１２９】
ステップ１３１４では、聴衆管理システムは、第１の分割値の一部分を複数のグループの各々に割り付ける。聴衆管理システムは、（例えば、処理回路３０４（図３）を介して）第１の分割値の一部分（例えば、全分割の１０％）を複数のグループの各々に割り付ける。いくつかの実施形態では、グループは、種々のデータ構造を組織化する１つ以上の基準を含み得る。例えば、グループは、１週間の特定の日に対応し得る。例えば、第１の分割値が総予算の５０％に対応する場合、（例えば、５日間のキャンペーンにおける）各日が第１の分割値の一部分（例えば、分割値の２０％）を受け取り得る。いくつかの実施形態では、各日が７０％の等しい割り付けを受け取り得る（例えば、７日間の広告計画については、各日が総予算の１０％を受け取る）。
【０１３０】
ステップ１３１６では、聴衆管理システムは、複数のグループの各々に対して、グループに割り付けられた第１の分割値の一部分に基づいて、グループに関連付けられている少なくとも１つのデータ構造にフラグを付ける。フラグを付けることは、データ構造がフラグを付けられていることを処理回路２０４に示す、特定の値をデータ構造に記憶することによって達成され得る。例えば、聴衆管理システムは、グループに割り付けられた第１の分割値の一部分に基づいて、キャンペーンの各日に対して（例えば、広告スロットに対応する）１つ以上のデータ構造にフラグを付けることを（例えば、処理回路２０４（図２）を介して）決定し得る。例えば、聴衆管理システムは、広告スロットのリストがその日に対して割り付けられた予算を超えない限り、メディア計画に追加されるべきである、１週間の特定の日に対する広告スロットのリストを（例えば、処理回路２０４（図２）を介して）識別し得る。
【０１３１】
いくつかの実施形態では、聴衆管理システムは、聴衆構成、聴衆サイズ、聴衆指標、インプレッション、ユーザ特定された重み、それらの任意の好適な組み合わせを含む、聴衆−関連基準に基づいて、特定のグループに関連付けられている各データ構造をランク付けする。いくつかの実施形態では、聴衆関連基準は、各広告スロットに関連付けられるデータ構造に含まれ得る。例えば、聴衆管理システムは、図１４に関して議論されるように各データ構造をランク付けするために、聴衆関連基準に関連付けられる（例えば、記憶装置２０８（図２）でローカルに、あるいはユーザプロファイルサーバ３２４、聴衆管理モジュール３２８、および／または通信ネットワーク３１４（図３）を介してアクセス可能な任意の他の場所で遠隔に記憶される）１つ以上のデータベースを（例えば、処理回路２０４（図２）を介して）相互参照し得る。いくつかの実施形態では、スコア＝（聴衆指標）＊（チャネル重み）＊（放送時間区分重み）という方程式に基づいて、スコアが割り当てられ得る。例えば、聴衆指標は、予想聴衆サイズに関係付けられ得、聴衆サイズおよび聴衆構成の関数であり得る。チャネル重みをよび放送時間区分重みは、それぞれ、データ構造の対応するコンテンツソース（例えば、重みオプション７０８（図７））および対応する期間（例えば、重みオプション７１４（図７））に割り当てられたユーザ指定重み値であり得る。
【０１３２】
ステップ１３１８では、聴衆管理システムは、複数のデータ構造内のフラグを付けられていないデータ構造のサブセットを識別する。いくつかの実施形態では、聴衆管理システムは、（例えば、処理回路２０４（図２）を介して）データ構造が関連付けられるグループにかかわらず、フラグを付けられていない複数のデータ構造内の残りのデータ構造を識別する。例えば、第１の分割値の一部分を特定のデータ構造に割り付けた後、聴衆管理システムは、（例えば、処理回路２０４（図２）を介して）第２の分割値の一部分を他のデータ構造に割り付け得る。例えば、聴衆管理システムは、フラグを付けられなかった（例えば、ユーザによって購入されなかった）データ構造を識別するために、（例えば、処理回路２０４（図２）を介して）データ構造を検索し得る。
【０１３３】
ステップ１３２０では、聴衆管理システムは、第２の分割値に基づいて、サブセット内の少なくとも１つのデータ構造にフラグを付ける。例えば、いくつかの実施形態では、聴衆管理システムは、フラグを付けられなかった（例えば、ユーザによって購入されなかった）データ構造を識別するために、（例えば、処理回路２０４（図２）を介して）データ構造を検索し得る。次いで、聴衆管理システムは、（例えば、図１４に関して以下で議論されるように）各データ構造をランク付けし、最高ランクのフラグを付けられていないデータ構造を選択し得る。例えば、聴衆管理システムは、聴衆構成、聴衆サイズ、聴衆指標、インプレッション、ユーザ特定された重み、全インプレッション等のキャンペーン目標およびパラメータ、予算制約、インベントリ制限、到達範囲、頻度、またはそれらの任意の好適な組み合わせを含む、聴衆関連基準に基づいて、各データ構造をランク付けし得る。いくつかの実施形態では、聴衆管理システムは、ランキングが基づくべき１つ以上の聴衆関連基準を選択し得る。ランキングは、線形および非線形アプローチを含むが、それらに限定されない、任意の好適な技法および／または数学的プロセスに基づいて決定され得ることに留意されたい。
【０１３４】
いくつかの実施形態では、聴衆管理システムは、第２の分割値の特定の部分が使用されるまで、（例えば、処理回路２０４（図２）を介して）ステップ１３１８の１回以上の反復を行い得る。例えば、聴衆管理システムは、第２の分割値の全体が使用されるまで、ステップ１３１８の反復を行い得る。各反復中に、聴衆管理システムは、フラグを付けられていないデータ構造の最高ランクのデータ構造を識別し、（例えば、処理回路２０４（図２）を介して）第２の分割値の残りの部分と比較し得る。この反復の残りのデータ構造のうちの識別された最高ランクのデータ構造が、第２の分割値の残りの部分に対応する（例えば、識別されたデータ構造に関連付けられる予算消費の量が、第２の分割値の残りの部分以下である）ことを、（例えば、処理回路２０４（図２）を介して）聴衆管理システムが決定する場合、聴衆管理システムは、識別されたデータ構造にフラグを付ける。もしそうでなければ、聴衆管理システムは、図１４に関して以下で議論されるように、異なるデータ構造を選択し得る。
【０１３５】
ステップ１３２２では、聴衆管理システムがプロセス１３００を終了させる。いくつかの実施形態では、聴衆管理システムは、ステップ１３０４に戻り、異なる広告主（または広告主がユーザである場合はユーザ）に関連付けられる新しい予算値を受信し得る。例えば、聴衆管理システムは、複数の広告主の各予算値が分割されて割り付けられるまで、プロセス１３００の複数の反復を行い得る。
【０１３６】
図１３のステップまたは説明は、本開示の任意の他の実施形態とともに使用され得ることが考慮される。加えて、図１３に関して説明されるステップおよび説明は、代替的な順序で、またはさらに本開示の目的と並行して行われ得る。例えば、これらのステップの各々は、遅延を低減させるか、または本システムあるいは方法の速度を増加させるように、任意の順序で、または並行して、あるいは実質的に同時に行われ得る。さらに、図１３のステップのうちの１つ以上を行うために、図２−３に関して議論されるデバイスまたは機器のうちのいずれかを使用できることに留意されたい。
【０１３７】
図１４は、メディア計画のための広告スロットの最適化および割り付けに関与する、例証的なステップのフローチャートである。プロセス１４００またはその任意のステップは、図２−３に示されるデバイスのうちのいずれかの上で行うことができるか、またはそれによって提供できることに留意されたい。例えば、プロセス１４００は、メディア計画のための広告スロットを割り付けるために、聴衆管理システムまたはそのモジュール（例えば、聴衆管理モジュール３２８（図３）上で実装される）によって命令されるように、制御回路２０４（図２）によって実行され得る。加えて、プロセス１４００の１つ以上のステップは、（例えば、図１２−１３および１５−１６に関して説明されるような）任意の他のプロセスまたは実施形態の１つ以上のステップに組み込まれ、またはそれらと組み合わせられ得る。
【０１３８】
ステップ１４０２では、聴衆管理システムがプロセス１４００を開始する。例えば、いくつかの実施形態では、聴衆管理システムは、ユーザの予算値を割り付けるように要求する（例えば、ユーザ入力インターフェース２１０（図２）を介して受信される）ユーザ要求に応答して、プロセス１４００を開始し得る。
【０１３９】
ステップ１４０４では、聴衆管理システムは、予算値のユーザ選択を受信する。例えば、いくつかの実施形態では、ステップ１４０４は、ステップ１３０４（図１３）に対応し得る。例えば、ユーザ選択は、メディア計画における広告スロットが対応しなければならない最大値を示す、（例えば、通貨単位および／または任意の他の好適な測定標準で）数値を示し得る。いくつかの実施形態では、値は、（例えば、ユーザ入力インターフェース２１０（図２）を介して）ユーザによって手動で入力され得る。例えば、ユーザは、（例えば、ユーザ入力パラメータを介して）所与の期間（例えば、丸１ヶ月）にわたってユーザが広告スロットに割り付け得る、最大値を特定し得る。加えて、または代替として、ユーザ選択は、自動的に受信され得る。例えば、広告管理システムは、例えば、広告スロットが典型的に充填されるサイクルに対応する所定の時（例えば、毎月１日）に、ユーザによって広告スロットに割り付けられる値を（例えば、ユーザプロファイルサーバ３２４（図３）から）取り出し得る。
【０１４０】
ステップ１４０６では、メディアガイダンスアプリケーションは、予算値を第１の予算部分および第２の部分に分割する。例えば、いくつかの実施形態では、ステップ１４０６は、ステップ１３０８（図１３）に対応し得、第１の予算部分および第２の予算部分は、それぞれ、第１の分割値および第２の分割値に対応し得る。例えば、聴衆管理システムは、広告キャンペーンのための固定予算に対応する予算値のユーザ選択を（例えば、ユーザ入力インターフェース２１０（図２）を介して）受信し得る。次いで、聴衆管理システムは、（例えば、処理回路２０６（図２）を介して）予算値を第１の予算部分および第２の予算部分に分割し得る。いくつかの実施形態では、第１の予算部分および第２の予算部分の合計は、予算値に対応し得る（例えば、予算値全体が２つだけの部分に割り付けられる場合）。代替として、第１の予算部分および第２の予算部分の合計は、予算値に対応しないこともある（例えば、予算値全体が割り付けられてない、および／または２つ以上の部分に割り付けられている場合）。
【０１４１】
ステップ１４０８では、聴衆管理システムは、広告キャンペーンにおける各日にわたって第１の予算部分を割り付ける。いくつかの実施形態では、ステップ１４０８は、ステップ１３１４（図１３）に対応し得る。例えば、聴衆管理システムは、広告キャンペーンにおける各日にわたって（例えば、処理回路３０４（図３）を介して）第１の予算部分の等しいまたは等しくない部分を割り付け得る。例えば、広告キャンペーンが５日に対応する場合、聴衆管理システムは、第１の予算部分の２０％分担を各日に割り付け得る。代替として、聴衆管理システムは、等しくない部分を広告キャンペーンの異なる日に割り付け得る。例えば、聴衆管理システムは、より高い部分を週末（例えば、より多くの視聴者がコンテンツを消費しているとき）に割り付け、より低い部分を平日（例えば、より少ない視聴者がコンテンツを消費しているとき）に割り付け得る。
【０１４２】
ステップ１４１０では、聴衆管理システムは、広告キャンペーンにおける１日を選択する。例えば、広告キャンペーンにおける日数、および広告キャンペーンにおける個々の日の識別は、ユーザまたは広告キャンペーンに関連付けられるプロファイルから取り出され得る。例えば、聴衆管理システムは、広告キャンペーンにおける日数を記載し、および／または広告キャンペーンにおける個々の日を識別する、データベース（例えば、記憶装置２０８（図２）、ユーザプロファイルサーバ３２４（図３）、聴衆管理モジュール３２８（図３）、または通信ネットワーク３１４（図３）を介してアクセス可能な任意の他の場所）内のユーザまたは広告キャンペーに関連付けられる識別子（例えば、シリアル番号、注文番号等）を相互参照し得る。
【０１４３】
聴衆管理システムは、（例えば、処理回路２０６（図２）を介して）ユーザおよび／または広告キャンペーンの識別子を入力し得る。それに応答して、データベースは、広告キャンペーンにおける日数および／または広告キャンペーンにおける個々の日のリストを出力し得る。次いで、聴衆管理システムは、１つ以上の日を選択し得る。いくつかの実施形態では、聴衆管理システムは、広告キャンペーンの各日が処理される、プロセス１４００の１回以上の反復を行い得る。
【０１４４】
ステップ１４１２では、聴衆管理システムは、選択された日に対する利用可能な広告スロットをランク付けする。例えば、聴衆管理システムは、広告スロットに関連付けられる、コンテンツソース、期間、インベントリ、予想インベントリ、価格決定、履歴視聴率データ、聴衆測定基準および分析、または本明細書で説明される任意の好適な情報を示す、利用可能な広告スロットに関連付けられるデータを（例えば、処理回路２０６（図２）を介して）取り出し得る。このデータに基づいて、聴衆管理システムは、選択された日に関連付けられる特定の広告スロットを決定し得る。広告スロットに関連付けられるデータに基づいて、選択された日に利用可能な特定の広告スロットを識別した後、聴衆管理システムは続けて、（例えば、処理回路２０４（図２）を介して）識別された広告スロットをランク付けし得る。
【０１４５】
ステップ１４１４では、聴衆管理システムは、選択された日に対する最上ランクの広告スロットを選択する。例えば、聴衆管理システムは、聴衆構成、聴衆サイズ、聴衆指標、インプレッション、ユーザ特定された重み、全インプレッション等のキャンペーン目標およびパラメータ、予算制約、インベントリ制限、到達範囲、頻度、またはそれらの任意の好適な組み合わせを含む、聴衆関連基準に基づいて、（例えば、処理回路２０４（図２）を介して）各広告スロットのランクを決定するために、選択された日に利用可能な各広告スロットを互に比較し得る。いくつかの実施形態では、聴衆管理システムは、ランキングが基づくべき１つ以上の聴衆関連基準を選択し得る。ランキングは、線形および非線形アプローチを含むが、それらに限定されない、任意の好適な技法および／または数学的プロセスに基づいて決定され得ることに留意されたい。いくつかの実施形態では、ランキングは、図１３に関して説明される様式と同様に行われ得る。
【０１４６】
いくつかの実施形態では、本システムは、アクティブなメディア計画の全てにわたるインベントリの使用を最適化し、本システムが同時に複数の広告主のための広告スロットの選択を最適化することを可能にする。ユーザが１人より多くの広告主のためのメディア計画を準備している、そのような場合において、本システムは、（例えば、処理回路２０４（図２）を介して）各メディア計画に関連付けられるパラメータに基づいて、各メディア計画のための広告スロットをランク付けし得る。例えば、本システムは、重み値、聴衆構成、またはメディア計画に関連付けられる任意の他の好適なパラメータ（例えば、広告主が標的聴衆セグメントを指定している）に基づいて、１つのメディア計画に対して特定の広告スロットをより高くランク付けし得る。本システムは、異なるメディア計画に対してその同じ広告スロットをランク付けし得る。どの広告スロットが特定のメディア計画に割り付けられるべきかを決定するとき、本システムは、メディア計画に対してより高いランクに対応する広告スロットを選択し得る。特定の広告主が不均衡な量のインベントリ選択を得ることを防止するために、本システムは、広告スロットに対する異なるメディア計画スコアが特定の範囲内に入る場合、特定のメディア計画に対して広告スロットを無作為に選択し得る。いくつかの実施形態では、選択は、無作為ではないこともあるが、代わりに、高いランキングのインベントリの均等な割り付けを確保するために、異なるメディア計画に対して行われる選択の総数を考慮し得る。
【０１４７】
いくつかの実施形態では、本システムは、リスト内の各広告スロットが特定の広告主に関連付けられる、広告スロットの単一のランク付けされたリストを（例えば、処理回路２０４（図２）を介して）生成し得る。聴衆管理システムは続けて、最高ランキングの広告スロットから最低ランキングの広告スロットまでの順序で、広告スロットを関連広告主のそれぞれのメディア計画に追加し得る。
【０１４８】
ステップ１４１６では、聴衆管理システムは、選択された広告スロットを購入することが選択された日に対して割り付けられた予算を超えるかどうかを決定する。例えば、聴衆管理システムは、（例えば、処理回路２０４（図２）を介して）広告スロットに関連付けられる予算重みに基づいて、現在の日に割り付けられた予算値の一部分が、選択された広告スロットを購入する費用に対応する（例えば、費用以下である）かどうかを決定し得る。いくつかの実施形態では、聴衆管理システムは、ローカル（例えば、記憶装置２０８（図２））または遠隔（例えば、聴衆管理モジュール３２８（図３））ソースから広告スロットに関連付けられる費用を受信し得る。
【０１４９】
いくつかの実施形態では、各広告スロットに関連付けられる費用は、連続的に監視および更新され得る。例えば、聴衆管理システムは、各広告スロットに関連付けられる現在の費用を示す、リアルタイムフィードを受信し得る。加えて、または代替として、聴衆管理は、１つ以上の基準に基づいて広告スロットの現在の費用を決定するアルゴリズムへのアクセスを有し得る。例えば、アルゴリズムは、特定の日のために少ない広告スロットしか残っていないため、その日の広告スロットを購入する費用が増加し得ることを示し得る。そのような場合において、聴衆管理システムは、（例えば、処理回路２０４（図２）を介して）必要に応じて種々の広告スロットの価格を継続的に決定し得る。加えて、または代替として、聴衆管理システムは、広告スロットの費用を決定するために、プロセス１５００（図５）またはプロセス１６００（図１６）の１つ以上のステップを適用し得る。
【０１５０】
選択された広告スロットを購入する費用が、選択された日に対して割り付けられた予算を超えないことを、聴衆管理システムが決定する場合、聴衆管理システムはステップ１４１８に進む。ステップ１４１８では、聴衆管理システムは、選択された広告スロットを購入し（またはユーザ選好に応じて、潜在的な購入のためにフラグを付け）、ステップ１４１６に戻る前に（例えば、ステップ１４１２で決定されるような）次の最高ランキングの広告スロットを選択する。選択された広告スロットを購入する費用が、選択された日に対して割り付けられた予算を超えることを、聴衆管理システムが決定する場合、聴衆管理システムはステップ１４２０に進む。
【０１５１】
ステップ１４２０では、聴衆管理システムは、広告キャンペーンにおける全ての日が選択されたかどうかを決定する。もしそうでなければ、聴衆管理システムは、ステップ１４２２に進み、異なる日を選択し、ステップ１４１２に戻る。例えば、聴衆管理システムは、各日に対する第１の予算部分の割り付けが使用されていることを確実にし得る。聴衆管理システムは、（例えば、広告キャンペーンの各日に対応する）プロセス１４００の１つ以上のステップの複数の反復を行うことによって、これを確実にし得る。広告キャンペーンにおける全ての日が選択されていることを聴衆管理システムが決定する場合、聴衆管理システムはステップ１４２４に進む。
【０１５２】
ステップ１４２４では、聴衆管理システムは、日にかかわらず、残っている全ての利用可能な広告スロットをランク付けする。例えば、聴衆管理システムが、第１の予算部分を、キャンペーンの各日、各週、またはユーザ特定期間に割り付けた（例えば、少なくとも１つの広告スロットがキャンペーンの各日に対して購入された（または潜在的な購入のためにフラグを付けられた）ことを確実にした）後である。聴衆管理システムは、購入する（または潜在的な購入のためにフラグを付ける）ための追加の広告スロットを選択するために、（例えば、処理回路２０４（図２）を介して）残りの広告スロットをランク付けする。
【０１５３】
ステップ１４２６では、聴衆管理システムは、任意の利用可能な広告スロットのうちの最上ランクの広告スロットを選択する。例えば、聴衆管理システムは、それぞれの広告スロットに関連付けられる聴衆関連基準（例えば、聴衆構成、聴衆サイズ、聴衆指標、インプレッション、ユーザ特定された重み、またはそれらの任意の好適な組み合わせを含むが、それらに限定されない）に基づいて、各広告スロットのランクを（例えば、処理回路２０４（図２）を介して）決定するために、利用可能な各広告スロットを全ての他の利用可能な広告スロットと比較し得る。
【０１５４】
ステップ１４２８では、聴衆管理システムは、選択された広告スロットを購入することが第２の予算部分を超えるかどうかを決定する。例えば、聴衆管理システムは、（例えば、処理回路２０４（図２）を介して）第２の予算部分値が、選択された広告スロットを購入する費用に対応する（例えば、費用以下である）かどうかを決定し得る。選択された広告スロットを購入する費用が第２の予算部分を超えないことを聴衆管理システムが決定する場合、聴衆管理システムはステップ１４３０に進む。ステップ１４３０では、聴衆管理システムは、選択された広告スロットを購入し（または潜在的な購入のためにフラグを付け）、ステップ１４２８に戻る前に（例えば、ステップ１４２４で決定されるような）次の最高ランキングの広告スロットを選択する。選択された広告スロットを購入する費用が第２の予算部分を超えることを聴衆管理システムが決定する場合、聴衆管理システムはステップ１４３２に進む。
【０１５５】
ステップ１４３２では、聴衆管理システムがプロセス１４００を終了させる。いくつかの実施形態では、聴衆管理システムは、ステップ１４０４に戻って、異なるユーザに関連付けられる新しい予算値を受信し得る。例えば、聴衆管理システムは、複数のユーザの各予算値が分割されて割り付けられるまで、プロセス１４００の複数の反復を行い得る。
【０１５６】
図１４のステップまたは説明は、本開示の任意の他の実施形態とともに使用され得ることが想定される。加えて、図１４に関して説明されるステップおよび説明は、代替的な順序で、またはさらに本開示の目的と並行して行われ得る。例えば、これらのステップの各々は、遅延を低減させるか、または本システムあるいは方法の速度を増加させるように、任意の順序で、または並行して、あるいは実質的に同時に行われ得る。さらに、図１４のステップのうちの１つ以上を行うために、図２−３に関して議論されるデバイスまたは機器のうちのいずれかを使用できることに留意されたい。
【０１５７】
図１５は、メディア計画のための広告スロットの静的および動的価格決定に関与する、例証的なステップのフローチャートである。プロセス１５００またはその任意のステップは、図２−３に示されるデバイスのうちのいずれかの上で行うことができるか、またはそれによって提供できることに留意されたい。例えば、プロセス１５００は、価格をデータ構造に割り当てるために、聴衆管理システムまたはそのモジュール（例えば、聴衆管理モジュール３２８（図３）上で実装される）によって命令されるように、制御回路２０４（図２）によって実行され得る。加えて、プロセス１５００の１つ以上のステップは、（例えば、図１２−１４および１６に関して説明されるような）任意の他のプロセスまたは実施形態の１つ以上のステップに組み込まれ、またはそれらと組み合わせられ得る。
【０１５８】
ステップ１５０２では、聴衆管理システムがプロセス１５００を開始する。例えば、いくつかの実施形態では、聴衆管理システムは、広告スロットを選択するように要求する（例えば、ユーザ入力インターフェース２１０（図２）を介して受信される）ユーザ要求に応答して、プロセス１５００を開始し得る。
【０１５９】
ステップ１５０４では、聴衆管理システムは、メモリに複数のデータ構造を記憶し、各データ構造は、複数の広告スロットのうちの１つを表す。図１３に関して上記で議論されるように、いくつかの実施形態では、聴衆管理システムは、（例えば、処理回路２０４（図２）を介して）各データ構造が特定の広告スロットに対応し得る、複数のデータ構造を（例えば、記憶装置２０４（図２）および／または通信ネットワーク３１４（図３）を介してアクセス可能な任意のデータベースに））記憶し得る。
【０１６０】
ステップ１５０６では、聴衆管理システムは、複数のデータ構造の各々に、それぞれの広告スロットに関連付けられている価格値を記憶する。例えば、図７および８に関して議論されるように、聴衆管理システムは、グリッド配列（例えば、グリッド配列８０２（図８））内のセル（例えば、セル８１４（図８））に関連付けられる広告スロットを管理し得る。各セルは、そのそれぞれのコンテンツソース、期間、インベントリ、予想インベントリ、価格決定、履歴視聴率データ、聴衆測定基準および分析、または本明細書で説明される任意の他の好適な情報に関するデータを含む、データ構造に関連付けられ得る。
【０１６１】
ステップ１５０８では、聴衆管理システムは、固定価格値のユーザ選択を受信する。例えば、聴衆管理システムは、聴衆管理システムによって（例えば、ディスプレイ２１２（図２）上で）表示されるグリッド配列（例えば、グリッド配列８０２（図８））内のセル（例えば、セル８１４（図８））のユーザ選択に応答して、広告スロットの固定価格値を入力するユーザ選択を（例えば、ユーザ入力インターフェース２１０（図２）を介して）受信し得る。
【０１６２】
ステップ１５１０では、聴衆管理システムは、複数のデータ構造のうちの第１のデータ構造の価格値として、固定価格値を記憶する。例えば、データ構造に関連付けられる固定価格値は、それぞれのコンテンツソース、期間、インベントリ、予想インベントリ、価格決定、履歴視聴率データ、聴衆測定基準および分析、または本明細書で説明される任意の他の好適な情報に関するデータを含む、データ構造等のデータ構造に関連する他の情報とともに、（例えば、記憶装置２０４（図２）および／または通信ネットワーク３１４（図３）を介してアクセス可能な任意の他のデータベースに）記憶され得る。
【０１６３】
ステップ１５１２では、聴衆管理システムは、第１のデータ構造の価格値を変更することなく、複数のデータ構造の各々の価格値を自動的に更新する。例えば、ユーザは、（例えば、ユーザ入力インターフェース２１０（図２）を介して）固定価格を有するように特定の広告スロットを指定し得る。聴衆管理システムは、第１のデータ構造の価格値を変更することなく、（例えば、処理回路２０４（図２）を介して）複数のデータ構造の各々の価格値を自動的に更新し得る。
【０１６４】
例えば、価格が第１の広告スロットに対して固定されると、聴衆管理システムは、残りのデータ構造の各々の予想需要に基づいて、（例えば、処理回路２０４（図２））を介して）残りのデータ構造に関連付けられる価格決定情報を更新し得る。いくつかの実施形態では、聴衆管理システムは、固定価格に基づいて、（例えば、処理回路２０４（図２））を介して）予想需要を決定し得る（例えば、高い固定価格を設定することは、同一のテレビチャネル上で「近くの」広告スロットの需要を増加させることが予測され得る）。聴衆管理システムは、履歴インベントリデータ、予想インベントリデータ、現在の需要、聴衆推定、またはそれらの任意の好適な組み合わせを分析することによって、（例えば、処理回路２０４（図２））を介して）予想需要を決定し得る。
【０１６５】
いくつかの実施形態では、予想需要および／または履歴インベントリデータ、予想インベントリデータ、現在の需要、聴衆推定、あるいはそれらの任意の好適な組み合わせは、ローカル記憶装置（例えば、記憶装置２０８（図２）および／または通信ネットワーク３１４（図３）を介してアクセス可能な任意の場所）から取り出され得る。いくつかの実施形態では、予想需要および／または予想需要を生成することに関連付けられるデータは、リアルタイムでデータフィードを介して受信され得る。代替として、予想需要および／または予想需要を生成することに関連付けられるデータは、（例えば、固定価格を確立するユーザ選択に応答して）周期的に更新／受信され得る。
【０１６６】
ステップ１５１４では、聴衆管理システムがプロセス１５００を終了させる。いくつかの実施形態では、聴衆管理システムは、ステップ１５０４に戻り、（例えば、固定価格値の別のユーザ選択に関連付けられる）プロセス１５００の別の反復を行い得る。
【０１６７】
図１５のステップまたは説明は、本開示の任意の他の実施形態とともに使用され得ることが想定される。加えて、図１５に関して説明されるステップおよび説明は、代替的な順序で、またはさらに本開示の目的と並行して行われ得る。例えば、これらのステップの各々は、遅延を低減させるか、または本システムあるいは方法の速度を増加させるように、任意の順序で、または並行して、あるいは実質的に同時に行われ得る。さらに、図１５のステップのうちの１つ以上を行うために、図２−３に関して議論されるデバイスまたは機器のうちのいずれかを使用できることに留意されたい。
【０１６８】
図１６は、メディア計画のための価格決定層の静的および動的価格決定に関与する、例証的なステップのフローチャートである。プロセス１６００またはその任意のステップは、図２−３に示されるデバイスのうちのいずれかの上で行うことができるか、またはそれによって提供できることに留意されたい。例えば、プロセス１６００は、価格をデータ構造に割り当てるために、聴衆管理システムまたはそのモジュール（例えば、聴衆管理モジュール３２８（図３）上で実装される）によって命令されるように、制御回路２０４（図２）によって実行され得る。加えて、プロセス１６００の１つ以上のステップは、（例えば、図１２−１５に関して説明されるような）任意の他のプロセスまたは実施形態の１つ以上のステップに組み込まれ、またはそれらと組み合わせられ得る。
【０１６９】
ステップ１６０２では、聴衆管理システムがプロセス１６００を開始する。例えば、いくつかの実施形態では、聴衆管理システムは、広告スロットを選択するように要求する（例えば、ユーザ入力インターフェース２１０（図２）を介して受信される）ユーザ要求に応答して、プロセス１６００を開始し得る。
【０１７０】
ステップ１６０４では、聴衆管理システムは、（例えば、処理回路２０４（図２）を介して）複数の広告スロットの各々を複数の価格決定層のうちの１つに関連付ける。例えば、聴衆管理システムは、複数の広告スロットの各々を複数の価格決定層のうちの１つに関連付けることによって、複数の広告スロットの価格を設定するために、価格決定層を使用し得る。
【０１７１】
ステップ１６０６では、聴衆管理システムは、第１の価格決定層の固定価格値のユーザ選択を受信する。例えば、聴衆管理システムは、ユーザ選択に応答して、複数の広告スロットに対する価格決定層の固定価格値を入力する、ユーザ選択を（例えば、ユーザ入力インターフェース２１０（図２）を介して）受信し得る。
【０１７２】
ステップ１６０８では、聴衆管理システムは、第１の価格決定層の価格値を変更することなく、複数の価格決定層の各々の価格値を更新する。例えば、ユーザが価格決定層の固定価格を設定すると、聴衆管理システムは、固定価格決定層の価格値を変更することなく、複数の価格決定層の各々の価格値を更新し得る。
【０１７３】
ステップ１６１０では、聴衆管理システムは、関連価格決定層の更新された価格値に基づいて、複数の広告スロットの各価格を更新する。次いで、聴衆管理システムは、関連価格決定層の更新された価格値に基づいて、（例えば、処理回路２０４（図２）を介して）複数の広告スロットの各価格を更新する。例えば、関連価格決定層の更新された価格値は、１つ以上のデータ構造に関連する他の情報とともに（例えば、記憶装置２０４（図２）および／または通信ネットワーク３１４（図３）を介してアクセス可能な任意のデータベースに）記憶され得る。
【０１７４】
ステップ１６１２では、聴衆管理システムがプロセス１６００を終了する。いくつかの実施形態では、聴衆管理システムは、ステップ１６０４に戻り、（例えば、第１の価格決定層の固定価格値の別のユーザ選択に関連付けられる）プロセス１６００の別の反復を行い得る。
【０１７５】
図１６のステップまたは説明は、本開示の任意の他の実施形態とともに使用され得ることが考慮される。加えて、図１６に関して説明されるステップおよび説明は、代替的な順序で、またはさらに本開示の目的と並行して行われ得る。例えば、これらのステップの各々は、遅延を低減させるか、または本システムあるいは方法の速度を増加させるように、任意の順序で、または並行して、あるいは実質的に同時に行われ得る。さらに、図１６のステップのうちの１つ以上を行うために、図２−３に関して議論されるデバイスまたは機器のうちのいずれかを使用できることに留意されたい。
【０１７６】
本開示の上記の実施形態は、限定ではなく例証の目的で提示され、本開示は、以下に続く請求項のみによって限定される。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われ得る。また、上記で説明されるシステムおよび／または方法は、他のシステムおよび／または方法に適用され、あるいはそれらに従って使用され得ることにも留意されたい。
【０１７７】
図１２−１６のフロー図の上記のステップは、図に示され、説明される順序および順番に限定されない、任意の順序および順番で実行または実施され得ることを理解されたい。また、図１２−１６のフロー図の上記のステップのうちのいくつかは、適切である場合、実質的に同時に実行または実施され得る。
【０１７８】
本開示の上記の実施形態は、限定ではなく例証の目的で提示され、本開示は、以下に続く請求項のみによって限定される。
【図１】
0006595916.tif 000002
【図２】
0006595916.tif 000003
【図３】
0006595916.tif 000004
【図４】
0006595916.tif 000005
【図５】
0006595916.tif 000006
【図６】
0006595916.tif 000007
【図７】
0006595916.tif 000008
【図８】
0006595916.tif 000009
【図９】
0006595916.tif 000010
【図１０】
0006595916.tif 000011
【図１１】
0006595916.tif 000012
【図１２】
0006595916.tif 000013
【図１３】
0006595916.tif 000014
【図１４−１】
0006595916.tif 000015
【図１４−２】
0006595916.tif 000016
【図１５】
0006595916.tif 000017
【図１６】
0006595916.tif 000018